(57)【特許請求の範囲】
【請求項１】
複数のセルを利用して複数のサブフレームにわたって基地局装置と通信する移動局装置であって、
前記基地局装置から送信されたデータの受信に対するＡＣＫ／ＮＡＣＫをＰＵＣＣＨを使用して前記基地局装置に送信するに際し、複数のＰＵＣＣＨのリソースから前記ＡＣＫ／ＮＡＣＫの情報に応じて１個のリソースを選択し、前記選択したリソースを使用して所定の送信電力で前記ＰＵＣＣＨを送信するように設定されている場合に、
前記複数のサブフレームにおいて前記データの通信に使用されたセルの数に応じて、前記所定の送信電力に関連するパラメータの値を決定し、１つのセルでのみ前記データを受信した場合と２つ以上のセルで前記データを受信した場合とで異なる値を前記パラメータに設定する、ことを特徴とする移動局装置。
【請求項２】
少なくとも何れか１個の下りリンクサブフレームにおいてデータを受信したセルの数に応じて、リソースの選択に用いられる前記複数のＰＵＣＣＨリソースの数が変わり得る、ことを特徴とする請求項１に記載の移動局装置。
【請求項３】
複数のセルを利用して複数のサブフレームにわたって移動局装置と通信する基地局装置であって、
送信したデータの前記移動局装置での受信に対するＡＣＫ／ＮＡＣＫをＰＵＣＣＨを使用して前記移動局装置から受信するに際し、複数のＰＵＣＣＨのリソースから前記ＡＣＫ／ＮＡＣＫの情報に応じて１個のリソースが選択され、前記選択されたリソースを使用して所定の送信電力で前記ＰＵＣＣＨが送信されるように前記移動局装置を設定し、
前記複数のサブフレームにおいて前記データの通信に使用されたセルの数に応じて、前記所定の送信電力に関連するパラメータの値が決定され、１つのセルでのみ前記データを送信された場合と２つ以上のセルで前記データを送信された場合とで異なる値を前記パラメータに設定される、ことを特徴とする基地局装置。
【請求項４】
少なくとも何れか１個の下りリンクサブフレームにおいてデータを送信したセルの数に応じて、リソースの選択に用いられる前記複数のＰＵＣＣＨリソースの数が変わり得る、ことを特徴とする請求項３に記載の基地局装置。
【請求項５】
複数のセルを利用して複数のサブフレームにわたって基地局装置と通信する移動局装置に用いられる通信方法であって、
前記基地局装置から送信されたデータの受信に対するＡＣＫ／ＮＡＣＫをＰＵＣＣＨを使用して前記基地局装置に送信するに際し、複数のＰＵＣＣＨのリソースから前記ＡＣＫ／ＮＡＣＫの情報に応じて１個のリソースを選択し、前記選択したリソースを使用して所定の送信電力で前記ＰＵＣＣＨを送信するように設定されている場合に、
前記複数のサブフレームにおいて前記データの通信に使用されたセルの数に応じて、前記所定の送信電力に関連するパラメータの値を決定し、１つのセルでのみ前記データを受信した場合と２つ以上のセルで前記データを受信した場合とで異なる値を前記パラメータに設定するステップと、を含むことを特徴とする通信方法。
【請求項６】
少なくとも何れか１個の下りリンクサブフレームにおいてデータを受信したセルの数に応じて、リソースの選択に用いられる前記複数のＰＵＣＣＨリソースの数が変わり得る、ことを特徴とする請求項５に記載の通信方法。
【請求項７】
複数のセルを利用して複数のサブフレームにわたって移動局装置と通信する基地局装置に用いられる通信方法であって、
送信したデータの前記移動局装置での受信に対するＡＣＫ／ＮＡＣＫをＰＵＣＣＨを使用して前記移動局装置から受信するに際し、複数のＰＵＣＣＨのリソースから前記ＡＣＫ／ＮＡＣＫの情報に応じて１個のリソースが選択され、前記選択されたリソースを使用して所定の受信電力で前記ＰＵＣＣＨが送信されるように前記移動局装置を設定するステップと、
前記複数のサブフレームにおいて前記データの通信に使用されたセルの数に応じて、前記所定の送信電力に関連するパラメータの値が決定され、１つのセルでのみ前記データを送信した場合と２つ以上のセルで前記データを送信した場合とで異なる値を前記パラメータに設定されている、ことを特徴とする通信方法。
【請求項８】
少なくとも何れか１個の下りリンクサブフレームにおいてデータを送信したセルの数に応じて、リソースの選択に用いられる前記複数のＰＵＣＣＨリソースの数が変わり得る、ことを特徴とする請求項７に記載の通信方法。
【請求項９】
複数のセルを利用して複数のサブフレームにわたって基地局装置と通信するように設定された移動局装置に実装されることにより、前記移動局装置に複数の機能を発揮させる集積回路であって、
前記基地局装置から送信されたデータの受信に対するＡＣＫ／ＮＡＣＫをＰＵＣＣＨを使用して前記基地局装置に送信するに際し、複数のＰＵＣＣＨのリソースから前記ＡＣＫ／ＮＡＣＫの情報に応じて１個のリソースを選択し、前記選択したリソースを使用して所定の送信電力で前記ＰＵＣＣＨを送信するように設定されている場合に、
前記複数のサブフレームにおいて前記データの通信に使用されたセルの数に応じて、前記所定の送信電力に関連するパラメータの値を決定し、１つのセルでのみ前記データを受信した場合と２つ以上のセルで前記データを受信した場合とで異なる値を前記パラメータに設定する機能を含む一連の機能を、前記移動局装置に発揮させる、集積回路。
【請求項１０】
少なくとも何れか１個の下りリンクサブフレームにおいてデータを受信したセルの数に応じて、リソースの選択に用いられる前記複数のＰＵＣＣＨリソースの数が変わり得る、ことを特徴とする請求項９に記載の集積回路。
【請求項１１】
複数のセルを利用して複数のサブフレームにわたって移動局装置と通信するように設定された基地局装置に実装されることにより、前記基地局装置に複数の機能を発揮させる集積回路であって、
送信したデータの前記移動局装置での受信に対するＡＣＫ／ＮＡＣＫをＰＵＣＣＨを使用して前記移動局装置から受信するに際し、複数のＰＵＣＣＨのリソースから前記ＡＣＫ／ＮＡＣＫの情報に応じて１個のリソースが選択され、前記選択されたリソースを使用して所定の受信電力で前記ＰＵＣＣＨが送信されるように前記移動局装置を設定する機能と、
前記複数のサブフレームにおいて前記データの通信に使用されたセルの数に応じて、前記所定の送信電力に関連するパラメータの値が決定され、１つのセルでのみ前記データを送信した場合と２つ以上のセルで前記データを送信した場合とで異なる値を前記パラメータに設定されること、を含む一連の機能を、前記基地局装置に発揮させる、集積回路。
【請求項１２】
少なくとも何れか１個の下りリンクサブフレームにおいてデータを送信したセルの数に応じて、リソースの選択に用いられる前記複数のＰＵＣＣＨリソースの数が変わり得る、ことを特徴とする請求項１１に記載の集積回路。
【発明の詳細な説明】
【技術分野】
【０００１】
本発明は、複数の移動局装置と基地局装置から構成される通信システムにおいて、上り
リンクの信号の送信電力を制御し、基地局装置が移動局装置から送信された上りリンクの
信号から情報を適切に取得することができる移動局装置、通信システム、通信方法および
集積回路に関する。
【背景技術】
【０００２】
セルラー移動通信の無線アクセス方式および無線ネットワークの進化（以下、「Long T
erm Evolution (LTE)」、または、「Evolved Universal Terrestrial Radio Access (EUT
RA)」と呼称する。）が、第三世代パートナーシッププロジェクト（3rd Generation Part
nership Project: 3GPP）において仕様化されている。ＬＴＥでは、基地局装置から移動
局装置への無線通信（下りリンク; DLと呼称する。）の通信方式として、マルチキャリア
送信である直交周波数分割多重（Orthogonal Frequency Division Multiplexing: OFDM）
方式が用いられる。また、ＬＴＥでは、移動局装置から基地局装置への無線通信（上りリ
ンク; ULと呼称する。）の通信方式として、シングルキャリア送信であるＳＣ−ＦＤＭＡ
（Single-Carrier Frequency Division Multiple Access）方式が用いられる。ＬＴＥで
は、ＳＣ−ＦＤＭＡ方式としてＤＦＴ−Ｓｐｒｅａｄ  ＯＦＤＭ（Discrete Fourier Tra
nsform-Spread OFDM）方式が用いられる。
【０００３】
３ＧＰＰでは、ＬＴＥより広帯域な周波数帯域を利用して、さらに高速なデータの通信
を実現する無線アクセス方式および無線ネットワーク（以下、「Long Term Evolution-Ad
vanced (LTE-A)」、または、「Advanced Evolved Universal Terrestrial Radio Access 
(A-EUTRA)」と呼称する。）が検討されている。ＬＴＥ−Ａでは、ＬＴＥとの後方互換性(
backward compatibility)を実現することが求められている。ＬＴＥ−Ａに対応した基地
局装置が、ＬＴＥ−Ａに対応した移動局装置およびＬＴＥに対応した移動局装置の両方の
移動局装置と同時に通信を行うこと、およびＬＴＥ−Ａに対応した移動局装置が、ＬＴＥ
−Ａに対応した基地局装置およびＬＴＥに対応した基地局装置と通信を行なうことを実現
することがＬＴＥ−Ａに対して要求される。その要求を実現するためにＬＴＥ−ＡではＬ
ＴＥと同一のチャネル構造を少なくともサポートすることが検討されている。チャネルと
は、信号の送信に用いられる媒体を意味する。物理層で用いられるチャネルは物理チャネ
ル、メディアアクセス（Media Access Control: MAC）層で用いられるチャネルは論理チ
ャネルと呼称する。物理チャネルの種類としては、下りリンクのデータおよび制御情報の
送受信に用いられる物理下りリンク共用チャネル（Physical Downlink Shared CHannel: 
PDSCH）、下りリンクの制御情報の送受信に用いられる物理下りリンク制御チャネル（Phy
sical Downlink Control CHannel: PDCCH）、上りリンクのデータおよび制御情報の送受
信に用いられる物理上りリンク共用チャネル（Physical Uplink Shared CHannel: PUSCH
）、制御情報の送受信に用いられる物理上りリンク制御チャネル（Physical Uplink Cont
rol CHannel: PUCCH）、下りリンクの同期確立のために用いられる同期チャネル（Synchr
onization CHannel: SCH）、上りリンクの同期確立のために用いられる物理ランダムアク
セスチャネル（Physical Random Access CHannel: PRACH）、下りリンクのシステム情報
の送信に用いられる物理報知チャネル（Physical Broadcast CHannel: PBCH）等がある。
移動局装置、または基地局装置は、制御情報、データなどから生成した信号を各物理チャ
ネルに配置して、送信する。物理下りリンク共用チャネル、または物理上りリンク共用チ
ャネルで送信されるデータは、トランスポートブロックと呼称する。
【０００４】
物理上りリンク制御チャネルに配置される制御情報は、上りリンク制御情報（Uplink C
ontrol Information: UCI）と呼称する。上りリンク制御情報は、受信された物理下りリ
ンク共用チャネルに配置されたデータに対する肯定応答（Acknowledgement: ACK）または
否定応答（Negative Acknowledgement: NACK）を示す制御情報（受信確認応答; ACK/NACK
）、または上りリンクのリソースの割り当ての要求を示す制御情報（Scheduling Request
: SR）、または下りリンクの受信品質（チャネル品質とも呼称する）を示す制御情報（Ch
annel Quality Indicator: CQI）である。
【０００５】
ＬＴＥ−Ａでは、ＬＴＥと同一のチャネル構造の周波数帯域（以下、「コンポーネント
キャリア（Component Carrier: CC）」と呼称する。要素周波数帯域とも呼称する。）を
複数用いて、１つの周波数帯域（広帯域な周波数帯域）として使用する技術（周波数帯域
集約; Spectrum aggregation、キャリアアグリゲーション; Carrier aggregation、Frequ
ency aggregation等とも呼称する。）が検討されている。具体的には、キャリアアグリゲ
ーションを用いた通信では、下りリンクのコンポーネントキャリア（以降、下りリンクコ
ンポーネントキャリア; DL CCと呼称する。）毎に、下りリンクの物理チャネルが送受信
され、上りリンクのコンポーネントキャリア（以降、上りリンクコンポーネントキャリア
; UL CCと呼称する。）毎に上りリンクの物理チャネルが送受信される。つまり、キャリ
アアグリゲーションは、上りリンクと下りリンクにおいて、基地局装置と移動局装置が複
数のコンポーネントキャリアを用いて複数の物理チャネルで信号を同時に送受信する技術
である。
【０００６】
ＬＴＥ−Ａでは、基地局装置が任意の１つの周波数帯域を用いて通信する形態のことを
「セル（Cell）」と呼称する。キャリアアグリゲーションは、複数の周波数帯域を用いた
複数のセルによる通信であり、セルアグリゲーション（Cell aggregation）とも呼称する
。セルアグリゲーションでは、複数のセルが異なる２種類のセルとして定義され、１つの
セルがプライマリセル（Primary Cell, Pcell）と定義され、その他のセルがセカンダリ
セル（Secondary Cell, Scell）と定義される。基地局装置は、セルアグリゲーションを
用いる各移動局装置に対してプライマリセルとセカンダリセルの設定を独立に行う。プラ
イマリセルは、必ず１つの下りリンクコンポーネントキャリアと１つの上りリンクコンポ
ーネントキャリアのセット（組み合わせ）から構成される。セカンダリセルは、少なくと
も１つの下りリンクコンポーネントキャリアから構成され、上りリンクコンポーネントキ
ャリアが構成される場合と構成されない場合がある。プライマリセルで用いられるコンポ
ーネントキャリアのことを、プライマリコンポーネントキャリア（Primary CC, PCC）と
呼称する。セカンダリセルで用いられるコンポーネントキャリアのことを、セカンダリコ
ンポーネントキャリア（Secondary CC, SCC）と呼称する。プライマリセルおよびセカン
ダリセルにおいて、物理下りリンク共用チャネルおよび物理上りリンク共用チャネルを用
いたデータ通信は共通して行なわれるが、その他の各種処理が異なって行われる。簡単に
説明すると、複数の処理がプライマリセルのみで行われ、セカンダリセルでは行われない
。例えば、プライマリセルでは、下りリンクにおいてシステム情報の取得、無線品質不足
（RLF: Radio Link Failure）の判断などが行われ、上りリンクにおいて物理ランダムア
クセスチャネルを用いたランダムアクセス手順の実行、物理上りリンク制御チャネルを用
いた上りリンク制御情報の送受信などが行われる。基本的に、セルアグリゲーションを用
いないＬＴＥで行われる処理の全てがプライマリセルで行われ、データ通信以外の複数の
処理がセカンダリセルでは行われない。
【０００７】
移動局装置は、物理下りリンク共用チャネルを用いて受信されたデータに対する肯定応
答または否定応答を示す制御情報（受信確認応答）を物理上りリンク制御チャネルを用い
て送信する。基地局装置は、移動局装置から受信した受信確認応答に基づいて物理下りリ
ンク共用チャネルを用いて移動局装置へ送信したデータの再送制御を行なう。セルアグリ
ゲーションを用いたＬＴＥ−Ａでは、基地局装置は移動局装置に対して同時に複数の物理
下りリンク共用チャネルを用いてデータを送信することができる。セルアグリゲーション
を用いて複数の物理下りリンク共用チャネルを受信する移動局装置は、複数の受信確認応
答を基地局装置に同時に通知する必要がある。ＬＴＥでは、基地局装置は移動局装置に対
して同時に１個の物理下りリンク共用チャネルのみを用いてしかデータを送信することは
できず、１個の物理下りリンク共用チャネルを受信した移動局装置は、物理上りリンク制
御チャネルを用いて基地局装置に１個の受信確認応答を通知する。ＬＴＥ−Ａでは、移動
局装置が複数の受信確認応答を基地局装置に送信するために、新たな送信方法が検討され
ている（非特許文献１）。移動局装置が、複数の受信確認応答の情報に応じて信号の送信
に用いる物理上りリンク制御チャネルのリソースを複数の物理上りリンク制御チャネルの
候補リソースから選択することにより暗黙的に受信確認応答の情報を示すことと共に、移
動局装置が、選択したリソースの物理上りリンク制御チャネルで変調した信号を送信する
ことにより明示的に受信確認応答の情報を示すことを併用した送信方法（ACK/NACK chann
el selection、PUCCH format 1b with channel selection）が新たな送信方法として検討
されている。なお、移動局装置は、物理上りリンク制御チャネルのリソースの選択に用い
られる候補リソースを、検出した物理下りリンク制御チャネルに基づき判断する。
【０００８】
ＬＴＥでは、受信確認応答の送信に用いられる物理上りリンク制御チャネルのリソース
の割り当ては、物理下りリンク制御チャネルに用いられるリソースに基づいて暗黙的に行
われる。このようなリソース割り当ては、暗黙的なリソース割り当てと呼称する。暗黙的
なリソース割り当てとは、リソースを割り当てるためだけの情報を用いず、その他の情報
を流用してリソースの割り当てが行なわれることを意味する。一方、明示的なリソース割
り当てとは、リソースを割り当てるためだけの情報が用いられて、リソースの割り当てが
行なわれることを意味する。物理下りリンク制御チャネルは、複数の制御チャネルエレメ
ント（CCE: Control Channel Element）により構成される。制御チャネルエレメントは、
物理下りリンク制御チャネルに用いられるリソースの単位である。受信確認応答の送信に
用いられる物理上りリンク制御チャネルのリソースは、制御チャネルエレメントと予め対
応付けられる。基地局装置と移動局装置間で用いられるＣＣＥには、ＣＣＥを識別するた
めの番号が付与されている。ＣＣＥの番号付けは、予め決められた規則に基づいて行なわ
れる。
【０００９】
物理下りリンク制御チャネルは、複数のＣＣＥからなる集合（CCE Aggregation）によ
り構成される。この集合を構成するＣＣＥの数を、以下、「ＣＣＥ集合数」（CCE aggreg
ation number）と呼称する。物理下りリンク制御チャネルを構成するＣＣＥ  ａｇｇｒｅ
ｇａｔｉｏｎ  ｎｕｍｂｅｒは、物理下りリンク制御チャネルに設定される符号化率、物
理下りリンク制御チャネルに含められる制御情報のビット数に応じて基地局装置において
設定される。例えば、基地局装置は、１個のＣＣＥを用いて物理下りリンク制御チャネル
を構成したり、２個のＣＣＥを用いて物理下りリンク制御チャネルを構成したり、４個の
ＣＣＥを用いて物理下りリンク制御チャネルを構成したり、８個のＣＣＥを用いて物理下
りリンク制御チャネルを構成したりする。例えば、基地局装置はチャネル品質の良い移動
局装置に対してはＣＣＥの数が少ない物理下りリンク制御チャネルを用い、チャネル品質
の悪い移動局装置に対してはＣＣＥの数が多い物理下りリンク制御チャネルを用いる。ま
た、例えば、基地局装置はビット数の少ない制御情報を送信する場合、ＣＣＥの数が少な
い物理下りリンク制御チャネルを用い、ビット数の多い制御情報を送信する場合、ＣＣＥ
の数が多い物理下りリンク制御チャネルを用いる。
【００１０】
受信確認応答の送信に用いられる物理上りリンク制御チャネルは、周波数領域および時
間領域において定義されるリソースである物理リソースブロック、周波数領域の符号、時
間領域の符号の三次元のリソースにより構成される。通信システムにおいて受信確認応答
の送信に用いられる物理上りリンク制御チャネルの各リソースの組み合わせに対して、予
め決められた規則に基づいて各リソースの組み合わせを識別するための番号が付与されて
いる。
【００１１】
例えば、ＣＣＥの番号と受信確認応答の送信に用いられる物理上りリンク制御チャネル
のリソースの番号が予め対応付けられ、同じ番号のＣＣＥと物理上りリンク制御チャネル
のリソースが対応付けられる。移動局装置は、自装置宛ての制御情報を検出した物理下り
リンク制御チャネルに用いられるＣＣＥの中で最も番号の小さいＣＣＥと対応する番号の
物理上りリンク制御チャネルのリソースを用いて、その物理下りリンク制御チャネルによ
ってリソースの割り当てが示される物理下りリンク共用チャネルのデータに対する受信確
認応答を送信する。基地局装置は、ＣＣＥの番号と受信確認応答の送信に用いられる物理
上りリンク制御チャネルのリソースの番号との対応付けを移動局装置と同様に認識してお
り、移動局装置に割り当てる物理上りリンク制御チャネルのリソースを考慮して物理下り
リンク制御チャネルに用いるＣＣＥを割り当てる。つまり、移動局装置は、自装置宛ての
制御情報を検出した物理下りリンク制御チャネルに用いられるＣＣＥに基づき、自装置に
割り当てられた受信確認応答の送信に用いられる物理上りリンク制御チャネルのリソース
を認識する。
【００１２】
セルアグリゲーションを用いたＬＴＥ−Ａでは、受信確認応答に関して、新たな送信方
法に対する物理上りリンク制御チャネルの候補リソースの割り当て方法について検討が行
われている（非特許文献２）。ＡＣＫ／ＮＡＣＫ  ｃｈａｎｎｅｌ  ｓｅｌｅｃｔｉｏｎ
を用いて受信確認応答を送信する場合の、物理上りリンク制御チャネルのリソースの選択
に用いられる候補リソースの割り当てについて説明する。プライマリセルで物理下りリン
ク制御チャネルが送信される場合、ＬＴＥと同様に、物理下りリンク制御チャネルのＣＣ
Ｅと対応付けられた物理上りリンク制御チャネルのリソースが候補リソースとして暗黙的
に移動局装置に割り当てられる。プライマリセルで物理下りリンク制御チャネルが送信さ
れる場合、その物理下りリンク制御チャネルに含まれるリソースの割り当ての情報は、プ
ライマリセル、またはセカンダリセルの物理下りリンク共用チャネルのリソースを示す。
【００１３】
セカンダリセルで物理下りリンク制御チャネルが送信される場合、ＬＴＥとは異なり、
所定のシグナリングを用いて物理上りリンク制御チャネルのリソースが候補リソースとし
て明示的に移動局装置に割り当てられる。所定のシグナリングとして、ＲＲＣ（Radio Re
source Control）シグナリングを用いて物理上りリンク制御チャネルの候補リソースが明
示的に割り当てられる方法と、物理下りリンク制御チャネルの制御情報を用いて物理上り
リンク制御チャネルの候補リソースが明示的に割り当てられる方法が検討されている。Ｒ
ＲＣシグナリングを用いて物理上りリンク制御チャネルの候補リソースが明示的に割り当
てられる方法では、セルアグリゲーションを用いてデータ通信を開始する前に、予め物理
上りリンク制御チャネルの候補リソースが移動局装置に対して割り当てられており、移動
局装置はセカンダリセルで物理下りリンク制御チャネルを検出した場合、言い換えるとセ
カンダリセルで物理下りリンク制御チャネルが送信されたと認識した場合、暗黙的に受信
確認応答の情報を示すために行う物理上りリンク制御チャネルの選択に用いる候補リソー
スとして、ＲＲＣシグナリングで予め割り当てられた物理上りリンク制御チャネルのリソ
ースを用いる。物理下りリンク制御チャネルの制御情報を用いて物理上りリンク制御チャ
ネルの候補リソースが明示的に割り当てられる方法では、移動局装置はセカンダリセルで
物理下りリンク制御チャネルを検出した場合、暗黙的に受信確認応答の情報を示すために
行う物理上りリンク制御チャネルの選択に用いる候補リソースとして、セカンダリセルで
検出した物理下りリンク制御チャネルの制御情報で示される物理上りリンク制御チャネル
のリソースを用いる。なお、物理下りリンク制御チャネルの制御情報で物理上りリンク制
御チャネルの候補リソースが明示的に割り当てられる方法では、ＲＲＣシグナリングで物
理上りリンク制御チャネルの複数の候補リソースの候補が予め移動局装置に対して割り当
てられ、物理下りリンク制御チャネルの制御情報を用いてＲＲＣシグナリングで設定され
た複数の候補リソースの候補の中から１つのリソースが示される。
【００１４】
なお、物理下りリンク制御チャネルに含まれる、物理上りリンク制御チャネルの候補リ
ソースを示す制御情報は、通常はその他の目的に使用される制御情報が流用されてもよい
。ここで、制御情報が流用されるということは、制御情報フィールドが第一の場合は第一
の制御情報として解釈され、第二の場合は第二の制御情報として解釈され、第一の場合と
第二の場合は異なり、第一の制御情報と第二の制御情報は異なるということである。例え
ば、物理下りリンク制御チャネルがプライマリセルで送信される場合は、物理上りリンク
制御チャネルの送信電力制御値を示す制御情報として解釈される制御情報フィールドが、
物理下りリンク制御チャネルがセカンダリセルで送信される場合は、暗黙的に受信確認応
答の情報を示すために行う物理上りリンク制御チャネルの選択に用いる候補リソースを示
す制御情報として解釈されてもよい。
【００１５】
ＬＴＥ−Ａでは、受信確認応答を送信する場合、複数の物理下りリンク共用チャネルで
受信したトランスポートブロックの数に応じて送信電力を線形的に制御することが検討さ
れている。
【００１６】
また、ＬＴＥ−Ａでは、ＡＣＫ／ＮＡＣＫ  ｃｈａｎｎｅｌ  ｓｅｌｅｃｔｉｏｎにＴ
ｉｍｅ  ｄｏｍａｉｎ  ｂｕｎｄｌｉｎｇを適用することが検討されている（非特許文献
３）。ＴＤＤでは、移動局装置は、下りリンクの複数のサブフレームの物理下りリンク共
用チャネルを用いて受信したデータに対する受信確認応答を上りリンクの単一のサブフレ
ームで送信する。ここで、移動局装置が複数のサブフレームで受信されたデータに対する
複数の受信確認応答に対して論理積演算を実行することをＴｉｍｅ  ｄｏｍａｉｎ  ｂｕ
ｎｄｌｉｎｇと呼称する。ＡＣＫ／ＮＡＣＫ  Ｂｕｎｄｌｉｎｇとは、移動局装置が複数
の受信確認応答に対して論理積演算を実行することによって、演算の実行前と比較して少
ないビット数（例えば、１ビット）の情報を生成する処理を意味する。例えば、移動局装
置は、複数の受信確認応答が全て肯定応答である場合には、論理積演算の結果として１つ
の肯定応答を生成し、基地局装置へ送信する。また、例えば、移動局装置は、複数の受信
確認応答の中に少なくとも１つの否定応答が含まれる場合には、論理積演算の結果として
１つの否定応答を生成し、基地局装置へ送信する。
【００１７】
移動局装置は下りリンクの複数のサブフレームのデータに対する受信確認応答に対して
論理積演算を実行した受信確認応答を物理上りリンク制御チャネルで基地局装置に対して
送信する。セルアグリゲーションを用いた移動局装置は、各セルの複数のサブフレームの
データに対する受信確認応答に対してＴｉｍｅ  ｄｏｍａｉｎ  ｂｕｎｄｌｉｎｇを適用
し、複数のセルの論理積演算を実行した複数の受信確認応答の情報に応じて信号の送信に
用いる物理上りリンク制御チャネルのリソースの選択を行ない、選択したリソースを用い
て変調した信号を送信する。
【００１８】
なお、移動局装置は、物理上りリンク制御チャネルのリソースの選択に用いる候補リソ
ースを、各セルで最後にデータが割り当てられたサブフレームで検出した物理下りリンク
制御チャネルに基づき判断する。移動局装置は、候補リソースが暗黙的に割り当てられる
セルに対しては、そのセルでデータが最後に割り当てられたサブフレームで検出された、
このデータ対応する物理下りリンク制御チャネルに用いられたＣＣＥに対応付けられたリ
ソースを候補リソースとして判断し、そのリソースを物理上りリンク制御チャネルのリソ
ースの選択処理に用いる。移動局装置は、候補リソースが明示的に割り当てられるセルに
対しては、そのセルでデータが最後に割り当てられたサブフレームで検出された、このデ
ータに対応する物理下りリンク制御チャネルの制御情報で示されるリソースを候補リソー
スとして判断し、そのリソースを物理上りリンク制御チャネルのリソースの選択処理に用
いる。または、移動局装置は、候補リソースが明示的に割り当てられるセルに対しては、
そのセルでデータが最後に割り当てられたサブフレームで検出された、このデータに対応
する物理下りリンク制御チャネルにＲＲＣシグナリングで予め割り当てられたリソースを
候補リソースとして判断し、そのリソースを物理上りリンク制御チャネルのリソースの選
択処理に用いる。
【００１９】
また、ＬＴＥ−Ａでは、ＡＣＫ／ＮＡＣＫ  ｃｈａｎｎｅｌ  ｓｅｌｅｃｔｉｏｎにＳ
ｐａｔｉａｌ  ｂｕｎｄｌｉｎｇを適用することが検討されている。ＬＴＥ−Ａでは、基
地局装置は物理下りリンク共用チャネルに対してＭＩＭＯ（Multi-Input Multi-Output）
の空間多重を適用し、１つの物理下りリンク共用チャネルで複数のデータを空間多重し、
空間多重した複数のデータを含む信号を移動局装置に送信することが検討されている。移
動局装置は、空間多重が適用された物理下りリンク共用チャネルの複数のデータに対する
受信確認応答を上りリンクで送信する。ここで、移動局装置が同一の物理下りリンク共用
チャネルで受信されたデータに対する複数の受信確認応答に対して論理積演算を実行する
ことをＳｐａｔｉａｌ  ｂｕｎｄｌｉｎｇと呼称する。移動局装置は論理積演算を実行し
た受信確認応答を物理上りリンク制御チャネルで基地局装置に対して送信する。
【先行技術文献】
【非特許文献】
【００２０】
【非特許文献１】3GPP TSG RAN1 #62、Madrid、Spain、23-27、August、2010、R1-105016“PUCCH A/N formats for Rel-10”
【非特許文献２】3GPP TSG RAN1 #62、Madrid、Spain、23-27、August、2010、R1-105040“Way Forward on PUCCH Resource Allocation”
【非特許文献３】3GPP TSG RAN1 #63、Jacksonville、USA、15-19、November、2010、R1-106487“WF on TDD Ack/Nack in Rel-10”
【発明の概要】
【発明が解決しようとする課題】
【００２１】
ＡＣＫ／ＮＡＣＫ  ｃｈａｎｎｅｌ  ｓｅｌｅｃｔｉｏｎのみが適用される場合と同様
に、ＡＣＫ／ＮＡＣＫ  ｃｈａｎｎｅｌ  ｓｅｌｅｃｔｉｏｎにＴｉｍｅ  ｄｏｍａｉｎ
ｂｕｎｄｌｉｎｇ、Ｓｐａｔｉａｌ  ｂｕｎｄｌｉｎｇが適用される場合においても、
受信確認応答の送受信に関して適した品質が実現される必要がある。受信確認応答の情報
に適した品質が実現されない場合、基地局装置は受信確認応答の情報を適切に取得するこ
とができない。基地局装置が、実際は肯定応答を示す受信確認応答を否定応答であると間
違って判断した場合、物理下りリンク共用チャネルの不必要な再送を引き起こし、通信シ
ステムの効率が劣化する。また、基地局装置が、実際は否定応答を示す受信確認応答を肯
定応答であると間違って判断した場合、上位層で再送が発生し、適切にデータが移動局装
置に受信されるまでに遅延が生じ、適切なデータ通信が実現できない。ＡＣＫ／ＮＡＣＫ
ｃｈａｎｎｅｌ  ｓｅｌｅｃｔｉｏｎにＴｉｍｅ  ｄｏｍａｉｎ  ｂｕｎｄｌｉｎｇ、
Ｓｐａｔｉａｌ  ｂｕｎｄｌｉｎｇが適用される場合においても、ＡＣＫ／ＮＡＣＫ  ｃ
ｈａｎｎｅｌ  ｓｅｌｅｃｔｉｏｎのみが適用される場合と同様に受信したトランスポー
トブロックの数に応じて送信電力を線形的に制御すると、不必要に高い送信電力が用いら
れ、干渉の増大を引き起こし、通信システムの効率が劣化する可能性があるという問題が
あった。
【００２２】
本発明は上記の点に鑑みてなされたものであり、その目的は、複数の移動局装置と基地
局装置から構成される通信システムにおいて、上りリンクの信号の送信電力を制御し、基
地局装置が移動局装置から送信された上りリンクの信号から情報を適切に取得することが
できる移動局装置、通信システム、通信方法および集積回路に関する。
【課題を解決するための手段】
【００２３】
（１）上記の目的を達成するために、本発明は、以下のような手段を講じた。すなわち
、本発明の移動局装置は、基地局装置に信号を送信する移動局装置であって、複数の周波
数領域および複数の時間領域において前記基地局装置から受信した下りリンクのデータに
対する第一の受信確認応答を生成する第一の受信確認応答生成部と、複数の前記第一の受
信確認応答に対して論理演算を実行し、第二の受信確認応答を生成する第二の受信確認応
答生成部と、複数の前記第二の受信確認応答に基づき前記第二の受信確認応答の内容を示
す信号を配置するリソースを選択するリソース選択部と、前記リソース選択部でリソース
の選択に用いられる候補リソースの数に応じて送信電力制御し、前記リソース選択部で選
択されたリソースを用いて前記第二の受信確認応答の内容を示す信号を送信する送信部と
、を有することを特徴とする。
【００２４】
このように、ＡＣＫ／ＮＡＣＫ  ｃｈａｎｎｅｌ  ｓｅｌｅｃｔｉｏｎのリソースの選
択に用いられる候補リソースの数に応じて送信電力に関連するパラメータの値を設定し、
設定された値のパラメータを用いて複数の第二の受信確認応答の内容から生成される信号
の送信に用いられるＰＵＣＣＨの送信電力を制御して、ＰＵＣＣＨを送信することにより
、不必要に高い送信電力が用いられことを回避して、干渉の増大を引き起こすことを回避
することができ、基地局装置は受信したＰＵＣＣＨから適した受信特性で複数の第二の受
信確認応答の情報を得ることができる。
【００２５】
（２）また、本発明の移動局装置において、前記第二の受信確認応答生成部は、同一の
周波数領域であって、複数の時間領域の複数の下りリンクのデータに対する複数の前記第
一の受信確認応答に対して論理演算を実行することを特徴とする。
【００２６】
このように、ＡＣＫ／ＮＡＣＫ  ｃｈａｎｎｅｌ  ｓｅｌｅｃｔｉｏｎとＴｉｍｅ  ｄ
ｏｍａｉｎ  ｂｕｎｄｌｉｎｇが実行される場合において、ＡＣＫ／ＮＡＣＫ  ｃｈａｎ
ｎｅｌ  ｓｅｌｅｃｔｉｏｎのリソースの選択に用いられる候補リソースの数に応じて送
信電力に関連するパラメータの値を設定し、設定された値のパラメータを用いて複数の第
二の受信確認応答の内容から生成される信号の送信に用いられるＰＵＣＣＨの送信電力を
制御して、ＰＵＣＣＨを送信することにより、不必要に高い送信電力が用いられことを回
避して、干渉の増大を引き起こすことを回避することができ、基地局装置は受信したＰＵ
ＣＣＨから適した受信特性で複数の第二の受信確認応答の情報を得ることができる。
【００２７】
（３）また、本発明の移動局装置において、前記第二の受信確認応答生成部は、同一の
周波数領域および同一の時間領域の複数の下りリンクのデータに対する複数の前記第一の
受信確認応答に対して論理演算を実行することを特徴とする。
【００２８】
このように、ＡＣＫ／ＮＡＣＫ  ｃｈａｎｎｅｌ  ｓｅｌｅｃｔｉｏｎとＳｐａｔｉａ
ｌ  ｂｕｎｄｌｉｎｇが実行される場合において、ＡＣＫ／ＮＡＣＫ  ｃｈａｎｎｅｌ  
ｓｅｌｅｃｔｉｏｎのリソースの選択に用いられる候補リソースの数に応じて送信電力に
関連するパラメータの値を設定し、設定された値のパラメータを用いて複数の第二の受信
確認応答の内容から生成される信号の送信に用いられるＰＵＣＣＨの送信電力を制御して
、ＰＵＣＣＨを送信することにより、不必要に高い送信電力が用いられことを回避して、
干渉の増大を引き起こすことを回避することができ、基地局装置は受信したＰＵＣＣＨか
ら適した受信特性で複数の第二の受信確認応答の情報を得ることができる。
【００２９】
（４）また、本発明の移動局装置は、基地局装置に信号を送信する移動局装置であって
、複数の周波数領域および複数の時間領域において前記基地局装置から受信した下りリン
クのデータに対する第一の受信確認応答を生成する第一の受信確認応答生成部と、同一の
周波数領域および同一の時間領域の複数の下りリンクのデータに対する複数の前記第一の
受信確認応答に対して論理演算を実行し、第二の受信確認応答を生成する第二の受信確認
応答生成部と、複数の前記第二の受信確認応答に基づき前記第二の受信確認応答の内容を
示す信号を配置するリソースを選択するリソース選択部と、前記第二の受信確認応答の数
に応じて送信電力制御し、前記リソース選択部で選択されたリソースを用いて前記第二の
受信確認応答の内容を示す信号を送信する送信部と、を有することを特徴とする。
【００３０】
このように、ＡＣＫ／ＮＡＣＫ  ｃｈａｎｎｅｌ  ｓｅｌｅｃｔｉｏｎとＴｉｍｅ  ｄ
ｏｍａｉｎ  ｂｕｎｄｌｉｎｇが実行される場合において、複数のコンポーネントキャリ
ア（セル）内において生成される第二の受信確認応答の数に応じて送信電力に関連するパ
ラメータの値を設定し、設定された値のパラメータを用いて複数の第二の受信確認応答の
内容から生成される信号の送信に用いられるＰＵＣＣＨの送信電力を制御して、ＰＵＣＣ
Ｈを送信することにより、不必要に高い送信電力が用いられことを回避して、干渉の増大
を引き起こすことを回避することができ、基地局装置は受信した上りリンクの信号から適
した受信特性で情報を得ることができる。
【００３１】
（５）また、本発明の通信システムは、複数の移動局装置および前記複数の移動局装置
と通信を行う基地局装置から構成される通信システムであって、前記基地局装置は、前記
移動局装置から送信された信号を受信する受信部を有し、前記移動局装置は、複数の周波
数領域および複数の時間領域において前記基地局装置から受信した下りリンクのデータに
対する第一の受信確認応答を生成する第一の受信確認応答生成部と、複数の前記第一の受
信確認応答に対して論理演算を実行し、第二の受信確認応答を生成する第二の受信確認応
答生成部と、複数の前記第二の受信確認応答に基づき前記第二の受信確認応答の内容を示
す信号を配置するリソースを選択するリソース選択部と、前記リソース選択部でリソース
の選択に用いられる候補リソースの数に応じて送信電力制御し、前記リソース選択部で選
択されたリソースを用いて前記第二の受信確認応答の内容を示す信号を送信する送信部と
、を有することを特徴とする。
【００３２】
このように、ＡＣＫ／ＮＡＣＫ  ｃｈａｎｎｅｌ  ｓｅｌｅｃｔｉｏｎのリソースの選
択に用いられる候補リソースの数に応じて送信電力に関連するパラメータの値を設定し、
設定された値のパラメータを用いて複数の第二の受信確認応答の内容から生成される信号
の送信に用いられるＰＵＣＣＨの送信電力を制御して、ＰＵＣＣＨを送信することにより
、不必要に高い送信電力が用いられことを回避して、干渉の増大を引き起こすことを回避
することができ、基地局装置は受信したＰＵＣＣＨから適した受信特性で複数の第二の受
信確認応答の情報を得ることができる。
【００３３】
（６）また、本発明の通信システムは、複数の移動局装置および前記複数の移動局装置
と通信を行う基地局装置から構成される通信システムであって、前記基地局装置は、前記
移動局装置から送信された信号を受信する受信部を有し、前記移動局装置は、複数の周波
数領域および複数の時間領域において前記基地局装置から受信した下りリンクのデータに
対する第一の受信確認応答を生成する第一の受信確認応答生成部と、同一の周波数領域お
よび同一の時間領域の複数の下りリンクのデータに対する複数の前記第一の受信確認応答
に対して論理演算を実行し、第二の受信確認応答を生成する第二の受信確認応答生成部と
、複数の前記第二の受信確認応答に基づき前記第二の受信確認応答の内容を示す信号を配
置するリソースを選択するリソース選択部と、前記第二の受信確認応答の数に応じて送信
電力に関連するパラメータの値を設定するパラメータ設定部と、前記第二の受信確認応答
の内容を示す信号の送信電力を前記パラメータ設定部で設定された値のパラメータを用い
て制御し、前記リソース選択部で選択されたリソースを用いて前記第二の受信確認応答の
内容を示す信号を送信する送信部と、を有することを特徴とする。
【００３４】
このように、ＡＣＫ／ＮＡＣＫ  ｃｈａｎｎｅｌ  ｓｅｌｅｃｔｉｏｎとＴｉｍｅ  ｄ
ｏｍａｉｎ  ｂｕｎｄｌｉｎｇが実行される場合において、複数のコンポーネントキャリ
ア（セル）内において生成される第二の受信確認応答の数に応じて送信電力に関連するパ
ラメータの値を設定し、設定された値のパラメータを用いて複数の第二の受信確認応答の
内容から生成される信号の送信に用いられるＰＵＣＣＨの送信電力を制御して、ＰＵＣＣ
Ｈを送信することにより、不必要に高い送信電力が用いられことを回避して、干渉の増大
を引き起こすことを回避することができ、基地局装置は受信した上りリンクの信号から適
した受信特性で情報を得ることができる。
【００３５】
（７）また、本発明の通信方法は、基地局装置に信号を送信する移動局装置に用いられ
る通信方法において、複数の周波数領域および複数の時間領域において前記基地局装置か
ら受信した下りリンクのデータに対する第一の受信確認応答を生成するステップと、複数
の前記第一の受信確認応答に対して論理演算を実行し、第二の受信確認応答を生成するス
テップと、複数の前記第二の受信確認応答に基づき前記第二の受信確認応答の内容を示す
信号を配置するリソースを選択するステップと、リソースの選択に用いられる候補リソー
スの数に応じて送信電力を制御し、選択されたリソースを用いて前記第二の受信確認応答
の内容を示す信号を送信するステップと、を少なくとも含むことを特徴とする。
【００３６】
このように、ＡＣＫ／ＮＡＣＫ  ｃｈａｎｎｅｌ  ｓｅｌｅｃｔｉｏｎのリソースの選
択に用いられる候補リソースの数に応じて送信電力に関連するパラメータの値を設定し、
設定された値のパラメータを用いて複数の第二の受信確認応答の内容から生成される信号
の送信に用いられるＰＵＣＣＨの送信電力を制御して、ＰＵＣＣＨを送信することにより
、不必要に高い送信電力が用いられことを回避して、干渉の増大を引き起こすことを回避
することができ、基地局装置は受信したＰＵＣＣＨから適した受信特性で複数の第二の受
信確認応答の情報を得ることができる。
【００３７】
（８）また、本発明の通信方法は、基地局装置に信号を送信する移動局装置に用いられ
る通信方法において、複数の周波数領域および複数の時間領域において前記基地局装置か
ら受信した下りリンクのデータに対する第一の受信確認応答を生成するステップと、同一
の周波数領域および同一の時間領域の複数の下りリンクのデータに対する複数の前記第一
の受信確認応答に対して論理演算を実行し、第二の受信確認応答を生成するステップと、
複数の前記第二の受信確認応答に基づき前記第二の受信確認応答の内容を示す信号を配置
するリソースを選択するステップと、生成された前記第二の受信確認応答の数に応じて送
信電力を制御し、選択されたリソースを用いて前記第二の受信確認応答の内容を示す信号
を送信するステップと、を少なくとも含むことを特徴とする。
【００３８】
このように、ＡＣＫ／ＮＡＣＫ  ｃｈａｎｎｅｌ  ｓｅｌｅｃｔｉｏｎとＴｉｍｅ  ｄ
ｏｍａｉｎ  ｂｕｎｄｌｉｎｇが実行される場合において、複数のコンポーネントキャリ
ア（セル）内において生成される第二の受信確認応答の数に応じて送信電力に関連するパ
ラメータの値を設定し、設定された値のパラメータを用いて複数の第二の受信確認応答の
内容から生成される信号の送信に用いられるＰＵＣＣＨの送信電力を制御して、ＰＵＣＣ
Ｈを送信することにより、不必要に高い送信電力が用いられことを回避して、干渉の増大
を引き起こすことを回避することができ、基地局装置は受信した上りリンクの信号から適
した受信特性で情報を得ることができる。
【００３９】
（９）また、本発明の集積回路は、移動局装置に実装されることにより、前記移動局装
置に複数の機能を発揮させる集積回路であって、複数の周波数領域および複数の時間領域
において基地局装置から受信した下りリンクのデータに対する肯定応答、または否定応答
を示す第一の受信確認応答を生成する機能と、複数の前記第一の受信確認応答に対して論
理演算を実行し、第二の受信確認応答を生成する機能と、複数の前記第二の受信確認応答
に基づき前記第二の受信確認応答の内容を示す信号を配置するリソースを選択する機能と
、リソースの選択に用いられる候補リソースの数に応じて送信電力を制御し、選択された
リソースを用いて前記第二の受信確認応答の内容を示す信号を送信する機能と、を含む一
連の機能を、前記移動局装置に発揮させることを特徴とする。
【００４０】
このように、ＡＣＫ／ＮＡＣＫ  ｃｈａｎｎｅｌ  ｓｅｌｅｃｔｉｏｎのリソースの選
択に用いられる候補リソースの数に応じて送信電力に関連するパラメータの値を設定し、
設定された値のパラメータを用いて複数の第二の受信確認応答の内容から生成される信号
の送信に用いられるＰＵＣＣＨの送信電力を制御して、ＰＵＣＣＨを送信することにより
、不必要に高い送信電力が用いられことを回避して、干渉の増大を引き起こすことを回避
することができ、基地局装置は受信したＰＵＣＣＨから適した受信特性で複数の第二の受
信確認応答の情報を得ることができる。
【００４１】
（１０）また、本発明の集積回路は、移動局装置に実装されることにより、前記移動局
装置に複数の機能を発揮させる集積回路であって、複数の周波数領域および複数の時間領
域において基地局装置から受信した下りリンクのデータに対する第一の受信確認応答を生
成する機能と、同一の周波数領域および同一の時間領域の複数の下りリンクのデータに対
する複数の前記第一の受信確認応答に対して論理演算を実行し、第二の受信確認応答を生
成する機能と、複数の前記第二の受信確認応答に基づき前記第二の受信確認応答の内容を
示す信号を配置するリソースを選択する機能と、前記第二の受信確認応答の数に応じて送
信電力を制御し、選択されたリソースを用いて前記第二の受信確認応答の内容を示す信号
を送信する機能と、を含む一連の機能を、前記移動局装置に発揮させることを特徴とする
。
【００４２】
このように、ＡＣＫ／ＮＡＣＫ  ｃｈａｎｎｅｌ  ｓｅｌｅｃｔｉｏｎとＴｉｍｅ  ｄ
ｏｍａｉｎ  ｂｕｎｄｌｉｎｇが実行される場合において、複数のコンポーネントキャリ
ア（セル）内において生成される第二の受信確認応答の数に応じて送信電力に関連するパ
ラメータの値を設定し、設定された値のパラメータを用いて複数の第二の受信確認応答の
内容から生成される信号の送信に用いられるＰＵＣＣＨの送信電力を制御して、ＰＵＣＣ
Ｈを送信することにより、不必要に高い送信電力が用いられことを回避して、干渉の増大
を引き起こすことを回避することができ、基地局装置は受信した上りリンクの信号から適
した受信特性で情報を得ることができる。
【発明の効果】
【００４３】
この発明によれば、基地局装置は移動局装置から送信された上りリンクの信号から情報
を適切に取得することができる。
【図面の簡単な説明】
【００４４】
【図１】本発明の実施形態に係る基地局装置３の構成を示す概略ブロック図である。
【図２】本発明の実施形態に係る基地局装置３の送信処理部１０７の構成を示す概略ブロック図である。
【図３】本発明の実施形態に係る基地局装置３の受信処理部１０１の構成を示す概略ブロック図である。
【図４】本発明の実施形態に係る移動局装置５の構成を示す概略ブロック図である。
【図５】本発明の実施形態に係る移動局装置５の受信処理部４０１の構成を示す概略ブロック図である。
【図６】本発明の実施形態に係る移動局装置５の送信処理部４０７の構成を示す概略ブロック図である。
【図７】本発明の実施形態に係る移動局装置５で用いられる、候補リソースの数または第二の受信確認応答の数と送信電力に関連するパラメータの値の対応関係を説明する図である。
【図８】本発明の実施形態に係る移動局装置５の送信電力に関連するパラメータの値の設定に関する処理の一例を示すフローチャートである。
【図９】本発明の実施形態に係る通信システムの全体像についての概略を説明する図である。
【図１０】本発明の実施形態に係る基地局装置３から移動局装置５への下りリンクの時間フレームの概略構成を示す図である。
【図１１】本発明の実施形態に係る移動局装置５から基地局装置３への上りリンクの時間フレームの概略構成を示す図である。
【図１２】本発明の実施形態に係る通信システムにおける無線フレームの構成の一例を示す図である。
【図１３】本発明の実施形態に係る通信システムのＰＤＣＣＨとＣＣＥの論理的な関係を説明する図である。
【図１４】本発明の実施形態に係る通信システムの下りリンクサブフレームにおけるリソースエレメントグループの配置例を示す図である。
【図１５】本発明の実施形態に係る通信システムのＡＣＫ／ＮＡＣＫ用のＰＵＣＣＨのリソースの構成と番号を示す図である。
【図１６】本発明の実施形態に係る通信システムのＡＣＫ／ＮＡＣＫの情報、ＡＣＫ／ＮＡＣＫ  ｃｈａｎｎｅｌ  ｓｅｌｅｃｔｉｏｎで選択されるリソース、ＱＰＳＫの信号点の関係を説明する図である。
【図１７】本発明の実施形態に係る通信システムのＡＣＫ／ＮＡＣＫの情報、ＡＣＫ／ＮＡＣＫ  ｃｈａｎｎｅｌ  ｓｅｌｅｃｔｉｏｎで選択されるリソース、ＱＰＳＫの信号点の関係を説明する図である。
【図１８】本発明の実施形態に係る通信システムのＡＣＫ／ＮＡＣＫの情報、ＡＣＫ／ＮＡＣＫ  ｃｈａｎｎｅｌ  ｓｅｌｅｃｔｉｏｎで選択されるリソース、ＱＰＳＫの信号点の関係を説明する図である。
【発明を実施するための形態】
【００４５】
以下、図面を参照しながら本発明の実施形態について詳しく説明する。まず、図９〜図
１８を用いて、本実施形態に係る通信システムの全体像、および無線フレームの構成など
について説明する。次に、図１〜図６を用いて、本実施形態に係る通信システムの構成に
ついて説明する。次に、図７〜図８を用いて、本実施形態に係る通信システムの動作処理
について説明する。
【００４６】
＜通信システムの全体像＞
図９は、本発明の実施形態に係る通信システムの全体像についての概略を説明する図で
ある。この図が示す通信システム１は、基地局装置（eNodeB、NodeBとも呼称する。）３
と、複数の移動局装置（UE: User Equipmentとも呼称する）５Ａ、５Ｂ、５Ｃとが通信を
行なう。また、この図は、基地局装置３から移動局装置５Ａ、５Ｂ、５Ｃへの通信方向で
ある下りリンク（DL: Downlinkとも呼称する。）が、下りリンクパイロットチャネル、物
理下りリンク制御チャネル（PDCCH: Physical Downlink Control CHannelとも呼称する。
）、および物理下りリンク共用チャネル（PDSCH: Physical Downlink Shared CHannelと
も呼称する。）を含んで構成されることを示す。また、この図は、移動局装置５Ａ、５Ｂ
、５Ｃから基地局装置３への通信方向である上りリンク（UL: Uplinkとも呼称する）が、
物理上りリンク共用チャネル（PUSCH: PhysicalUplink Shared CHannelとも呼称する。）
、上りリンクパイロットチャネル、および物理上りリンク制御チャネル（PUCCH: Physica
l Uplink Control CHannelとも呼称する。）を含んで構成されることを示す。チャネルと
は、信号の送信に用いられる媒体を意味する。物理層で用いられるチャネルは物理チャネ
ル、メディアアクセス（Media Access Control: MAC）層で用いられるチャネルは論理チ
ャネルと呼称する。ＰＤＳＣＨは、下りリンクのデータおよび制御情報の送受信に用いら
れる物理チャネルである。ＰＤＣＣＨは、下りリンクの制御情報の送受信に用いられる物
理チャネルである。ＰＵＳＣＨは、上りリンクのデータおよび制御情報の送受信に用いら
れる物理チャネルである。ＰＵＣＣＨは、上りリンクの制御情報（上りリンク制御情報; 
Uplink Control Information: UCI）の送受信に用いられる物理チャネルである。ＵＣＩ
の種類としては、ＰＤＳＣＨの下りリンクのデータに対する肯定応答（Acknowledgement:
ACK）、または否定応答（Negative Acknowledgement: NACK）を示す受信確認応答（ACK/
NACK）と、リソースの割り当てを要求するか否かを示すスケジューリング要求（Scheduli
ng request: SR）等が用いられる。その他の物理チャネルの種類としては、下りリンクの
同期確立のために用いられる同期チャネル（Synchronization CHannel: SCH）、上りリン
クの同期確立のために用いられる物理ランダムアクセスチャネル（Physical Random Acce
ss CHannel: PRACH）、下りリンクのシステム情報の送信に用いられる物理報知チャネル
（Physical Broadcast CHannel: PBCH）等が用いられる。また、ＰＤＳＣＨは下りリンク
のシステム情報の送信にも用いられる。移動局装置５A、５B、５C、または基地局装置３
は、制御情報、データなどから生成した信号を各物理チャネルに配置して、送信する。物
理下りリンク共用チャネル、または物理上りリンク共用チャネルで送信されるデータは、
トランスポートブロックと呼称する。また、基地局装置３が管轄するエリアのことをセル
と呼ぶ。以下、本実施形態において、移動局装置５Ａ、５Ｂ、５Ｃを移動局装置５と呼び
、説明を行なう。
【００４７】
＜キャリアアグリゲーション／セルアグリゲーション＞
本発明の実施形態に係る通信システムでは、予め定められた周波数帯域幅の周波数帯域
を複数用いて通信を行なう（周波数帯域集約；Spectrum aggregation、キャリアアグリゲ
ーション; Carrier aggregation、Frequency aggregation等とも呼称する。）。ここで、
１個の周波数帯域をコンポーネントキャリア（Component Carrier: CC）と呼称する。具
体的には、キャリアアグリゲーションを用いた通信では、下りリンクのCC（下りリンクコ
ンポーネントキャリア; DL CCと呼称する。）毎に、下りリンクの物理チャネルが送受信
され、上りリンクのCC（上りリンクコンポーネントキャリア; UL CCと呼称する。）毎に
上りリンクの物理チャネルが送受信される。つまり、キャリアアグリゲーションを用いた
本発明の実施形態に係る通信システムは、上りリンクと下りリンクにおいて、基地局装置
３と複数の移動局装置５が複数のＣＣを用いて複数の物理チャネルで信号を同時に送受信
する。
【００４８】
基地局装置は、１つのセルで任意の１つの周波数帯域を用いて通信する。キャリアアグ
リゲーションは、複数の周波数帯域を用いた複数のセルによる通信であり、セルアグリゲ
ーション（Cell aggregation）とも呼称する。セルアグリゲーションでは、１つのセルが
プライマリセル（Primary Cell, Pcell）と定義され、残りのセルがセカンダリセル（Sec
ondary Cell, Scell）と定義される。プライマリセルとセカンダリセルの設定は、移動局
装置毎に独立に行われる。プライマリセルは、必ず１つの下りリンクコンポーネントキャ
リアと１つの上りリンクコンポーネントキャリアのセットから構成される。セカンダリセ
ルは、少なくとも１つの下りリンクコンポーネントキャリアから構成され、上りリンクコ
ンポーネントキャリアが構成されてもよいし、構成されなくてもよい。なお、説明の簡略
化のため、本実施形態では、１つのセカンダリセルが１つの下りリンクコンポーネントキ
ャリアと１つの上りリンクコンポーネントキャリアのセットから構成されることを想定し
た説明を行なう。プライマリセルで用いられるコンポーネントキャリアのことを、プライ
マリコンポーネントキャリア（Primary CC, PCC）と呼称する。セカンダリセルで用いら
れるコンポーネントキャリアのことを、セカンダリコンポーネントキャリア（Secondary 
CC, SCC）と呼称する。プライマリセルおよびセカンダリセルにおいて、ＰＤＳＣＨおよ
びＰＵＳＣＨを用いたデータ通信は共通して行なわれるが、その他の各種処理が異なって
行われる。簡単に説明すると、複数の処理がプライマリセルのみで行われ、セカンダリセ
ルでは行われない。例えば、プライマリセルでは、下りリンクにおいてシステム情報（SI
B: System Information Blockとも呼称する。）の取得、無線品質不足（RLF: Radio Link
Failure）の判断などが行われ、上りリンクにおいてＰＲＡＣＨを用いたランダムアクセ
ス手順の実行、ＰＵＣＣＨを用いたＵＣＩの送受信などが行われる。
【００４９】
＜下りリンクの時間フレームの構成＞
図１０は、本発明の実施形態に係る基地局装置３から移動局装置５への下りリンクの時
間フレームの概略構成を示す図である。この図において、横軸は時間領域、縦軸は周波数
領域を表している。下りリンクの時間フレームは、リソースの割り当てなどの単位であり
、下りリンクの予め決められた幅の周波数帯および時間帯からなるリソースブロック（RB
）（物理リソースブロック; PRB: Physical Resource Blockとも呼称する。）のペア（物
理リソースブロックペア; PRB pairと呼称する。）から構成される。１個の下りリンクの
物理リソースブロックペア（下りリンク物理リソースブロックペアと呼称する。）は下り
リンクの時間領域で連続する２個の物理リソースブロック（下りリンク物理リソースブロ
ックと呼称する。）から構成される。
【００５０】
また、この図において、１個の下りリンク物理リソースブロックは、下りリンクの周波
数領域において１２個のサブキャリア（下りリンクサブキャリアと呼称する。）から構成
され、時間領域において７個のＯＦＤＭ（直交周波数分割多重; Orthogonal Frequency D
ivision Multiplexing）シンボルから構成される。下りリンクのシステム帯域（下りリン
クシステム帯域と呼称する。）は、基地局装置３の下りリンクの通信帯域である。下りリ
ンクのシステム帯域幅（下りリンクシステム帯域幅と呼称する。）は、下りリンクの複数
の下りリンクコンポーネントキャリアの帯域幅（下りリンクコンポーネントキャリア帯域
幅と呼称する。）から構成される。通信システム１において、下りリンクのコンポーネン
トキャリア（下りリンクコンポーネントキャリアと呼称する。）（ＤＬ  ＣＣ）は予め定
められた周波数帯域幅の帯域であり、下りリンクコンポーネントキャリア帯域幅は下りリ
ンクコンポーネントキャリアの周波数帯域幅である。例えば、４０ＭＨｚの周波数帯域幅
の下りリンクシステム帯域は、２個の２０ＭＨｚの周波数帯域幅の下りリンクコンポーネ
ントキャリアから構成される。
【００５１】
なお、下りリンクコンポーネントキャリアでは下りリンクコンポーネントキャリア帯域
幅に応じて複数の下りリンク物理リソースブロックが配置される。例えば、２０ＭＨｚの
周波数帯域幅の下りリンクコンポーネントキャリアは、１００個の下りリンク物理リソー
スブロックから構成される。また、例えば、下りリンクコンポーネントキャリア帯域幅は
、ＬＴＥに対応した移動局装置５が通信に用いることができる周波数帯域幅であり、下り
リンクシステム帯域幅はＬＴＥ−Ａに対応した移動局装置５が通信に用いることができる
周波数帯域幅である。ＬＴＥに対応した移動局装置５は同時に１つのセルでしか通信を行
うことができず、ＬＴＥ−Ａに対応した移動局装置５は同時に複数のセルで通信を行なう
ことができる。下りリンクコンポーネントキャリア帯域幅は、１つのセルの下りリンクの
周波数帯域幅であり、下りリンクシステム帯域幅は、複数のセルの下りリンクの周波数帯
域幅をまとめたものである。
【００５２】
また、この図が示す時間領域においては、７個のＯＦＤＭシンボルから構成されるスロ
ット（下りリンクスロットと呼称する。）、２個の下りリンクスロットから構成されるサ
ブフレーム（下りリンクサブフレームと呼称する。）がある。なお、１個の下りリンクサ
ブキャリアと１個のＯＦＤＭシンボルから構成されるユニットをリソースエレメント（Re
source Element: RE）（下りリンクリソースエレメント）と呼ぶ。各下りリンクサブフレ
ームには少なくとも、情報データ（トランスポートブロック; Transport Blockとも呼称
する。）の送信に用いられるＰＤＳＣＨ、制御情報の送信に用いられるＰＤＣＣＨが配置
される。この図においては、ＰＤＣＣＨは下りリンクサブフレームの１番目から３番目ま
でのＯＦＤＭシンボルから構成され、ＰＤＳＣＨは下りリンクサブフレームの４番目から
１４番目までのＯＦＤＭシンボルから構成される。なお、ＰＤＣＣＨを構成するＯＦＤＭ
シンボルの数と、ＰＤＳＣＨを構成するＯＦＤＭシンボルの数は、下りリンクサブフレー
ム毎に変更されてもよい。
【００５３】
この図において図示は省略するが、下りリンクの参照信号（Reference signal: RS）（
下りリンク参照信号と呼称する。Cell specific RS、DL RSとも呼称する。）の送信に用
いられる下りリンクパイロットチャネルが複数の下りリンクリソースエレメントに分散し
て配置される。ここで、下りリンク参照信号は、ＰＤＳＣＨおよびＰＤＣＣＨの伝搬路変
動の推定に用いられる、通信システム１において既知の信号である。なお、下りリンク参
照信号を構成する下りリンクリソースエレメントの数は、基地局装置３において移動局装
置５への通信に用いられる送信アンテナの数に依存する。
【００５４】
なお、１個のＰＤＳＣＨは同一の下りリンクコンポーネントキャリア内の１個以上の下
りリンク物理リソースブロックから構成され、１個のＰＤＣＣＨは同一の下りリンクコン
ポーネントキャリア内の複数の下りリンクリソースエレメントから構成される。下りリン
クシステム帯域内で複数のＰＤＳＣＨ、複数のＰＤＣＣＨが配置される。基地局装置３は
、ＬＴＥに対応した１つの移動局装置５に対して同一の下りリンクサブフレームで同一の
下りリンクコンポーネントキャリア内でＰＤＳＣＨのリソースの割り当てに関する制御情
報を含む１個のＰＤＣＣＨと１個のＰＤＳＣＨを配置することができ、ＬＴＥ−Ａに対応
した１つの移動局装置５に対して同一の下りリンクサブフレームでＰＤＳＣＨのリソース
の割り当てに関する制御情報を含む複数のＰＤＣＣＨと複数のＰＤＳＣＨを配置すること
ができる。なお、基地局装置３は、ＬＴＥ−Ａに対応した１つの移動局装置５に対して同
一の下りリンクサブフレームで、同一の下りリンクコンポーネントキャリア内で複数のＰ
ＤＳＣＨのリソースの割り当てに関する制御情報を含む、複数のＰＤＣＣＨを配置するこ
とができるが、同一の下りリンクコンポーネントキャリア内で複数のＰＤＳＣＨを配置す
ることはできず、各ＰＤＳＣＨを異なる下りリンクコンポーネントキャリアに配置するこ
とはできる。
【００５５】
ＰＤＣＣＨは、ＰＤＳＣＨに対する下りリンク物理リソースブロックの割り当てを示す
情報、ＰＵＳＣＨに対する上りリンク物理リソースブロックの割り当てを示す情報、移動
局識別子（Radio Network Temporary Identifier: RNTIと呼称する。）、変調方式、符号
化率、再送パラメータ、マルチアンテナ関連情報、送信電力制御コマンド（TPC command
）、ＰＵＣＣＨのリソースを示す情報などの制御情報から生成された信号が配置される。
ＰＤＣＣＨに含まれる制御情報を下りリンク制御情報（Downlink Control Information: 
DCI）と呼称する。ＰＤＳＣＨに対する下りリンク物理リソースブロックの割り当てを示
す情報を含むＤＣＩは下りリンクアサインメント（Downlink assignment: DL assignment
、またDownlink grantとも呼称する。）と呼称し、ＰＵＳＣＨに対する上りリンク物理リ
ソースブロックの割り当てを示す情報を含むＤＣＩは上りリンクグラント（Uplink grant
: UL grantと呼称する。）と呼称する。なお、下りリンクアサインメントは、ＰＵＣＣＨ
に対する送信電力制御コマンドを含む。なお、上りリンクアサインメントは、ＰＵＳＣＨ
に対する送信電力制御コマンドを含む。なお、１個のＰＤＣＣＨは、１個の下りリンクコ
ンポーネントキャリア内の１個のＰＤＳＣＨのリソースの割り当てを示す情報、または１
個の上りリンクコンポーネントキャリア内の１個のＰＵＳＣＨのリソースの割り当てを示
す情報しか含まず、複数のＰＤＳＣＨのリソースの割り当てを示す情報、または複数のＰ
ＵＳＣＨのリソースの割り当てを示す情報を含まない。
【００５６】
＜上りリンクの時間フレームの構成＞
図１１は、本発明の実施形態に係る移動局装置５から基地局装置３への上りリンクの時
間フレームの概略構成を示す図である。この図において、横軸は時間領域、縦軸は周波数
領域を表している。上りリンクの時間フレームは、リソースの割り当てなどの単位であり
、上りリンクの予め決められた幅の周波数帯および時間帯からなる物理リソースブロック
のペア（上りリンク物理リソースブロックペアと呼称する。）から構成される。１個の上
りリンク物理リソースブロックペアは、上りリンクの時間領域で連続する２個の上りリン
クの物理リソースブロック（上りリンク物理リソースブロックと呼称する。）から構成さ
れる。
【００５７】
また、この図において、１個の上りリンク物理リソースブロックは、上りリンクの周波
数領域において１２個のサブキャリア（上りリンクサブキャリアと呼称する。）から構成
され、時間領域において７個のＳＣ−ＦＤＭＡ（Single-Carrier Frequency Division Mu
ltiple Access）シンボルから構成される。上りリンクのシステム帯域（上りリンクシス
テム帯域と呼称する。）は、基地局装置３の上りリンクの通信帯域である。上りリンクの
システム帯域幅（上りリンクシステム帯域幅と呼称する。）は、上りリンクの複数の上り
リンクコンポーネントキャリアの周波数帯域幅（上りリンクコンポーネントキャリア帯域
幅と呼称する。）から構成される。通信システム１において、上りリンクのコンポーネン
トキャリア（上りリンクコンポーネントキャリアと呼称する。）（ＵＬ  ＣＣ）は予め定
められた周波数帯域幅の帯域であり、上りリンクコンポーネントキャリア帯域幅は上りリ
ンクコンポーネントキャリアの周波数帯域幅である。例えば、４０ＭＨｚの周波数帯域幅
の上りリンクのシステム帯域（上りリンクシステム帯域と呼称する。）は、２個の２０Ｍ
Ｈｚの周波数帯域幅の上りリンクコンポーネントキャリアから構成される。
【００５８】
なお、上りリンクコンポーネントキャリアでは上りリンクコンポーネントキャリア帯域
幅に応じて複数の上りリンク物理リソースブロックが配置される。例えば、２０ＭＨｚの
周波数帯域幅の上りリンクコンポーネントキャリアは、１００個の上りリンク物理リソー
スブロックから構成される。また、例えば、上りリンクコンポーネントキャリア帯域幅は
、ＬＴＥに対応した移動局装置５が通信に用いることができる周波数帯域幅であり、上り
リンクシステム帯域幅はＬＴＥ−Ａに対応した移動局装置５が通信に用いることができる
周波数帯域幅である。ＬＴＥに対応した移動局装置５は同時に１つのセルでしか通信を行
うことができず、ＬＴＥ−Ａに対応した移動局装置５は同時に複数のセルで通信を行なう
ことができる。上りリンクコンポーネントキャリア帯域幅は、１つのセルの上りリンクの
周波数帯域幅であり、上りリンクシステム帯域幅は、複数のセルの上りリンクの周波数帯
域幅をまとめたものである。
【００５９】
また、この図が示す時間領域においては、７個のＳＣ−ＦＤＭＡシンボルから構成され
るスロット（上りリンクスロットと呼称する。）、２個の上りリンクスロットから構成さ
れるサブフレーム（上りリンクサブフレームと呼称する。）。なお、１個の上りリンクサ
ブキャリアと１個のＳＣ−ＦＤＭＡシンボルから構成されるユニットをリソースエレメン
ト（上りリンクリソースエレメントと呼称する。）と呼ぶ。
【００６０】
各上りリンクサブフレームには、少なくとも情報データの送信に用いられるＰＵＳＣＨ
、上りリンク制御情報（UCI: Uplink Control Information）の送信に用いられるＰＵＣ
ＣＨが配置される。ＰＵＣＣＨは、ＰＤＳＣＨを用いて受信されたデータに対する肯定応
答（ACK: Acknowledgement）または否定応答（NACK: Negative Acknowledgement）を示す
ＵＣＩ（ACK/NACK）、上りリンクのリソースの割り当てを要求するか否かを少なくとも示
すＵＣＩ（SR: Scheduling Request; スケジューリング要求）、下りリンクの受信品質（
チャネル品質とも呼称する。）を示すＵＣＩ（CQI: Channel Quality Indicator; チャネ
ル品質指標）を送信するために用いられる。また、ＰＵＣＣＨは、セルアグリゲーション
を用いない場合のＡＣＫ／ＮＡＣＫ、またはセルアグリゲーションを用いた場合のＡＣＫ
／ＮＡＣＫを送信するために用いられ、セルアグリゲーションを用いた場合は送信方法と
してＡＣＫ／ＮＡＣＫ  ｃｈａｎｎｅｌ  ｓｅｌｅｃｔｉｏｎが用いられる。また、ＡＣ
Ｋ／ＮＡＣＫ  ｃｈａｎｎｅｌ  ｓｅｌｅｃｔｉｏｎと共に、Ｔｉｍｅ  ｄｏｍａｉｎ  
ｂｕｎｄｌｉｎｇ、Ｓｐａｔｉａｌ  ｂｕｎｄｌｎｇが用いられる。
【００６１】
なお、移動局装置５が上りリンクのリソースの割り当てを要求することを基地局装置３
に示す場合に、移動局装置５はＳＲの送信用のＰＵＣＣＨで信号を送信する。基地局装置
３は、ＳＲの送信用のＰＵＣＣＨのリソースで信号を検出したという結果から移動局装置
５が上りリンクのリソースの割り当てを要求していることを認識する。移動局装置５が上
りリンクのリソースの割り当てを要求しないことを基地局装置３に示す場合に、移動局装
置５は予め割り当てられたＳＲの送信用のＰＵＣＣＨのリソースで何も信号を送信しない
。基地局装置３は、ＳＲの送信用のＰＵＣＣＨのリソースで信号を検出しなかったという
結果から移動局装置５が上りリンクのリソースの割り当てを要求していないことを認識す
る。
【００６２】
また、ＰＵＣＣＨは、ＡＣＫ／ＮＡＣＫからなるＵＣＩが送信される場合と、ＳＲから
なるＵＣＩが送信される場合と、ＣＱＩからなるＵＣＩが送信される場合とで異なる種類
の信号構成が用いられる。ＡＣＫ／ＮＡＣＫの送信に用いられるＰＵＣＣＨをＰＵＣＣＨ
ｆｏｒｍａｔ  １ａ、またはＰＵＣＣＨ  ｆｏｒｍａｔ  １ｂと呼称する。ＰＵＣＣＨ
ｆｏｒｍａｔ  １ａでは、ＡＣＫ／ＮＡＣＫに関する情報を変調する変調方式としてＢ
ＰＳＫ（二位相偏移変調; Binary Phase Shift Keying）が用いられる。ＰＵＣＣＨ  ｆ
ｏｒｍａｔ  １ａでは、1ビットの情報が変調信号から明示的に示される。ＰＵＣＣＨ  
ｆｏｒｍａｔ  １ｂでは、ＡＣＫ／ＮＡＣＫに関する情報を変調する変調方式としてＱＰ
ＳＫ（四位相偏移変調; Quadrature Phase Shift Keying）が用いられる。ＰＵＣＣＨ  
ｆｏｒｍａｔ  １ｂでは、２ビットの情報が変調信号から明示的に示される。ＡＣＫ／Ｎ
ＡＣＫ  ｃｈａｎｎｅｌ  ｓｅｌｅｃｔｉｏｎでは、ＰＵＣＣＨ  ｆｏｒｍａｔ  １ｂが
用いられる。ＳＲの送信に用いられるＰＵＣＣＨをＰＵＣＣＨ  ｆｏｒｍａｔ  １と呼称
する。ＣＱＩの送信に用いられるＰＵＣＣＨをＰＵＣＣＨ  ｆｏｒｍａｔ  ２と呼称する
。ＣＱＩとＡＣＫ／ＮＡＣＫの同時送信に用いられるＰＵＣＣＨをＰＵＣＣＨ  ｆｏｒｍ
ａｔ  ２ａ、またはＰＵＣＣＨ  ｆｏｒｍａｔ  ２ｂと呼称する。ＰＵＣＣＨ  ｆｏｒｍ
ａｔ  ２ｂでは、上りリンクパイロットチャネルの参照信号にＡＣＫ／ＮＡＣＫの情報か
ら生成された変調信号が乗算される。ＰＵＣＣＨ  ｆｏｒｍａｔ  ２ａでは、ＡＣＫ／Ｎ
ＡＣＫに関する１ビットの情報とＣＱＩの情報が送信される。ＰＵＣＣＨ  ｆｏｒｍａｔ
２ｂでは、ＡＣＫ／ＮＡＣＫに関する２ビットの情報とＣＱＩの情報が送信される。
【００６３】
なお、１個のＰＵＳＣＨは同一の上りリンクコンポーネントキャリア内の１個以上の上
りリンク物理リソースブロックから構成され、１個のＰＵＣＣＨは同一の上りリンクコン
ポーネントキャリア内において周波数領域に対称関係にあり、異なる上りリンクスロット
に位置する２個の上りリンク物理リソースブロックから構成される。例えば、図１１にお
いて、最も周波数が低い上りリンクコンポーネントキャリア内の上りリンクサブフレーム
内において、１番目の上りリンクスロットの最も周波数が低い上りリンク物理リソースブ
ロックと、２番目の上りリンクスロットの最も周波数が高い上りリンク物理リソースブロ
ックとにより、ＰＵＣＣＨに用いられる上りリンク物理リソースブロックペアの１個が構
成される。
【００６４】
上りリンクシステム帯域内で１個以上のＰＵＳＣＨ、１個以上のＰＵＣＣＨが配置され
る。ＬＴＥに対応した移動局装置５は、同一の上りリンクコンポーネントキャリア内にＰ
ＵＣＣＨのリソースとＰＵＳＣＨのリソースを配置し、送信することができる。なお、基
地局装置３は、ＬＴＥに対応した移動局装置５に対してＡＣＫ／ＮＡＣＫ、またはＳＲ、
またはＣＱＩ毎に対して異なるＰＵＣＣＨのリソースを割り当てることができるが、ＬＴ
Ｅに対応した移動局装置５は同一の上りリンクサブフレームで１個のＰＵＣＣＨのリソー
スしか用いない。また、ＬＴＥに対応した移動局装置５は、同一上りリンクサブフレーム
でＰＵＣＣＨのリソースとＰＵＳＣＨのリソースが割り当てられた場合は、ＰＵＳＣＨの
リソースのみを用いて信号を送信する。
【００６５】
また、基地局装置３は、ＬＴＥ−Ａに対応した１つの移動局装置５に対して上りリンク
コンポーネントキャリア毎に１個のＰＵＳＣＨのリソースを割り当てることができる。Ｌ
ＴＥ−Ａに対応した移動局装置５は、同一の上りリンクサブフレームで複数の上りリンク
コンポーネントキャリアでＰＵＳＣＨのリソースが割り当てられた場合、複数のＰＵＳＣ
Ｈのリソースを用いて信号を送信することができる。なお、基地局装置３は、ＬＴＥ−Ａ
に対応した１つの移動局装置５に対して同一の上りリンクサブフレームで、同一の上りリ
ンクコンポーネントキャリア内で複数のＰＵＳＣＨのリソースを割り当てることはできず
、各ＰＵＳＣＨのリソースを異なる上りリンクコンポーネントキャリアに割り当てること
ができる。また、基地局装置３は、ＬＴＥ−Ａに対応した１つの移動局装置５に対して１
個の上りリンクコンポーネントキャリアに１個以上のＰＵＣＣＨのリソースを割り当てる
ことができる。ＬＴＥ−Ａに対応した移動局装置５は、同一の上りリンクサブフレームで
複数のＰＵＣＣＨのリソースが割り当てられた場合は、何れか１個のＰＵＣＣＨのリソー
スを用いて信号を送信する。このような場合、移動局装置５が何れのＰＵＣＣＨのリソー
スを選択するかは予め決められたルールに従って行なわれる。
【００６６】
ＰＵＣＣＨのリソースが割り当てられる上りリンクコンポーネントキャリアが上りリン
クのプライマリコンポーネントキャリアであり、プライマリセルである。また、ＬＴＥ−
Ａに対応した移動局装置５は、ＰＵＳＣＨとＰＵＣＣＨの同時送信を行なわないように設
定されている場合、同一上りリンクサブフレームでＰＵＣＣＨのリソースとＰＵＳＣＨの
リソースが割り当てられた場合は、ＰＵＳＣＨのリソースのみを用いて信号を送信する。
また、ＬＴＥ−Ａに対応した移動局装置５は、ＰＵＳＣＨとＰＵＣＣＨの同時送信を行な
うように設定されている場合、同一上りリンクサブフレームでＰＵＣＣＨのリソースとＰ
ＵＳＣＨのリソースが割り当てられた場合は、基本的にＰＵＣＣＨのリソースとＰＵＳＣ
Ｈのリソースの両方を用いて信号を送信することができる。
【００６７】
上りリンクパイロットチャネルは、ＰＵＳＣＨと同じ上りリンク物理リソースブロック
内に配置される場合と、ＰＵＣＣＨと同じ上りリンク物理リソースブロック内に配置され
る場合とで、異なるＳＣ−ＦＤＭＡシンボルに配置される。上りリンクパイロットチャネ
ルは、上りリンク参照信号（UL RS: Uplink Reference Signal）を送信するために用いら
れる。ここで、上りリンク参照信号とは、ＰＵＳＣＨおよびＰＵＣＣＨの伝搬路変動の推
定に用いられる、通信システム１において既知の信号である。
【００６８】
上りリンクパイロットチャネルは、ＰＵＳＣＨと同じ上りリンク物理リソースブロック
内に配置される場合、上りリンクスロット内の４番目のＳＣ−ＦＤＭＡシンボルに配置さ
れる。上りリンクパイロットチャネルは、ＡＣＫ／ＮＡＣＫを含むＰＵＣＣＨと同じ上り
リンク物理リソースブロック内に配置される場合、上りリンクスロット内の３番目と４番
目と５番目のＳＣ−ＦＤＭＡシンボルに配置される。上りリンクパイロットチャネルは、
ＳＲを含むＰＵＣＣＨと同じ上りリンク物理リソースブロック内に配置される場合、上り
リンクスロット内の３番目と４番目と５番目のＳＣ−ＦＤＭＡシンボルに配置される。上
りリンクパイロットチャネルは、ＣＱＩを含むＰＵＣＣＨと同じ上りリンク物理リソース
ブロック内に配置される場合、上りリンクスロット内の２番目と６番目のＳＣ−ＦＤＭＡ
シンボルに配置される。
【００６９】
図１１では、ＰＵＣＣＨが各上りリンクコンポーネントキャリアの最も端の上りリンク
物理リソースブロックに配置された場合を示しているが、上りリンクコンポーネントキャ
リアの端から２番目、３番目などの上りリンク物理リソースブロックがＰＵＣＣＨに用い
られてもよい。
【００７０】
なお、ＰＵＣＣＨにおいて周波数領域での符号多重、時間領域での符号多重が用いられ
る。周波数領域での符号多重は、サブキャリア単位で符号系列の各符号が上りリンク制御
情報から変調された変調信号に乗算されることにより処理される。時間領域での符号多重
は、ＳＣ−ＦＤＭＡシンボル単位で符号系列の各符号が上りリンク制御情報から変調され
た変調信号に乗算されることにより処理される。複数のＰＵＣＣＨが同一の上りリンク物
理リソースブロックに配置され、各ＰＵＣＣＨは異なる符号が割り当てられ、割り当てら
れた符号により周波数領域、または時間領域において符号多重が実現される。ＡＣＫ／Ｎ
ＡＣＫを送信するために用いられるＰＵＣＣＨ（ＰＵＣＣＨ  ｆｏｒｍａｔ  １ａ、ＰＵ
ＣＣＨ  ｆｏｒｍａｔ  １ｂ）においては、周波数領域及び時間領域での符号多重が用い
られる。ＳＲを送信するために用いられるＰＵＣＣＨ（ＰＵＣＣＨ  ｆｏｒｍａｔ  １）
においては、周波数領域及び時間領域での符号多重が用いられる。ＣＱＩを送信するため
に用いられるＰＵＣＣＨ（ＰＵＣＣＨ  ｆｏｒｍａｔ  ２）においては、周波数領域での
符号多重が用いられる。なお、説明の簡略化のため、ＰＵＣＣＨの符号多重に係る内容の
説明は適宜省略する。
【００７１】
なお、本発明の実施形態に係る通信システム１では、下りリンクにおいてＯＦＤＭ方式
を適用し、上りリンクにおいてＮｘＤＦＴ−Ｓｐｒｅａｄ  ＯＦＤＭ方式を適用する。こ
こで、ＮｘＤＦＴ−Ｓｐｒｅａｄ  ＯＦＤＭ方式とは、上りリンクコンポーネントキャリ
ア単位でＤＦＴ−Ｓｐｒｅａｄ  ＯＦＤＭ方式を用いて信号を送受信する方式であり、複
数の上りリンクコンポーネントキャリアを用いた通信システム１の上りリンクサブフレー
ムにおいて複数のＤＦＴ−Ｓｐｒｅａｄ  ＯＦＤＭ送受信に関する処理部を用いて通信を
行なう方式である。
【００７２】
ＰＤＳＣＨのリソースは、時間領域において、そのＰＤＳＣＨのリソースの割り当てに
用いられた下りリンクアサインメントを含むＰＤＣＣＨのリソースが配置された下りリン
クサブフレームと同一の下りリンクサブフレームに配置され、周波数領域において、その
ＰＤＳＣＨのリソースの割り当てに用いられる下りリンクアサインメントを含むＰＤＣＣ
Ｈと同じ下りリンクコンポーネントキャリア、または異なる下りリンクコンポーネントキ
ャリアに配置される。
【００７３】
ＤＣＩには、下りリンクアサインメントがいずれの下りリンクコンポーネントキャリア
で送信されるＰＤＳＣＨに対応するか、または上りリンクグラントがいずれの上りリンク
コンポーネントキャリアで送信されるＰＵＳＣＨに対応するかを示す情報（以下、「キャ
リアインディケータ（carrier indicator）」と呼称する。）が含まれる。下りリンクア
サインメントにキャリアインディケータが含まれない場合、下りリンクアサインメントは
、下りリンクアサインメントが送信された下りリンクコンポーネントキャリアと同じ下り
リンクコンポーネントキャリアのＰＤＳＣＨに対応する。上りリンクグラントにキャリア
インディケータが含まれない場合、上りリンクグラントは、上りリンクグラントが送信さ
れた下りリンクコンポーネントキャリアと予め対応付けられた上りリンクコンポーネント
キャリアのＰＵＳＣＨに対応する。なお、キャリアインディケータがＤＣＩに含まれない
場合の、上りリンクグラントのリソース割り当ての解釈に用いられる下りリンクコンポー
ネントキャリアと上りリンクコンポーネントキャリアとの対応付けを示す情報は、情報デ
ータの通信が行なわれる前に、基地局装置３から移動局装置５にシステム情報を用いて通
知される。
【００７４】
＜無線フレームの構成＞
本発明の実施形態では、１個以上の下りリンクサブフレームと１個以上の上りリンクサ
ブフレームと１個以上のスペシャルサブフレームから構成される１０個のサブフレームか
ら１個の無線フレームが構成される。スペシャルサブフレームは、３つの領域としてＤｗ
ＰＴＳ（Downlink Pilot Time Slot）、ＧＰ（Guard Period）およびＵｐＰＴＳ（Uplink
Pilot Time Slot）から構成される。ＤｗＰＴＳとＧＰとＵｐＰＴＳは時間多重される。
ＤｗＰＴＳはＰＤＣＣＨやＰＤＳＣＨなどの下りリンクの物理チャネルおよび信号が送信
される領域である。ＵｐＰＴＳはサウンディング参照信号（Sounding Reference Signal:
SRS）および／またはＰＲＡＣＨが送信される領域であり、ＵｐＰＴＳではＰＵＣＣＨお
よびＰＵＳＣＨは送信されない。ＳＲＳは、基地局装置３が移動局装置５の上りリンクの
チャネル品質を推定するために用いられる上りリンク参照信号であり、上りリンクサブフ
レームまたはスペシャルサブフレームの最後のＳＣ−ＦＤＭＡシンボルで送信される。Ｇ
Ｐは移動局装置５および基地局装置３が上りリンクの送受信と下りリンクの送受信を切り
替えるための期間である。１個の無線フレームを構成する下りリンクサブフレーム、上り
リンクサブフレームおよびスペシャルサブフレームの数および無線フレーム内の配置が基
地局装置３により設定され、設定された無線フレームの構成を示す情報が移動局装置５に
通知される。
【００７５】
図１２は、本発明の実施形態に係る通信システムにおける無線フレームの構成の一例を
示す図である。なお、説明の簡略化のため、１個のセルにおける無線フレームの構成につ
いて説明するが、セルアグリゲーションが行なわれる場合、セルアグリゲーションに用い
られる複数のセルは同一の無線フレームの構成を用いる。図１２において、横軸は周波数
領域、縦軸は時間領域を示す。図１２において、白色の四角は下りリンクサブフレームを
示し、斜線でハッチングがされた四角は上りリンクサブフレームを示し、ドットでハッチ
ングがされた四角はスペシャルサブフレームを示す。サブフレームに付された番号（＃ｉ
）は無線フレーム内のサブフレームの番号を示している。
【００７６】
図１２において、移動局装置５はサブフレーム＃８とサブフレーム＃９とサブフレーム
＃０とサブフレーム＃１（図１２の太い点線で囲まれたサブフレーム）のＰＤＳＣＨで受
信した下りリンクのデータに対する複数のＡＣＫ／ＮＡＣＫ（第一の受信確認応答）にＴ
ｉｍｅ  ｄｏｍａｉｎ  ｂｕｎｄｌｉｎｇを実行し、対応する第二の受信確認応答をサブ
フレーム＃１から６個のサブフレーム後のサブフレーム＃７のＰＵＣＣＨを用いて送信す
る。なお、第一の受信確認応答、第二の受信確認応答の説明は後述する。また、移動局装
置５はサブフレーム＃３からサブフレーム＃６（図１２の太い実線で囲まれたサブフレー
ム）のＰＤＳＣＨで受信した下りリンクのデータに対する複数のＡＣＫ／ＮＡＣＫ（第一
の受信確認応答）にＴｉｍｅ  ｄｏｍａｉｎ  ｂｕｎｄｌｉｎｇを実行し、対応する第二
の受信確認応答をサブフレーム＃６から６個のサブフレーム後のサブフレーム＃２のＰＵ
ＣＣＨを用いて送信する。以上のように、無線フレームの構成に基づき、Ｔｉｍｅ  ｄｏ
ｍａｉｎ  ｂｕｎｄｌｉｎｇを設定された移動局装置５は、共通したＴｉｍｅ  ｄｏｍａ
ｉｎ  ｂｕｎｄｌｉｎｇを実行する下りリンクサブフレーム、対応する第二の受信確認応
答を送信する上りリンクサブフレームを認識する。
【００７７】
＜Ｃｒｏｓｓ−ＣＣ  ｓｃｈｅｄｕｌｉｎｇ＞
ＰＤＣＣＨと、そのＰＤＣＣＨに対応する下りリンクアサインメントが含まれるＰＤＳ
ＣＨが異なる下りリンクコンポーネントキャリアに配置されることができる（Cross CC s
chedulingと呼称する。）。ＰＤＳＣＨが配置される下りリンクコンポーネントキャリア
を物理下りリンク共用チャネルコンポーネントキャリア（PDSCH CC）と呼称する。ＰＤＣ
ＣＨが配置される下りリンクコンポーネントキャリアを物理下りリンク制御チャネルコン
ポーネントキャリア（PDCCH CC）と呼称する。なお、セルアグリゲーションで用いられる
全ての下りリンクコンポーネントキャリアにＰＤＳＣＨが配置される可能性がある場合、
全ての下りリンクコンポーネントキャリアはＰＤＳＣＨ  ＣＣとなる。
【００７８】
ＰＤＣＣＨが配置される下りリンクコンポーネントキャリアと、そのＰＤＣＣＨに対応
する上りリンクグラントが含まれるＰＵＳＣＨが配置される上りリンクコンポーネントキ
ャリアとシステム情報で対応付けられる下りリンクコンポーネントキャリアを、異なるよ
うに設定されることができる。基地局装置３は、移動局装置５に各下りリンクコンポーネ
ントキャリアに対するシステム情報を通知し、そのシステム情報にはその下りリンクコン
ポーネントキャリアと対応付けられる上りリンクコンポーネントキャリアを示す情報が含
まれる。この対応付けを示す情報を含むシステム情報はＳＩＢ２（System Information B
lock Type2）と呼称し、ＳＩＢ２により示される下りリンクコンポーネントキャリアと上
りリンクコンポーネントキャリアの対応付けをＳＩＢ２  ｌｉｎｋａｇｅと呼称する。Ｐ
ＵＳＣＨが配置される上りリンクコンポーネントキャリアを物理上りリンク共用チャネル
コンポーネントキャリア（PUSCH CC）と呼称する。
【００７９】
基地局装置３は、セルアグリゲーションに用いる複数の下りリンクコンポーネントキャ
リアの中で何れの下りリンクコンポーネントキャリアをＰＤＣＣＨ  ＣＣとして用いるか
を決定する。次に、基地局装置３は、各ＰＤＣＣＨ  ＣＣを何れのＰＤＳＣＨ  ＣＣ、何
れのＰＵＳＣＨ  ＣＣと対応させるかを決定する。ここで、ＰＤＣＣＨ  ＣＣとＰＤＳＣ
Ｈ  ＣＣの対応付けとは、ＰＤＳＣＨ  ＣＣに配置されるＰＤＳＣＨのリソースの割り当
てに関する制御情報を含むＰＤＣＣＨがＰＤＳＣＨ  ＣＣと対応付けられるＰＤＣＣＨ  
ＣＣに配置されることを意味する。より詳細には、ＰＤＣＣＨ  ＣＣとＰＤＳＣＨ  ＣＣ
の対応付けとは、ＰＤＳＣＨ  ＣＣに配置されるＰＤＳＣＨに対応する下りリンクアサイ
ンメントであって、キャリアインディケータも構成される下りリンクアサインメントを含
むＰＤＣＣＨが、ＰＤＳＣＨ  ＣＣと対応付けられたＰＤＣＣＨ  ＣＣに配置されること
を意味する。ここで、ＰＤＣＣＨ  ＣＣとＰＵＳＣＨ  ＣＣの対応付けとは、ＰＵＳＣＨ
ＣＣに配置されるＰＵＳＣＨのリソースの割り当てに関する制御情報を含むＰＤＣＣＨ
がＰＵＳＣＨ  ＣＣと対応付けられるＰＤＣＣＨ  ＣＣに配置されることを意味する。よ
り詳細には、ＰＤＣＣＨ  ＣＣとＰＵＳＣＨ  ＣＣの対応付けとは、ＰＵＳＣＨ  ＣＣに
配置されるＰＵＳＣＨに対応する上りリンクグラントであって、キャリアインディケータ
も構成される上りリンクグラントを含むＰＤＣＣＨが、ＰＵＳＣＨ  ＣＣと対応付けられ
るＰＤＣＣＨ  ＣＣに配置されることを意味する。
【００８０】
ここで説明される対応付けは、上記で説明したように、キャリアインディケータを含ま
ないＰＤＣＣＨに対しての下りリンクコンポーネントキャリアと上りリンクコンポーネン
トキャリアの対応付けとは異なる。セルアグリゲーションに用いられる複数のＰＤＳＣＨ
ＣＣのそれぞれが同じＰＤＣＣＨ  ＣＣに対応付けられてもよいし、セルアグリゲーシ
ョンに用いられる複数のＰＤＳＣＨ  ＣＣのそれぞれが異なるＰＤＣＣＨ  ＣＣに対応付
けられてもよい。例えば、１個のＰＤＣＣＨ  ＣＣに複数のＰＤＳＣＨ  ＣＣが対応付け
られる場合、そのＰＤＣＣＨ  ＣＣで送信されるＰＤＣＣＨが何れのＰＤＳＣＨ  ＣＣの
ＰＤＳＣＨのリソースの割り当てを示しているかはキャリアインディケータによって認識
される。
【００８１】
基地局装置３は、各ＰＤＳＣＨ  ＣＣに対してＰＤＣＣＨ  ＣＣとして対応付けられた
下りリンクコンポーネントキャリアを示す情報を移動局装置５に通知する。なお、この情
報は無線リンク制御（RRC）シグナリングを用いて通知される。移動局装置５は、基地局
装置３よりＲＲＣシグナリングを用いて通知された情報に基づき、各ＰＤＳＣＨ  ＣＣの
ＰＤＳＣＨのキャリアインディケータ付きの下りリンクアサインメントを含むＰＤＣＣＨ
が配置される可能性のある下りリンクコンポーネントキャリアを認識する。なお、プライ
マリセルで送信されるＰＤＳＣＨの下りリンクアサインメントを含むＰＤＣＣＨはプライ
マリセルでのみ送信され、セカンダリセルで送信されるＰＤＳＣＨの下りリンクアサイン
メントを含むＰＤＣＣＨはプライマリセル、またはセカンダリセルで送信される。言い換
えると、プライマリセルでは必ずＰＤＣＣＨ  ＣＣとＰＤＳＣＨ  ＣＣが構成され、更に
プライマリセルで構成されるＰＤＣＣＨ  ＣＣとＰＤＳＣＨ  ＣＣは対応付けられる。ま
た、プライマリセルのＰＵＳＣＨ  ＣＣは、プライマリセルのＰＤＣＣＨ  ＣＣと対応付
けられる。プライマリセルのＰＤＳＣＨ  ＣＣとＰＵＳＣＨ  ＣＣはＳＩＢ２  ｌｉｎｋ
ａｇｅを有する。セカンダリセルでは、ＰＤＳＣＨ  ＣＣは構成されるが、ＰＤＣＣＨ  
ＣＣが構成されなくてもよい。セカンダリセルで構成されたＰＤＳＣＨ  ＣＣと対応付け
られるＰＤＣＣＨ  ＣＣは、プライマリセルで構成されてもよいし、その他のセカンダリ
セルで構成されてもよい。なお、ＰＤＣＣＨ  ＣＣが構成されるセルでは必ずＰＤＳＣＨ
ＣＣとＰＵＳＣＨ  ＣＣが構成され、同一セル内のＰＤＣＣＨ  ＣＣとＰＤＳＣＨ  Ｃ
Ｃ、およびＰＤＣＣＨ  ＣＣとＰＵＳＣＨ  ＣＣが対応付けられる。なお、ＲＲＣシグナ
リングはＰＤＳＣＨで通知される。なお、プライマリセルのＰＤＳＣＨ  ＣＣおよびＰＵ
ＳＣＨ  ＣＣと対応付けられるＰＤＳＣＨ  ＣＣは必ず同じプライマリセルに構成される
ため、それらの関係を示す情報は移動局装置５に対して通知されない。また、Ｃｒｏｓｓ
−ＣＣ  ｓｃｈｅｄｕｌｉｎｇが適用されない場合、ＰＤＳＣＨ  ＣＣとＰＤＣＣＨ  Ｃ
Ｃの対応付けを示す情報は基地局装置３から移動局装置５に対して通知されない。Ｃｒｏ
ｓｓ−ＣＣ  ｓｃｈｅｄｕｌｉｎｇが適用されない場合、下りリンクアサインメントにキ
ャリアインディケータは含まれない。
【００８２】
＜ＰＤＣＣＨの構成＞
ＰＤＣＣＨは、複数の制御チャネルエレメント（CCE: Control Channel Element）によ
り構成される。各下りリンクコンポーネントキャリアで用いられるＣＣＥの数は、下りリ
ンクコンポーネントキャリア帯域幅と、ＰＤＣＣＨを構成するＯＦＤＭシンボルの数と、
通信に用いる基地局装置３の送信アンテナの数に応じた下りリンクパイロットチャネルの
下りリンク参照信号の数に依存する。ＣＣＥは、後述するように、複数の下りリンクリソ
ースエレメントにより構成される。
【００８３】
図１３は、本発明の実施形態に係る通信システムのＰＤＣＣＨとＣＣＥの論理的な関係
を説明する図である。基地局装置３と移動局装置５間で用いられるＣＣＥには、ＣＣＥを
識別するための番号が付与されている。ＣＣＥの番号付けは、予め決められた規則に基づ
いて行なわれる。ここで、ＣＣＥ  ｔは、ＣＣＥ番号ｔのＣＣＥを示す。ＰＤＣＣＨは、
複数のＣＣＥからなる集合（CCE Aggregation）により構成される。この集合を構成する
ＣＣＥの数を、以下、「ＣＣＥ集合数」（CCE aggregation number）と称す。ＰＤＣＣＨ
を構成するＣＣＥ  ａｇｇｒｅｇａｔｉｏｎ  ｎｕｍｂｅｒは、ＰＤＣＣＨに設定される
符号化率、ＰＤＣＣＨに含められるＤＣＩのビット数に応じて基地局装置３において設定
される。また、ｎ個のＣＣＥからなる集合を、以下、「ＣＣＥ  ａｇｇｒｅｇａｔｉｏｎ
ｎ」という。例えば、基地局装置３は、１個のＣＣＥを用いてＰＤＣＣＨを構成したり
（ＣＣＥ  ａｇｇｒｅｇａｔｉｏｎ  １）、２個のＣＣＥを用いてＰＤＣＣＨを構成した
り（ＣＣＥ  ａｇｇｒｅｇａｔｉｏｎ  ２）、４個のＣＣＥを用いてＰＤＣＣＨを構成し
たり（ＣＣＥ  ａｇｇｒｅｇａｔｉｏｎ  ４）、８個のＣＣＥを用いてＰＤＣＣＨを構成
したりする（ＣＣＥ  ａｇｇｒｅｇａｔｉｏｎ  ８）。例えば、基地局装置３はチャネル
品質の良い移動局装置５に対してはＰＤＣＣＨを構成するＣＣＥの数が少ないＣＣＥ  ａ
ｇｇｒｅｇａｔｉｏｎ  ｎｕｍｂｅｒを用い、チャネル品質の悪い移動局装置５に対して
はＰＤＣＣＨを構成するＣＣＥの数が多いＣＣＥ  ａｇｇｒｅｇａｔｉｏｎ  ｎｕｍｂｅ
ｒを用いる。また、例えば、基地局装置３はビット数の少ないＤＣＩを送信する場合、Ｐ
ＤＣＣＨを構成するＣＣＥの数が少ないＣＣＥ  ａｇｇｒｅｇａｔｉｏｎ  ｎｕｍｂｅｒ
を用い、ビット数の多いＤＣＩを送信する場合、ＰＤＣＣＨを構成するＣＣＥの数が多い
ＣＣＥ  ａｇｇｒｅｇａｔｉｏｎ  ｎｕｍｂｅｒを用いる。
【００８４】
ＣＣＥを構成する複数の下りリンクリソースエレメントは、複数のリソースエレメント
グループ（REG、mini-CCEとも称す）により構成される。リソースエレメントグループは
複数の下りリンクリソースエレメントから構成される。例えば、１個のリソースエレメン
トグループは４個の下りリンクリソースエレメントから構成される。図１４は、本発明の
実施形態に係る通信システムの下りリンクサブフレームにおけるリソースエレメントグル
ープの配置例を示す図である。ここでは、ＰＤＣＣＨが１番目から３番目までのＯＦＤＭ
シンボルにより構成され、２本の送信アンテナ（送信アンテナ１、送信アンテナ２）の下
りリンクパイロットチャネルに対応する下りリンク参照信号が配置される場合について示
す。この図において、縦軸は周波数領域、横軸は時間領域を表わしている。
【００８５】
図１４の配置例では、１個のリソースエレメントグループは周波数領域の隣接する４個
の下りリンクリソースエレメントにより構成される。図１４において、ＰＤＣＣＨの同一
の符号が付された下りリンクリソースエレメントは、同一のリソースエレメントグループ
に属することを示す。なお、下りリンクパイロットチャネルが配置されたリソースエレメ
ントＲ１（送信アンテナ１の下りリンクパイロットチャネルの信号）、Ｒ２（送信アンテ
ナ２の下りリンクパイロットチャネルの信号）は飛ばされて、リソースエレメントグルー
プが構成される。図１４では、周波数が最も低く、１番目のＯＦＤＭシンボルのリソース
エレメントグループから番号付け（符号「１」）が行なわれ、次に周波数が最も低く、２
番目のＯＦＤＭシンボルのリソースエレメントグループに番号付け（符号「２」）が行な
われ、次に周波数が最も低く、３番目のＯＦＤＭシンボルのリソースエレメントグループ
に番号付け（符号「３」）が行なわれることを示す。また、図１４では、次に下りリンク
パイロットチャネルが配置されない２番目のＯＦＤＭシンボルの番号付け（符号「２」）
が行なわれたリソースエレメントグループの周波数の隣接するリソースエレメントグルー
プに番号付け（符号「４」）が行なわれ、次に下りリンクパイロットチャネルが配置され
ない３番目のＯＦＤＭシンボルの番号付け（符号「３」）が行なわれたリソースエレメン
トグループの周波数の隣接するリソースエレメントグループに番号付け（符号「５」）が
行なわれることを示す。さらに、図１４では、次に１番目のＯＦＤＭシンボルの番号付け
（符号「１」）が行なわれたリソースエレメントグループの周波数の隣接するリソースエ
レメントグループに番号付け（符号「６」）が行なわれ、次に２番目のＯＦＤＭシンボル
の番号付け（符号「４」）が行なわれたリソースエレメントグループの周波数の隣接する
リソースエレメントグループに番号付け（符号「７」）が行なわれ、次に３番目のＯＦＤ
Ｍシンボルの番号付け（符号「５」）が行なわれたリソースエレメントグループの周波数
の隣接するリソースエレメントグループに番号付け（符号「８」）が行なわれることを示
す。以降のリソースエレメントグループに対しても同様の番号付けが行なわれる。
【００８６】
ＣＣＥは、図１４に示すように複数のリソースエレメントグループにより構成される。
例えば、１個のＣＣＥは、周波数領域及び時間領域に分散した９個の異なるリソースエレ
メントグループを用いて構成される。具体的には、下りリンクコンポーネントキャリア全
体に対して、この図のように番号付けされた全てのリソースエレメントグループに対して
ブロックインタリーバを用いてリソースエレメントグループ単位でインタリーブが行なわ
れ、インタリーブ後の番号の連続する９個のリソースエレメントグループにより１個のＣ
ＣＥが構成される。
【００８７】
＜ＣＣＥとＡＣＫ／ＮＡＣＫ用のＰＵＣＣＨのリソースの暗黙的な割り当て＞
ＡＣＫ／ＮＡＣＫの送信に用いられるＰＵＣＣＨ（ＰＵＣＣＨ  ｆｏｒｍａｔ  １ａ、
ＰＵＣＣＨ  ｆｏｒｍａｔ  １ｂ）のリソースは、ＰＤＣＣＨに用いられるＣＣＥに基づ
いて暗黙的に割り当てられる。ＡＣＫ／ＮＡＣＫ  ｃｈａｎｎｅｌ  ｓｅｌｅｃｔｉｏｎ
を用いてＡＣＫ／ＮＡＣＫを送信するように設定され、プライマリセルでＰＤＣＣＨが検
出される場合、暗黙的にＡＣＫ／ＮＡＣＫの情報を示すために行われるＰＵＣＣＨ（ＰＵ
ＣＣＨ  ｆｏｒｍａｔ  １ｂ）のリソースの選択に用いる候補リソースが、ＰＤＣＣＨに
用いられるＣＣＥに基づいて暗黙的に移動局装置５に対して割り当てられる。このような
リソース割り当ては、暗黙的なリソース割り当てと呼称する。暗黙的なリソース割り当て
とは、リソースを割り当てるためだけの情報を用いず、その他の情報を流用してリソース
の割り当てが行なわれることを意味する。一方、明示的なリソース割り当てとは、リソー
スを割り当てるためだけの情報が用いられてリソースの割り当てが行なわれることを意味
する。
【００８８】
ＣＣＥとＡＣＫ／ＮＡＣＫの送信に用いられるＰＵＣＣＨのリソースとの対応付けにつ
いて説明する。下りリンクコンポーネントキャリア内の全てのＣＣＥに予め決められた規
則に基づいて識別番号が付与される。プライマリセルの上りリンクコンポーネントキャリ
アに構成される、ＡＣＫ／ＮＡＣＫの送信に用いられる、全てのＰＵＣＣＨのリソースに
予め決められた規則に基づいて識別番号が付与される。例えば、同一の識別番号のＣＣＥ
とＰＵＣＣＨのリソースが対応付けられる。
【００８９】
図１５は、本発明の実施形態に係る通信システムのＡＣＫ／ＮＡＣＫ用のＰＵＣＣＨの
リソースの構成と番号を示す図である。図１５では、各上りリンクサブフレームに２４個
のＡＣＫ／ＮＡＣＫ用のＰＵＣＣＨのリソースが構成される場合について示す。また、図
１５では、ＡＣＫ／ＮＡＣＫ用のＰＵＣＣＨのリソースに２個の上りリンク物理リソース
ブロックペア（ＰＲＢ  ｐａｉｒ）（ＰＲＢ  ｐａｉｒ  １、ＰＲＢ  ｐａｉｒ  ２）、
４個の周波数領域の符号系列（周波数領域のＣｏｄｅ）（周波数領域のＣｏｄｅ  １、周
波数領域のＣｏｄｅ  ２、周波数領域のＣｏｄｅ  ３、周波数領域のＣｏｄｅ  ４）、３
個の時間領域の符号系列（時間領域のＣｏｄｅ）（時間領域のＣｏｄｅ  １、時間領域の
Ｃｏｄｅ  ２、時間領域のＣｏｄｅ  ３）が用いられる場合について示す。なお、図１５
に示す数とは異なる個数の上りリンク物理リソースブロックペア、周波数領域の符号系列
、時間領域の符号系列が用いられてもよく、図１５に示す数とは異なる個数のＰＵＣＣＨ
のリソースが上りリンクコンポーネントキャリアに構成されてもよい。なお、ここで示す
上りリンク物理リソースブロックペアの番号は、ＡＣＫ／ＮＡＣＫ用のＰＵＣＣＨのリソ
ースに用いられる上りリンク物理リソースブロックペアの番号を示し、例えば、上りリン
クのシステム帯域で最も周波数の低い上りリンク物理リソースブロックペアの番号を一義
的に示すものではない。図１５に示す各ＰＵＣＣＨのリソースは、上りリンク物理リソー
スブロックペア、周波数領域の符号系列、時間領域の符号系列の異なる組み合わせから構
成され、周波数領域、または周波数領域での符号領域、または時間領域での符号領域で直
交関係にある。
【００９０】
図１３に示すＣＣＥと図１５に示すＡＣＫ／ＮＡＣＫ用のＰＵＣＣＨのリソースは予め
決められた規則に基づいて対応付けられる。ＣＣＥの識別番号とＡＣＫ／ＮＡＣＫ用のＰ
ＵＣＣＨのリソースの識別番号が予め対応付けられ、例えば、同じ値の識別番号のＣＣＥ
とＡＣＫ／ＮＡＣＫ用のＰＵＣＣＨのリソースが対応付けられる。例えば、ＣＣＥ  １は
ＰＵＣＣＨ  １と対応し、ＣＣＥ  ２はＰＵＣＣＨ  ２と対応する。移動局装置５は、自
装置宛てのＤＣＩを検出したＰＤＣＣＨに用いられるＣＣＥの中で最も番号の小さいＣＣ
Ｅと対応する番号のＰＵＣＣＨのリソースを用いて、そのＰＤＣＣＨによってリソースの
割り当てが示されたＰＤＳＣＨのデータに対するＡＣＫ／ＮＡＣＫを送信する。例えば、
移動局装置５は、自装置宛てのＤＣＩを検出したＰＤＣＣＨに用いられるＣＣＥの中で最
も番号の小さいＣＣＥと対応する番号のＰＵＣＣＨのリソースに変調信号を配置して送信
する。この動作は、セルアグリゲーションが用いられない場合に、移動局装置５によって
行われる。また、例えば、移動局装置５は、自装置宛てのＤＣＩを検出したＰＤＣＣＨに
用いられるＣＣＥの中で最も番号の小さいＣＣＥと対応する番号のＰＵＣＣＨのリソース
を、暗黙的にＡＣＫ／ＮＡＣＫの情報を示すために行うＰＵＣＣＨのリソースの選択に用
い、選択したＰＵＣＣＨのリソースに変調信号を配置して送信する。この動作は、セルア
グリゲーションが用いられ、ＡＣＫ／ＮＡＣＫ  ｃｈａｎｎｅｌ  ｓｅｌｅｃｔｉｏｎが
用いられる場合に、移動局装置５によって行われる。基地局装置３は、ＣＣＥとＡＣＫ／
ＮＡＣＫ用のＰＵＣＣＨのリソースの対応付けを移動局装置５と同様に認識しており、移
動局装置５に割り当てるＡＣＫ／ＮＡＣＫ用のＰＵＣＣＨのリソースを考慮してＰＤＣＣ
Ｈに用いるＣＣＥを割り当てる。つまり、移動局装置５は、自装置宛てのＤＣＩを検出し
たＰＤＣＣＨに用いられるＣＣＥに基づき、自装置に割り当てられたＡＣＫ／ＮＡＣＫ用
のＰＵＣＣＨのリソースを認識する。
【００９１】
明示的なリソース割り当てで用いられるＰＵＣＣＨの候補リソース（候補リソースの候
補も含む）も、図１５と同様に、上りリンク物理リソースブロックペア、周波数領域の符
号系列、時間領域の符号系列の異なる組み合わせから構成される。明示的なリソース割り
当てで用いられるＰＵＣＣＨの候補リソース（候補リソースの候補も含む）と、暗黙的な
リソース割り当てで用いられるＰＵＣＣＨの候補リソースは、異なる上りリンク物理リソ
ースブロックペアから構成される。
【００９２】
＜ＡＣＫ／ＮＡＣＫの送信方法＞
セルアグリゲーションが用いられない場合、移動局装置５は、自装置宛てのＤＣＩを検
出したＰＤＣＣＨに用いられるＣＣＥと対応付けられたＰＵＣＣＨのリソースを用いて、
ＡＣＫまたはＮＡＣＫを示す情報を変調した信号を送信する。言い換えると、セルアグリ
ゲーションが用いられない場合、移動局装置５は、暗黙的なリソース割り当てで割り当て
られるリソースを用いて、ＰＵＣＣＨ  ｆｏｒｍａｔ  １ａ、またはＰＵＣＣＨ  ｆｏｒ
ｍａｔ  １ｂを送信する。
【００９３】
セルアグリゲーションが用いられ、ＡＣＫ／ＮＡＣＫ  ｃｈａｎｎｅｌ  ｓｅｌｅｃｔ
ｉｏｎが設定されている場合、移動局装置５は、基本的に複数のＰＵＣＣＨの候補リソー
スから１個のリソースを選択して、ＡＣＫ／ＮＡＣＫの情報を変調した信号を送信する。
言い換えると、セルアグリゲーションが用いられ、ＡＣＫ／ＮＡＣＫ  ｃｈａｎｎｅｌ  
ｓｅｌｅｃｔｉｏｎが設定されている場合、移動局装置５は、暗黙的なリソース割り当て
および／または明示的なリソース割り当てで割り当てられる候補リソースを用いて、ＰＵ
ＣＣＨ  ｆｏｒｍａｔ  １ｂを送信する。ＡＣＫ／ＮＡＣＫ  ｃｈａｎｎｅｌ  ｓｅｌｅ
ｃｔｉｎでは、移動局装置５が複数のＰＵＣＣＨの候補リソースから１個のリソースを選
択することにより、暗黙的にＡＣＫ／ＮＡＣＫの情報が示され、移動局装置５が選択した
リソースを用いて変調した信号を送信することにより、明示的にＡＣＫ／ＮＡＣＫの情報
が示される。ＡＣＫ／ＮＡＣＫ  ｃｈａｎｎｅｌ  ｓｅｌｅｃｔｉｏｎでは、移動局装置
５は２種類の情報の示し方を併用することにより、複数のＡＣＫ／ＮＡＣＫの情報を基地
局装置３に通知することができる。
【００９４】
ＡＣＫ／ＮＡＣＫ  ｃｈａｎｎｅｌ  ｓｅｌｅｃｔｉｏｎの暗黙的にＡＣＫ／ＮＡＣＫ
の情報を示すために用いられるリソースの選択候補は、暗黙的に割り当てられたり、明示
的に割り当てられたりする。移動局装置５は、プライマリセルのみでＰＤＣＣＨが検出さ
れる場合、各ＰＤＣＣＨのＣＣＥに基づいて暗黙的に割り当てられたＰＵＣＣＨのリソー
スをＡＣＫ／ＮＡＣＫ  ｃｈａｎｎｅｌ  ｓｅｌｅｃｔｉｏｎの暗黙的にＡＣＫ／ＮＡＣ
Ｋの情報を示すために用いられるリソースの選択候補として用いる。移動局装置５は、プ
ライマリセルとセカンダリセルでＰＤＣＣＨが検出される場合、プライマリセルの１個以
上のＰＤＣＣＨのＣＣＥに基づいて暗黙的に割り当てられたＰＵＣＣＨのリソースと、セ
カンダリセルの１個以上のＰＤＣＣＨで明示的に割り当てられたＰＵＣＣＨのリソースを
ＡＣＫ／ＮＡＣＫ  ｃｈａｎｎｅｌ  ｓｅｌｅｃｔｉｏｎの暗黙的にＡＣＫ／ＮＡＣＫの
情報を示すために用いられるリソースの選択候補として用いる。セカンダリセルのＰＤＣ
ＣＨには、ＰＵＣＣＨの候補リソースを示す情報が明示的に含まれる。なお、ＲＲＣシグ
ナリングでＰＵＣＣＨの複数の候補リソースの候補が予め移動局装置５に対して割り当て
られ、セカンダリセルのＰＤＣＣＨに含まれる情報を用いてＲＲＣシグナリングで設定さ
れる複数のＰＵＣＣＨの候補リソースの候補の中から１つのリソースが示される。なお、
セカンダリセルのＰＤＣＣＨにＰＵＣＣＨの候補リソースを示す情報が明示的に含まれる
のではなく、ＲＲＣシグナリングでＰＵＣＣＨの候補リソースが予め明示的に割り当てら
れ、セカンダリセルでＰＤＣＣＨが検出される場合に予め明示的に割り当てられたＰＵＣ
ＣＨの候補リソースをＡＣＫ／ＮＡＣＫ  ｃｈａｎｎｅｌ  ｓｅｌｅｃｔｉｏｎの暗黙的
にＡＣＫ／ＮＡＣＫの情報を示すために用いられるリソースの選択処理に用いるようにし
てもよい。移動局装置５は、セカンダリセルでのみＰＤＣＣＨが検出される場合、セカン
ダリセルの１個以上のＰＤＣＣＨで明示的に割り当てられたＰＵＣＣＨの候補リソースを
ＡＣＫ／ＮＡＣＫ  ｃｈａｎｎｅｌ  ｓｅｌｅｃｔｉｏｎの暗黙的にＡＣＫ／ＮＡＣＫの
情報を示すために用いられるリソースの選択処理に用いる。なお、移動局装置５は、セカ
ンダリセルのみで１個のＰＤＣＣＨのみが検出される場合、リソースの選択により暗黙的
にＡＣＫ／ＮＡＣＫの情報を示すことは行わず、変調した信号をＰＤＣＣＨで示されるＰ
ＵＣＣＨのリソースで送信することにより明示的にＡＣＫ／ＮＡＣＫの情報を示すことの
みを行う。
【００９５】
なお、ＰＤＣＣＨに含まれるＰＵＣＣＨの候補リソースを示す制御情報は、通常はその
他の目的に使用される制御情報が流用されてもよい。ここで、制御情報が流用されるとい
うことは、制御情報フィールドが第一の場合は第一の制御情報として解釈され、第二の場
合は第二の制御情報として解釈され、第一の場合と第二の場合は異なり、第一の制御情報
と第二の制御情報は異なるということである。例えば、ＰＤＣＣＨがプライマリセルで送
信される場合は、ＰＵＣＣＨの送信電力制御値を示す制御情報（ＴＰＣ  ｃｏｍｍａｎｄ
）として解釈される制御情報フィールドが、ＰＤＣＣＨがセカンダリセルで送信される場
合は、暗黙的にＡＣＫ／ＮＡＣＫの情報を示すために用いられるＰＵＣＣＨの候補リソー
スを示す制御情報として解釈されてもよい。
【００９６】
＜ＡＣＫ／ＮＡＣＫ  ｃｈａｎｎｅｌ  ｓｅｌｅｃｔｉｏｎの一例＞
ＡＣＫ／ＮＡＣＫ  ｃｈａｎｎｅｌ  ｓｅｌｅｃｔｉｏｎの一例を説明する。なお、説
明の簡略化のため、ＡＣＫ／ＮＡＣＫ  ｃｈａｎｎｅｌ  ｓｅｌｅｃｔｉｏｎでＤＴＸ（
Ｄｉｓｃｏｎｔｉｎｕｏｕｓ  Ｔｒａｎｓｍｉｓｓｉｏｎ）の情報が示される場合の説明
は省略するが、ＤＴＸの情報が示されても本発明を適用することができる。ＤＴＸとは、
あるセルのＰＤＳＣＨでデータが受信されなかったことを示す。言い換えると、ＤＴＸと
は、あるセルのＰＤＳＣＨに対応する下りリンクアサインメントが検出されなかったこと
を示す。なお、以下の説明では、“ＡＣＫ／ＮＡＣＫ”はＡＣＫ、またはＮＡＣＫという
ことを意味する。また、説明の簡略化のため、Ｔｉｍｅ  ｄｏｍａｉｎ  ｂｕｎｄｌｉｎ
ｇが適用されず、同一の単一の下りリンクサブフレームで、複数のセルで受信されたデー
タに対するＡＣＫ／ＮＡＣＫに対する処理について先ず説明する。Ｔｉｍｅ  ｄｏｍａｉ
ｎ  ｂｕｎｄｌｉｎｇが適用され、複数の下りリンクサブフレームで、複数のセルで受信
されたデータに対するＡＣＫ／ＮＡＣＫに対する処理については後述する。
【００９７】
先ず、セルアグリゲーションに２つのセルが用いられ、各セルでは単一のデータ送信が
行われる場合について説明する。単一のデータ送信とは、ＰＤＳＣＨの送信に関して複数
のアンテナポートを用いたＭＩＭＯ（Ｍｕｌｔｉ−Ｉｎｐｕｔ  Ｍｕｌｔｉ−Ｏｕｔｐｕ
ｔ）による複数のデータの空間多重が用いられず、単一のデータの信号が送信されること
を意味する。単一のデータの信号は、シングルアンテナポートを用いて送信されたり、複
数のアンテナポートを用いて空間多重ではなくダイバーシチ送信されたり、重み付け送信
されたりすることができる。この場合、２ビットのＡＣＫ／ＮＡＣＫの情報がＰＵＣＣＨ
を用いて示される。２ビットで示される４種類の情報が２つのグループに分けられ、各グ
ループは２種類の情報から構成される。暗黙的に示される情報として２個のＰＵＣＣＨの
リソースの選択により何れのグループかが示され、グループ内のいずれの種類の情報かが
ＱＰＳＫの信号点により示される。なお、ここでは、ＱＰＳＫの信号点を複素数表現で表
す。ここで、アンテナポートは、信号処理で用いる論理的なアンテナを意味し、１個のア
ンテナポートは複数の物理的なアンテナから構成されてもよい。送信アンテナに関して、
同一のアンテナポートを構成する複数の物理的なアンテナは、同一の信号を送信する。同
一のアンテナポート内で、複数の物理的なアンテナを用いて、遅延ダイバーシチ、または
ＣＤＤ（Cyclic Delay Diversity）を適用することはできるが、その他の信号処理を用い
ることはできない。
【００９８】
図１６は、本発明の実施形態に係る通信システムのＡＣＫ／ＮＡＣＫの情報、ＡＣＫ／
ＮＡＣＫ  ｃｈａｎｎｅｌ  ｓｅｌｅｃｔｉｏｎで選択されるリソース、ＱＰＳＫの信号
点の関係を説明する図である。なお、図１６では、１ｓｔ  ＡＣＫ／ＮＡＣＫがプライマ
リセルのＰＤＳＣＨに対するＡＣＫ／ＮＡＣＫの情報を示し、２ｎｄ  ＡＣＫ／ＮＡＣＫ
がセカンダリセルのＰＤＳＣＨに対するＡＣＫ／ＮＡＣＫの情報を示す。図１６で、Ｒｅ
ｓｏｕｒｃｅ  １はプライマリセルのＰＤＳＣＨに対応する下りリンクアサインメントを
含むＰＤＣＣＨに基づいて割り当てられ、Ｒｅｓｏｕｒｃｅ  ２はセカンダリセルのＰＤ
ＳＣＨに対応する下りリンクアサインメントを含むＰＤＣＣＨに基づいて割り当てられる
。Ｒｅｓｏｕｒｃｅ  １とＲｅｓｏｕｒｃｅ  ２は、リソースの選択に用いられる候補リ
ソースである。プライマリセルのＰＤＳＣＨに対応する下りリンクアサインメントを含む
ＰＤＣＣＨはプライマリセルでのみ送信されるため、Ｒｅｓｏｕｒｃｅ  １はＰＤＣＣＨ
のＣＣＥに基づく暗黙的なリソース割り当てにより割り当てられるリソースが用いられる
。セカンダリセルのＰＤＳＣＨに対応する下りリンクアサインメントを含むＰＤＣＣＨが
プライマリセルで送信される場合、Ｒｅｓｏｕｒｃｅ  ２はＰＤＣＣＨのＣＣＥに基づく
暗黙的なリソース割り当てにより割り当てられるリソースが用いられる。セカンダリセル
のＰＤＳＣＨに対応する下りリンクアサインメントを含むＰＤＣＣＨがセカンダリセルで
送信される場合、Ｒｅｓｏｕｒｃｅ  ２はＰＤＣＣＨに明示的に含まれる制御情報に基づ
く明示的なリソース割り当てにより割り当てられるリソースが用いられる。ＡＣＫ／ＮＡ
ＣＫ  ｃｈａｎｎｅｌ  ｓｅｌｅｃｔｉｏｎでリソースの選択に用いられる候補リソース
は、セルに対応していると言うことができる。また、ＡＣＫ／ＮＡＣＫ  ｃｈａｎｎｅｌ
ｓｅｌｅｃｔｉｏｎでリソースの選択に用いられる候補リソースは、セルのＰＤＳＣＨ
に対応していると言うことができる。また、ＡＣＫ／ＮＡＣＫ  ｃｈａｎｎｅｌ  ｓｅｌ
ｅｃｔｉｏｎでリソースの選択に用いられる候補リソースは、セルのＰＤＳＣＨに含まれ
るデータに対応していると言うことができる。また、ＡＣＫ／ＮＡＣＫ  ｃｈａｎｎｅｌ
ｓｅｌｅｃｔｉｏｎでリソースの選択に用いられる候補リソースは、セルのＰＤＳＣＨ
に対応するＰＤＣＣＨに対応していると言うことができる。
【００９９】
移動局装置５は、プライマリセルのＰＤＳＣＨに対してはＡＣＫ、セカンダリセルのＰ
ＤＳＣＨに対してはＡＣＫを示す場合、Ｒｅｓｏｕｒｃｅ  ２を選択して、“−１”の信
号点のＱＰＳＫから生成した信号を送信する。移動局装置５は、プライマリセルのＰＤＳ
ＣＨに対してはＡＣＫ、セカンダリセルのＰＤＳＣＨに対してはＮＡＣＫを示す場合、Ｒ
ｅｓｏｕｒｃｅ  １を選択して、“−１”の信号点のＱＰＳＫから生成した信号を送信す
る。移動局装置５は、プライマリセルのＰＤＳＣＨに対してはＮＡＣＫ、セカンダリセル
のＰＤＳＣＨに対してはＡＣＫを示す場合、Ｒｅｓｏｕｒｃｅ  ２を選択して、“＋１”
の信号点のＱＰＳＫから生成した信号を送信する。移動局装置５は、プライマリセルのＰ
ＤＳＣＨに対してはＮＡＣＫ、セカンダリセルのＰＤＳＣＨに対してはＮＡＣＫを示す場
合、Ｒｅｓｏｕｒｃｅ  １を選択して、“＋１”の信号点のＱＰＳＫから生成した信号を
送信する。
【０１００】
次に、セルアグリゲーションに２つのセルが用いられ、プライマリセルでは２個のデー
タ送信、セカンダリセルでは単一のデータ送信が行われる場合について説明する。２個の
データ送信とは、ＰＤＳＣＨの送信に関してＭＩＭＯによる空間多重が用いられ、複数の
アンテナポートで２個のデータ系列（トランスポートブロック）の信号が同時に送信され
ることを意味する。この場合、３ビットのＡＣＫ／ＮＡＣＫの情報がＰＵＣＣＨを用いて
示される。３ビットで示される８種類の情報が２つのグループに分けられ、各グループは
４種類の情報から構成される。暗黙的に示される情報としてＰＵＣＣＨのリソースの選択
により何れのグループかが示され、グループ内のいずれの種類の情報かがＱＰＳＫの信号
点により示される。なお、ここでは、ＱＰＳＫの信号点を複素数表現で表す。
【０１０１】
図１７は、本発明の実施形態に係る通信システムのＡＣＫ／ＮＡＣＫの情報、ＡＣＫ／
ＮＡＣＫ  ｃｈａｎｎｅｌ  ｓｅｌｅｃｔｉｏｎで選択されるリソース、ＱＰＳＫの信号
点の関係を説明する図である。なお、図１７では、１ｓｔ  ＡＣＫ／ＮＡＣＫがプライマ
リセルのＰＤＳＣＨの第一のデータ系列に対するＡＣＫ／ＮＡＣＫの情報を示し、２ｎｄ
ＡＣＫ／ＮＡＣＫがプライマリセルのＰＤＳＣＨの第二のデータ系列に対するＡＣＫ／
ＮＡＣＫの情報を示し、３ｒｄ  ＡＣＫ／ＮＡＣＫがセカンダリセルのＰＤＳＣＨに対す
るＡＣＫ／ＮＡＣＫの情報を示す。図１７で、Ｒｅｓｏｕｒｃｅ  １とＲｅｓｏｕｒｃｅ
２はプライマリセルのＰＤＳＣＨに対応する下りリンクアサインメントを含むＰＤＣＣ
Ｈに基づいて割り当てられ、Ｒｅｓｏｕｒｃｅ  ３はセカンダリセルのＰＤＳＣＨに対応
する下りリンクアサインメントを含むＰＤＣＣＨに基づいて割り当てられる。プライマリ
セルのＰＤＳＣＨに対応する下りリンクアサインメントを含むＰＤＣＣＨはプライマリセ
ルでのみ送信されるため、Ｒｅｓｏｕｒｃｅ  １とＲｅｓｏｕｒｃｅ  ２はＰＤＣＣＨの
ＣＣＥに基づく暗黙的なリソース割り当てにより割り当てられるリソースが用いられる。
セカンダリセルのＰＤＳＣＨに対応する下りリンクアサインメントを含むＰＤＣＣＨがプ
ライマリセルで送信される場合、Ｒｅｓｏｕｒｃｅ  ３はＰＤＣＣＨのＣＣＥに基づく暗
黙的なリソース割り当てにより割り当てられるリソースが用いられる。セカンダリセルの
ＰＤＳＣＨに対応する下りリンクアサインメントを含むＰＤＣＣＨがセカンダリセルで送
信される場合、Ｒｅｓｏｕｒｃｅ  ３はＰＤＣＣＨに明示的に含まれる制御情報に基づく
明示的なリソース割り当てにより割り当てられるリソースが用いられる。ここで、Ｒｅｓ
ｏｕｒｃｅ  ２はＲｅｓｏｕｒｃｅ  １に用いられるＰＵＣＣＨのリソースに対して識別
番号が所定の値だけシフトした識別番号のＰＵＣＣＨのリソースが用いられる。例えば、
Ｒｅｓｏｕｒｃｅ  １は最小の番号のＣＣＥと識別番号が同じＰＵＣＣＨのリソースが用
いられ、Ｒｅｓｏｕｒｃｅ  ２はＲｅｓｏｕｒｃｅ  １に用いられるＰＵＣＣＨのリソー
スに対して識別番号が＋１の値だけシフトした識別番号のＰＵＣＣＨのリソースが用いら
れる。
【０１０２】
移動局装置５は、プライマリセルのＰＤＳＣＨの第一のデータ系列に対してはＡＣＫ、
プライマリセルのＰＤＳＣＨの第二のデータ系列に対してはＡＣＫ、セカンダリセルのＰ
ＤＳＣＨに対してはＡＣＫを示す場合、Ｒｅｓｏｕｒｃｅ  ２を選択して、“−１”の信
号点のＱＰＳＫから生成した信号を送信する。移動局装置５は、プライマリセルのＰＤＳ
ＣＨの第一のデータ系列に対してはＡＣＫ、プライマリセルのＰＤＳＣＨの第二のデータ
系列に対してはＮＡＣＫ、セカンダリセルのＰＤＳＣＨに対してはＡＣＫを示す場合、Ｒ
ｅｓｏｕｒｃｅ  ２を選択して、“＋ｊ”の信号点のＱＰＳＫから生成した信号を送信す
る。移動局装置５は、プライマリセルのＰＤＳＣＨの第一のデータ系列に対してはＮＡＣ
Ｋ、プライマリセルのＰＤＳＣＨの第二のデータ系列に対してはＡＣＫ、セカンダリセル
のＰＤＳＣＨに対してはＡＣＫを示す場合、Ｒｅｓｏｕｒｃｅ  ２を選択して、“−ｊ”
の信号点のＱＰＳＫから生成した信号を送信する。移動局装置５は、プライマリセルのＰ
ＤＳＣＨの第一のデータ系列に対してはＮＡＣＫ、プライマリセルのＰＤＳＣＨの第二の
データ系列に対してはＮＡＣＫ、セカンダリセルのＰＤＳＣＨに対してはＡＣＫを示す場
合、Ｒｅｓｏｕｒｃｅ  ３を選択して、“−１”の信号点のＱＰＳＫから生成した信号を
送信する。移動局装置５は、プライマリセルのＰＤＳＣＨの第一のデータ系列に対しては
ＡＣＫ、プライマリセルのＰＤＳＣＨの第二のデータ系列に対してはＡＣＫ、セカンダリ
セルのＰＤＳＣＨに対してはＮＡＣＫを示す場合、Ｒｅｓｏｕｒｃｅ  １を選択して、“
−１”の信号点のＱＰＳＫから生成した信号を送信する。移動局装置５は、プライマリセ
ルのＰＤＳＣＨの第一のデータ系列に対してはＡＣＫ、プライマリセルのＰＤＳＣＨの第
二のデータ系列に対してはＮＡＣＫ、セカンダリセルのＰＤＳＣＨに対してはＮＡＣＫを
示す場合、Ｒｅｓｏｕｒｃｅ  １を選択して、“＋ｊ”の信号点のＱＰＳＫから生成した
信号を送信する。移動局装置５は、プライマリセルのＰＤＳＣＨの第一のデータ系列に対
してはＮＡＣＫ、プライマリセルのＰＤＳＣＨの第二のデータ系列に対してはＡＣＫ、セ
カンダリセルのＰＤＳＣＨに対してはＮＡＣＫを示す場合、Ｒｅｓｏｕｒｃｅ  １を選択
して、“−ｊ”の信号点のＱＰＳＫから生成した信号を送信する。移動局装置５は、プラ
イマリセルのＰＤＳＣＨの第一のデータ系列に対してはＮＡＣＫ、プライマリセルのＰＤ
ＳＣＨの第二のデータ系列に対してはＮＡＣＫ、セカンダリセルのＰＤＳＣＨに対しては
ＮＡＣＫを示す場合、Ｒｅｓｏｕｒｃｅ  ３を選択して、“＋１”の信号点のＱＰＳＫか
ら生成した信号を送信する。
【０１０３】
なお、セルアグリゲーションに２つのセルが用いられ、プライマリセルでは単一のデー
タ送信、セカンダリセルでは２個のデータ送信が行われる場合は、図１７において、１ｓ
ｔ  ＡＣＫ／ＮＡＣＫがセカンダリセルのＰＤＳＣＨの第一のデータ系列に対するＡＣＫ
／ＮＡＣＫの情報を示し、２ｎｄ  ＡＣＫ／ＮＡＣＫがセカンダリセルのＰＤＳＣＨの第
二のデータ系列に対するＡＣＫ／ＮＡＣＫの情報を示し、３ｒｄ  ＡＣＫ／ＮＡＣＫがプ
ライマリセルのＰＤＳＣＨに対するＡＣＫ／ＮＡＣＫの情報を示し、Ｒｅｓｏｕｒｃｅ  
１とＲｅｓｏｕｒｃｅ  ２はセカンダリセルのＰＤＳＣＨに対応する下りリンクアサイン
メントを含むＰＤＣＣＨに基づいて割り当てられ、Ｒｅｓｏｕｒｃｅ  ３はプライマリセ
ルのＰＤＳＣＨに対応する下りリンクアサインメントを含むＰＤＣＣＨに基づいて割り当
てられる。
【０１０４】
次に、セルアグリゲーションに２つのセルが用いられ、プライマリセルでは２個のデー
タ送信、セカンダリセルでは２個のデータ送信が行われる場合について説明する。この場
合、４ビットのＡＣＫ／ＮＡＣＫの情報がＰＵＣＣＨを用いて示される。４ビットで示さ
れる１６種類の情報が４つのグループに分けられ、各グループは４種類の情報から構成さ
れる。暗黙的に示される情報としてＰＵＣＣＨのリソースの選択により何れのグループか
が示され、グループ内のいずれの種類の情報かがＱＰＳＫの信号点により示される。なお
、ここでは、ＱＰＳＫの信号点を複素数表現で表す。
【０１０５】
図１８は、本発明の実施形態に係る通信システムのＡＣＫ／ＮＡＣＫの情報、ＡＣＫ／
ＮＡＣＫ  ｃｈａｎｎｅｌ  ｓｅｌｅｃｔｉｏｎで選択されるリソース、ＱＰＳＫの信号
点の関係を説明する図である。なお、図１８では、１ｓｔ  ＡＣＫ／ＮＡＣＫがプライマ
リセルのＰＤＳＣＨの第一のデータ系列に対するＡＣＫ／ＮＡＣＫの情報を示し、２ｎｄ
ＡＣＫ／ＮＡＣＫがプライマリセルのＰＤＳＣＨの第二のデータ系列に対するＡＣＫ／
ＮＡＣＫの情報を示し、３ｒｄ  ＡＣＫ／ＮＡＣＫがセカンダリセルのＰＤＳＣＨの第一
のデータ系列に対するＡＣＫ／ＮＡＣＫの情報を示し、４ｔｈ  ＡＣＫ／ＮＡＣＫがセカ
ンダリセルのＰＤＳＣＨの第二のデータ系列に対するＡＣＫ／ＮＡＣＫの情報を示す。図
１８で、Ｒｅｓｏｕｒｃｅ  １とＲｅｓｏｕｒｃｅ  ２はプライマリセルのＰＤＳＣＨに
対応する下りリンクアサインメントを含むＰＤＣＣＨに基づいて割り当てられ、Ｒｅｓｏ
ｕｒｃｅ  ３とＲｅｓｏｕｒｃｅ  ４はセカンダリセルのＰＤＳＣＨに対応する下りリン
クアサインメントを含むＰＤＣＣＨに基づいて割り当てられる。プライマリセルのＰＤＳ
ＣＨに対応する下りリンクアサインメントを含むＰＤＣＣＨはプライマリセルでのみ送信
されるため、Ｒｅｓｏｕｒｃｅ  １とＲｅｓｏｕｒｃｅ  ２はＰＤＣＣＨのＣＣＥに基づ
く暗黙的なリソース割り当てにより割り当てられるリソースが用いられる。ここで、Ｒｅ
ｓｏｕｒｃｅ  ２はＲｅｓｏｕｒｃｅ  １に用いられるＰＵＣＣＨのリソースに対して識
別番号が所定の値だけシフトした識別番号のＰＵＣＣＨのリソースが用いられる。例えば
、Ｒｅｓｏｕｒｃｅ  １は最小の番号のＣＣＥと識別番号が同じＰＵＣＣＨのリソースが
用いられ、Ｒｅｓｏｕｒｃｅ  ２はＲｅｓｏｕｒｃｅ  １に用いられるＰＵＣＣＨのリソ
ースに対して識別番号が＋１の値だけシフトした識別番号のＰＵＣＣＨのリソースが用い
られる。セカンダリセルのＰＤＳＣＨに対応する下りリンクアサインメントを含むＰＤＣ
ＣＨがプライマリセルで送信される場合、Ｒｅｓｏｕｒｃｅ  ３とＲｅｓｏｕｒｃｅ  ４
はＰＤＣＣＨのＣＣＥに基づく暗黙的なリソース割り当てにより割り当てられるリソース
が用いられる。ここで、Ｒｅｓｏｕｒｃｅ  ４はＲｅｓｏｕｒｃｅ  ３に用いられるＰＵ
ＣＣＨのリソースに対して識別番号が所定の値だけシフトした識別番号のＰＵＣＣＨのリ
ソースが用いられる。例えば、Ｒｅｓｏｕｒｃｅ  ３は最小の番号のＣＣＥと識別番号が
同じＰＵＣＣＨのリソースが用いられ、Ｒｅｓｏｕｒｃｅ  ４はＲｅｓｏｕｒｃｅ  ３に
用いられるＰＵＣＣＨのリソースに対して識別番号が＋１の値だけシフトした識別番号の
ＰＵＣＣＨのリソースが用いられる。セカンダリセルのＰＤＳＣＨに対応する下りリンク
アサインメントを含むＰＤＣＣＨがセカンダリセルで送信される場合、Ｒｅｓｏｕｒｃｅ
３とＲｅｓｏｕｒｃｅ  ４はＰＤＣＣＨに明示的に含まれる制御情報に基づく明示的な
リソース割り当てにより割り当てられるリソースが用いられる。ここで、ＰＤＣＣＨに明
示的に含まれる制御情報に基づきＲｅｓｏｕｒｃｅ  ３のリソースが明示的に示され、Ｒ
ｅｓｏｕｒｃｅ  ４はＲｅｓｏｕｒｃｅ  ３に用いられるＰＵＣＣＨのリソースに対して
識別番号が所定の値だけシフトした識別番号のＰＵＣＣＨのリソースが用いられる。例え
ば、Ｒｅｓｏｕｒｃｅ  ４はＲｅｓｏｕｒｃｅ  ３に用いられるＰＵＣＣＨのリソースに
対して識別番号が＋１の値だけシフトした識別番号のＰＵＣＣＨのリソースが用いられる
。または、予めＲＲＣシグナリングでＲｅｓｏｕｒｃｅ  ３用のリソース候補とＲｅｓｏ
ｕｒｃｅ  ４用のリソース候補がそれぞれ設定され、それぞれのリソース候補の中からリ
ソースを示す制御情報がＰＤＣＣＨで示される。なお、Ｒｅｓｏｕｒｃｅ  ３用のリソー
ス候補の中からリソースを示す制御情報およびＲｅｓｏｕｒｃｅ  ４用のリソース候補の
中からリソースを示す制御情報として、１個の共通の制御情報がＰＤＣＣＨに含まれる構
成でもよい。なお、セカンダリセルのＰＤＳＣＨに対応する下りリンクアサインメントを
含むＰＤＣＣＨがセカンダリセルで送信される場合、Ｒｅｓｏｕｒｃｅ  ２もＰＤＣＣＨ
に明示的に含まれる制御情報に基づく明示的なリソース割り当てによりリソースが割り当
てられてもよい。
【０１０６】
移動局装置５は、プライマリセルのＰＤＳＣＨの第一のデータ系列に対してはＡＣＫ、
プライマリセルのＰＤＳＣＨの第二のデータ系列に対してはＡＣＫ、セカンダリセルのＰ
ＤＳＣＨの第一のデータ系列に対してはＡＣＫ、セカンダリセルのＰＤＳＣＨの第二のデ
ータ系列に対してはＡＣＫを示す場合、Ｒｅｓｏｕｒｃｅ  ２を選択して、“−１”の信
号点のＱＰＳＫから生成した信号を送信する。移動局装置５は、プライマリセルのＰＤＳ
ＣＨの第一のデータ系列に対してはＡＣＫ、プライマリセルのＰＤＳＣＨの第二のデータ
系列に対してはＮＡＣＫ、セカンダリセルのＰＤＳＣＨの第一のデータ系列に対してはＡ
ＣＫ、セカンダリセルのＰＤＳＣＨの第二のデータ系列に対してはＡＣＫを示す場合、Ｒ
ｅｓｏｕｒｃｅ  ３を選択して、“＋ｊ”の信号点のＱＰＳＫから生成した信号を送信す
る。移動局装置５は、プライマリセルのＰＤＳＣＨの第一のデータ系列に対してはＮＡＣ
Ｋ、プライマリセルのＰＤＳＣＨの第二のデータ系列に対してはＡＣＫ、セカンダリセル
のＰＤＳＣＨの第一のデータ系列に対してはＡＣＫ、セカンダリセルのＰＤＳＣＨの第二
のデータ系列に対してはＡＣＫを示す場合、Ｒｅｓｏｕｒｃｅ  ２を選択して、“−ｊ”
の信号点のＱＰＳＫから生成した信号を送信する。移動局装置５は、プライマリセルのＰ
ＤＳＣＨの第一のデータ系列に対してはＮＡＣＫ、プライマリセルのＰＤＳＣＨの第二の
データ系列に対してはＮＡＣＫ、セカンダリセルのＰＤＳＣＨの第一のデータ系列に対し
てはＡＣＫ、セカンダリセルのＰＤＳＣＨの第二のデータ系列に対してはＡＣＫを示す場
合、Ｒｅｓｏｕｒｃｅ  ４を選択して、“−１”の信号点のＱＰＳＫから生成した信号を
送信する。移動局装置５は、プライマリセルのＰＤＳＣＨの第一のデータ系列に対しては
ＡＣＫ、プライマリセルのＰＤＳＣＨの第二のデータ系列に対してはＡＣＫ、セカンダリ
セルのＰＤＳＣＨの第一のデータ系列に対してはＡＣＫ、セカンダリセルのＰＤＳＣＨの
第二のデータ系列に対してはＮＡＣＫを示す場合、Ｒｅｓｏｕｒｃｅ  ２を選択して、“
＋ｊ”の信号点のＱＰＳＫから生成した信号を送信する。移動局装置５は、プライマリセ
ルのＰＤＳＣＨの第一のデータ系列に対してはＡＣＫ、プライマリセルのＰＤＳＣＨの第
二のデータ系列に対してはＮＡＣＫ、セカンダリセルのＰＤＳＣＨの第一のデータ系列に
対してはＡＣＫ、セカンダリセルのＰＤＳＣＨの第二のデータ系列に対してはＮＡＣＫを
示す場合、Ｒｅｓｏｕｒｃｅ  ３を選択して、“＋１”の信号点のＱＰＳＫから生成した
信号を送信する。移動局装置５は、プライマリセルのＰＤＳＣＨの第一のデータ系列に対
してはＮＡＣＫ、プライマリセルのＰＤＳＣＨの第二のデータ系列に対してはＡＣＫ、セ
カンダリセルのＰＤＳＣＨの第一のデータ系列に対してはＡＣＫ、セカンダリセルのＰＤ
ＳＣＨの第二のデータ系列に対してはＮＡＣＫを示す場合、Ｒｅｓｏｕｒｃｅ  ２を選択
して、“＋１”の信号点のＱＰＳＫから生成した信号を送信する。移動局装置５は、プラ
イマリセルのＰＤＳＣＨの第一のデータ系列に対してはＮＡＣＫ、プライマリセルのＰＤ
ＳＣＨの第二のデータ系列に対してはＮＡＣＫ、セカンダリセルのＰＤＳＣＨの第一のデ
ータ系列に対してはＡＣＫ、セカンダリセルのＰＤＳＣＨの第二のデータ系列に対しては
ＮＡＣＫを示す場合、Ｒｅｓｏｕｒｃｅ  ４を選択して、“＋ｊ”の信号点のＱＰＳＫか
ら生成した信号を送信する。移動局装置５は、プライマリセルのＰＤＳＣＨの第一のデー
タ系列に対してはＡＣＫ、プライマリセルのＰＤＳＣＨの第二のデータ系列に対してはＡ
ＣＫ、セカンダリセルのＰＤＳＣＨの第一のデータ系列に対してはＮＡＣＫ、セカンダリ
セルのＰＤＳＣＨの第二のデータ系列に対してはＡＣＫを示す場合、Ｒｅｓｏｕｒｃｅ  
３を選択して、“−１”の信号点のＱＰＳＫから生成した信号を送信する。移動局装置５
は、プライマリセルのＰＤＳＣＨの第一のデータ系列に対してはＡＣＫ、プライマリセル
のＰＤＳＣＨの第二のデータ系列に対してはＮＡＣＫ、セカンダリセルのＰＤＳＣＨの第
一のデータ系列に対してはＮＡＣＫ、セカンダリセルのＰＤＳＣＨの第二のデータ系列に
対してはＡＣＫを示す場合、Ｒｅｓｏｕｒｃｅ  ３を選択して、“＋ｊ”の信号点のＱＰ
ＳＫから生成した信号を送信する。移動局装置５は、プライマリセルのＰＤＳＣＨの第一
のデータ系列に対してはＮＡＣＫ、プライマリセルのＰＤＳＣＨの第二のデータ系列に対
してはＡＣＫ、セカンダリセルのＰＤＳＣＨの第一のデータ系列に対してはＮＡＣＫ、セ
カンダリセルのＰＤＳＣＨの第二のデータ系列に対してはＡＣＫを示す場合、Ｒｅｓｏｕ
ｒｃｅ  ４を選択して、“−ｊ”の信号点のＱＰＳＫから生成した信号を送信する。移動
局装置５は、プライマリセルのＰＤＳＣＨの第一のデータ系列に対してはＮＡＣＫ、プラ
イマリセルのＰＤＳＣＨの第二のデータ系列に対してはＮＡＣＫ、セカンダリセルのＰＤ
ＳＣＨの第一のデータ系列に対してはＮＡＣＫ、セカンダリセルのＰＤＳＣＨの第二のデ
ータ系列に対してはＡＣＫを示す場合、Ｒｅｓｏｕｒｃｅ  ４を選択して、“＋１”の信
号点のＱＰＳＫから生成した信号を送信する。移動局装置５は、プライマリセルのＰＤＳ
ＣＨの第一のデータ系列に対してはＡＣＫ、プライマリセルのＰＤＳＣＨの第二のデータ
系列に対してはＡＣＫ、セカンダリセルのＰＤＳＣＨの第一のデータ系列に対してはＮＡ
ＣＫ、セカンダリセルのＰＤＳＣＨの第二のデータ系列に対してはＮＡＣＫを示す場合、
Ｒｅｓｏｕｒｃｅ  １を選択して、“−１”の信号点のＱＰＳＫから生成した信号を送信
する。移動局装置５は、プライマリセルのＰＤＳＣＨの第一のデータ系列に対してはＡＣ
Ｋ、プライマリセルのＰＤＳＣＨの第二のデータ系列に対してはＮＡＣＫ、セカンダリセ
ルのＰＤＳＣＨの第一のデータ系列に対してはＮＡＣＫ、セカンダリセルのＰＤＳＣＨの
第二のデータ系列に対してはＮＡＣＫを示す場合、Ｒｅｓｏｕｒｃｅ  １を選択して、“
＋ｊ”の信号点のＱＰＳＫから生成した信号を送信する。移動局装置５は、プライマリセ
ルのＰＤＳＣＨの第一のデータ系列に対してはＮＡＣＫ、プライマリセルのＰＤＳＣＨの
第二のデータ系列に対してはＡＣＫ、セカンダリセルのＰＤＳＣＨの第一のデータ系列に
対してはＮＡＣＫ、セカンダリセルのＰＤＳＣＨの第二のデータ系列に対してはＮＡＣＫ
を示す場合、Ｒｅｓｏｕｒｃｅ  １を選択して、“−ｊ”の信号点のＱＰＳＫから生成し
た信号を送信する。移動局装置５は、プライマリセルのＰＤＳＣＨの第一のデータ系列に
対してはＮＡＣＫ、プライマリセルのＰＤＳＣＨの第二のデータ系列に対してはＮＡＣＫ
、セカンダリセルのＰＤＳＣＨの第一のデータ系列に対してはＮＡＣＫ、セカンダリセル
のＰＤＳＣＨの第二のデータ系列に対してはＮＡＣＫを示す場合、Ｒｅｓｏｕｒｃｅ  １
を選択して、“＋１”の信号点のＱＰＳＫから生成した信号を送信する。
【０１０７】
移動局装置５は、ＡＣＫ／ＮＡＣＫの情報、ＡＣＫ／ＮＡＣＫ  ｃｈａｎｎｅｌ  ｓｅ
ｌｅｃｔｉｏｎで選択されるリソース、ＱＰＳＫの信号点の関係に関して、設定されるセ
ルアグリゲーションの構成、送信モードに応じて何れの関係を適用するかを選択する。セ
ルアグリゲーションの構成とは、セルアグリゲーションに用いられるセルの数、プライマ
リセルとセカンダリセルの設定を含む。送信モードとは、各セルにおいて単一のデータ送
信が行なわれるのか、２個のデータ送信が基本的に行なわれるのかを意味する設定である
。言い換えると、送信モードは、ある下りリンクサブフレームにおいて送信されうるデー
タの最大数を意味する。２個のデータ送信が基本的に行なわれる送信モードが設定された
場合であっても、下りリンクサブフレーム毎に単一のデータが送信されたり、２個のデー
タが送信されたりする。なお、単一のデータ送信が行なわれる送信モードが設定された場
合、何れの下りリンクサブフレームでも単一のデータしか送信されず、２個のデータが送
信されることはない。
【０１０８】
なお、移動局装置５は、対応するＡＣＫ／ＮＡＣＫの情報が検出されなかった場合、つ
まり対応するデータがＤＴＸの場合、対応するＡＣＫ／ＮＡＣＫの情報をＮＡＣＫと設定
し、ＡＣＫ／ＮＡＣＫ  ｃｈａｎｎｅｌ  ｓｅｌｅｃｔｉｏｎを行なう。基地局装置３は
、移動局装置５に送信するデータが余りない場合、または他の移動局装置５へのリソース
の割り当てを優先した場合、移動局装置５に設定した全てのセルではデータの送信を行な
わず、一部のセルでしか送信を行なわない場合がある。そのような場合、移動局装置５は
、一部のセルのＰＤＳＣＨに対応するＰＤＣＣＨを検出せず、一部のセルのＰＤＳＣＨに
対応するＡＣＫ／ＮＡＣＫの情報を検出することができない。また、基地局装置３がＰＤ
ＣＣＨを送信したとしても、干渉、フェージングなどの影響により伝搬路環境が劣悪な場
合、移動局装置５は一部のセルのＰＤＳＣＨに対応するＰＤＣＣＨを検出できない場合が
ある。そのような場合も、移動局装置は、一部のセルのＰＤＳＣＨに対応するＡＣＫ／Ｎ
ＡＣＫの情報を検出することができない。
【０１０９】
例えば、図１７に示す、ＡＣＫ／ＮＡＣＫの情報、ＡＣＫ／ＮＡＣＫ  ｃｈａｎｎｅｌ
ｓｅｌｅｃｔｉｏｎで選択されるリソース、ＱＰＳＫの信号点の関係が適用され、プラ
イマリセルでは２個のデータ送信、セカンダリセルでは単一のデータ送信が行われる場合
について説明する。移動局装置５において、セカンダリセルのＰＤＳＣＨに対応するＰＤ
ＣＣＨは検出されたが、プライマリセルのＰＤＳＣＨに対応するＰＤＣＣＨは検出されな
かった場合、移動局装置５は１ｓｔ  ＡＣＫ／ＮＡＣＫと２ｎｄ  ＡＣＫ／ＮＡＣＫのそ
れぞれをＮＡＣＫと設定し、ＡＣＫ／ＮＡＣＫ  ｃｈａｎｎｅｌ  ｓｅｌｅｃｔｉｏｎを
行なう。なお、この場合、実際にはリソースの選択処理は行われず、Ｒｅｓｏｕｒｃｅ  
３のみが選択される。
【０１１０】
プライマリセルでは２個のデータ送信、セカンダリセルでは単一のデータ送信が行われ
る場合の例外処理について説明する。この場合、図１７に示す、ＡＣＫ／ＮＡＣＫの情報
、ＡＣＫ／ＮＡＣＫ  ｃｈａｎｎｅｌ  ｓｅｌｅｃｔｉｏｎで選択されるリソース、ＱＰ
ＳＫの信号点の関係に例外処理に関する関係が追加される。移動局装置５において、プラ
イマリセルのＰＤＳＣＨに対応するＰＤＣＣＨは検出されたが、セカンダリセルのＰＤＳ
ＣＨに対応するＰＤＣＣＨは検出されず、且つプライマリセルのＰＤＳＣＨの第一のデー
タ系列に対するＡＣＫ／ＮＡＣＫ（１ｓｔ  ＡＣＫ／ＮＡＣＫ）とプライマリセルのＰＤ
ＳＣＨの第二のデータ系列に対するＡＣＫ／ＮＡＣＫ（２ｎｄ  ＡＣＫ／ＮＡＣＫ）の両
方がＮＡＣＫである場合、Ｒｅｓｏｕｒｃｅ  １が選択され、“＋１”の信号点のＱＰＳ
Ｋから生成した信号が送信される。よって、この状況において、セカンダリセルのＰＤＳ
ＣＨに対応するＰＤＣＣＨが検出されず、プライマリセルのＰＤＳＣＨに対応するＰＤＣ
ＣＨのみが検出された場合、実際にはリソースの選択処理は行われず、Ｒｅｓｏｕｒｃｅ
１のみが選択される。
【０１１１】
例えば、図１７に示す、ＡＣＫ／ＮＡＣＫの情報、ＡＣＫ／ＮＡＣＫ  ｃｈａｎｎｅｌ
ｓｅｌｅｃｔｉｏｎで選択されるリソース、ＱＰＳＫの信号点の関係が適用され、セカ
ンダリセルでは２個のデータ送信、プライマリセルでは単一のデータ送信が行われる場合
について説明する。移動局装置５において、プライマリセルのＰＤＳＣＨに対応するＰＤ
ＣＣＨは検出されたが、セカンダリセルのＰＤＳＣＨに対応するＰＤＣＣＨは検出されな
かった場合、移動局装置５は１ｓｔ  ＡＣＫ／ＮＡＣＫと２ｎｄ  ＡＣＫ／ＮＡＣＫのそ
れぞれをＮＡＣＫと設定し、ＡＣＫ／ＮＡＣＫ  ｃｈａｎｎｅｌ  ｓｅｌｅｃｔｉｏｎを
行なう。なお、この場合、実際にはリソースの選択処理は行われず、Ｒｅｓｏｕｒｃｅ  
３のみが選択される。
【０１１２】
プライマリセルでは単一のデータ送信、セカンダリセルでは２個のデータ送信が行われ
る場合の例外処理について説明する。この場合、図１７に示す、ＡＣＫ／ＮＡＣＫの情報
、ＡＣＫ／ＮＡＣＫ  ｃｈａｎｎｅｌ  ｓｅｌｅｃｔｉｏｎで選択されるリソース、ＱＰ
ＳＫの信号点の関係に例外処理に関する関係が追加される。移動局装置５において、セカ
ンダリセルのＰＤＳＣＨに対応するＰＤＣＣＨは検出されたが、プライマリセルのＰＤＳ
ＣＨに対応するＰＤＣＣＨは検出されず、且つセカンダリセルのＰＤＳＣＨの第一のデー
タ系列に対するＡＣＫ／ＮＡＣＫ（１ｓｔ  ＡＣＫ／ＮＡＣＫ）とセカンダリセルのＰＤ
ＳＣＨの第二のデータ系列に対するＡＣＫ／ＮＡＣＫ（２ｎｄ  ＡＣＫ／ＮＡＣＫ）の両
方がＮＡＣＫである場合、Ｒｅｓｏｕｒｃｅ  １が選択され、“＋１”の信号点のＱＰＳ
Ｋから生成した信号が送信される。よって、この状況において、プライマリセルのＰＤＳ
ＣＨに対応するＰＤＣＣＨが検出されず、セカンダリセルのＰＤＳＣＨに対応するＰＤＣ
ＣＨのみが検出された場合、実際にはリソースの選択処理は行われず、Ｒｅｓｏｕｒｃｅ
１のみが選択される。
【０１１３】
例えば、図１６に示す、ＡＣＫ／ＮＡＣＫの情報、ＡＣＫ／ＮＡＣＫ  ｃｈａｎｎｅｌ
ｓｅｌｅｃｔｉｏｎで選択されるリソース、ＱＰＳＫの信号点の関係が適用され、プラ
イマリセルでは単一のデータ送信、セカンダリセルでは単一のデータ送信が行われる場合
について説明する。移動局装置５において、プライマリセルのＰＤＳＣＨに対応するＰＤ
ＣＣＨは検出されたが、セカンダリセルのＰＤＳＣＨに対応するＰＤＣＣＨは検出されな
かった場合、移動局装置５は２ｎｄ  ＡＣＫ／ＮＡＣＫをＮＡＣＫと設定し、ＡＣＫ／Ｎ
ＡＣＫ  ｃｈａｎｎｅｌ  ｓｅｌｅｃｔｉｏｎを行なう。なお、この場合、実際にはリソ
ースの選択処理は行われず、Ｒｅｓｏｕｒｃｅ  １のみが選択される。
【０１１４】
図１６に示す、ＡＣＫ／ＮＡＣＫの情報、ＡＣＫ／ＮＡＣＫ  ｃｈａｎｎｅｌ  ｓｅｌ
ｅｃｔｉｏｎで選択されるリソース、ＱＰＳＫの信号点の関係が適用される場合の例外処
理について説明する。移動局装置５において、セカンダリセルのＰＤＳＣＨに対応するＰ
ＤＣＣＨは検出されたが、プライマリセルのＰＤＳＣＨに対応するＰＤＣＣＨは検出され
ず、且つセカンダリセルのＰＤＳＣＨに対するＡＣＫ／ＮＡＣＫ（２ｎｄ  ＡＣＫ／ＮＡ
ＣＫ）がＮＡＣＫである場合、移動局装置５は何も信号を送信しない。よって、この状況
において、プライマリセルのＰＤＳＣＨに対応するＰＤＣＣＨが検出されず、セカンダリ
セルのＰＤＳＣＨに対応するＰＤＣＣＨのみが検出された場合、選択される可能性のある
リソースはＲｅｓｏｕｒｃｅ  ２のみである。
【０１１５】
例えば、図１８に示す、ＡＣＫ／ＮＡＣＫの情報、ＡＣＫ／ＮＡＣＫ  ｃｈａｎｎｅｌ
ｓｅｌｅｃｔｉｏｎで選択されるリソース、ＱＰＳＫの信号点の関係が適用され、プラ
イマリセルでは２個のデータ送信、セカンダリセルでは２個のデータ送信が行われる場合
について説明する。移動局装置５において、プライマリセルのＰＤＳＣＨに対応するＰＤ
ＣＣＨは検出されたが、セカンダリセルのＰＤＳＣＨに対応するＰＤＣＣＨは検出されな
かった場合、移動局装置５は３ｒｄ  ＡＣＫ／ＮＡＣＫと４ｔｈ  ＡＣＫ／ＮＡＣＫをＮ
ＡＣＫと設定し、ＡＣＫ／ＮＡＣＫ  ｃｈａｎｎｅｌ  ｓｅｌｅｃｔｉｏｎを行なう。な
お、この場合、実際にはリソースの選択処理は行われず、Ｒｅｓｏｕｒｃｅ  １のみが選
択される。
【０１１６】
図１８に示す、ＡＣＫ／ＮＡＣＫの情報、ＡＣＫ／ＮＡＣＫ  ｃｈａｎｎｅｌ  ｓｅｌ
ｅｃｔｉｏｎで選択されるリソース、ＱＰＳＫの信号点の関係が適用される場合の例外処
理について説明する。移動局装置５において、セカンダリセルのＰＤＳＣＨに対応するＰ
ＤＣＣＨは検出されたが、プライマリセルのＰＤＳＣＨに対応するＰＤＣＣＨは検出され
ず、且つセカンダリセルのＰＤＳＣＨの第一のデータ系列に対するＡＣＫ／ＮＡＣＫ（３
ｒｄ  ＡＣＫ／ＮＡＣＫ）とセカンダリセルのＰＤＳＣＨの第二のデータ系列に対するＡ
ＣＫ／ＮＡＣＫ（４ｔｈ  ＡＣＫ／ＮＡＣＫ）の両方がＮＡＣＫである場合、移動局装置
５は何も信号を送信しない。よって、この状況において、プライマリセルのＰＤＳＣＨに
対応するＰＤＣＣＨが検出されず、セカンダリセルのＰＤＳＣＨに対応するＰＤＣＣＨの
みが検出された場合、選択される可能性のあるリソースはＲｅｓｏｕｒｃｅ  ４のみであ
る。
【０１１７】
＜Ｔｉｍｅ  ｄｏｍａｉｎ  ｂｕｎｄｌｉｎｇ＞
ＡＣＫ／ＮＡＣＫのＴｉｍｅ  ｄｏｍａｉｎ  ｂｕｎｄｌｉｎｇについて説明する。Ｔ
ｉｍｅ  ｄｏｍａｉｎ  ｂｕｎｄｌｉｎｇを設定された移動局装置５は、同一のセルの複
数の下りリンクのサブフレーム（時間領域）の複数のデータに対するＡＣＫ／ＮＡＣＫ（
第一の受信確認応答）に対して論理演算を実行し、複数の第一の受信確認応答をまとめた
情報（第二の受信確認応答）を生成する。例えば、移動局装置５は、論理演算として、論
理積演算を実行する。移動局装置５は、Ｔｉｍｅ  ｄｏｍａｉｎ  ｂｕｎｄｌｉｎｇを行
う複数のＡＣＫ／ＮＡＣＫ（第一の受信確認応答）が全てＡＣＫである場合に、第二の受
信確認応答としてＡＣＫを生成し、基地局装置３へ送信する。移動局装置５は、Ｔｉｍｅ
ｄｏｍａｉｎ  ｂｕｎｄｌｉｎｇを行う複数のＡＣＫ／ＮＡＣＫ（第一の受信確認応答
）の少なくとも１個がＮＡＣＫである場合に、第二の受信確認応答としてＮＡＣＫを生成
し、基地局装置３へ送信する。ＴＤＤを用いた本発明の実施形態では、基地局装置３が１
個の無線フレーム内で幾つの下りリンクサブフレーム、幾つの上りリンクサブフレームを
構成するかを決定し、決定したサブフレームの構成を示す情報を移動局装置５に通知して
いる。移動局装置５は、通知されたサブフレームの構成に基づき、どの複数の下りリンク
サブフレームのデータに対する第一の受信確認応答をまとめて第二の受信確認応答を生成
し、どの上りリンクサブフレームのＰＵＣＣＨで第二の受信確認応答を送信するかを認識
する。
【０１１８】
ＡＣＫ／ＮＡＣＫのＴｉｍｅ  ｄｏｍａｉｎ  ｂｕｎｄｌｉｎｇの一例について説明す
る。移動局装置５が同一のセルの４個の下りリンクサブフレーム（下りリンクサブフレー
ム１、下りリンクサブフレーム２、下りリンクサブフレーム３、下りリンクサブフレーム
４）のデータに対する第一の受信確認応答に論理演算を実行し、第二の受信確認応答を生
成する場合について説明する。移動局装置５は、同一のセルにおいて、下りリンクサブフ
レーム１のデータに対するＡＣＫ／ＮＡＣＫがＡＣＫであり、下りリンクサブフレーム２
のデータに対するＡＣＫ／ＮＡＣＫがＡＣＫであり、下りリンクサブフレーム３のデータ
に対するＡＣＫ／ＮＡＣＫがＡＣＫであり、下りリンクサブフレーム４のデータに対する
ＡＣＫ／ＮＡＣＫがＡＣＫである場合、第二の受信確認応答としてＡＣＫを生成する。移
動局装置５は、同一のセルにおいて、下りリンクサブフレーム１のデータに対するＡＣＫ
／ＮＡＣＫがＡＣＫであり、下りリンクサブフレーム２のデータに対するＡＣＫ／ＮＡＣ
ＫがＡＣＫであり、下りリンクサブフレーム３のデータに対するＡＣＫ／ＮＡＣＫがＡＣ
Ｋであり、下りリンクサブフレーム４のデータに対するＡＣＫ／ＮＡＣＫがＮＡＣＫであ
る場合、第二の受信確認応答としてＮＡＣＫを生成する。移動局装置５は、同一のセルに
おいて、下りリンクサブフレーム１のデータに対するＡＣＫ／ＮＡＣＫがＡＣＫであり、
下りリンクサブフレーム２のデータに対するＡＣＫ／ＮＡＣＫがＡＣＫであり、下りリン
クサブフレーム３のデータに対するＡＣＫ／ＮＡＣＫがＮＡＣＫであり、下りリンクサブ
フレーム４のデータに対するＡＣＫ／ＮＡＣＫがＡＣＫである場合、第二の受信確認応答
としてＮＡＣＫを生成する。移動局装置５は、同一のセルにおいて、下りリンクサブフレ
ーム１のデータに対するＡＣＫ／ＮＡＣＫがＡＣＫであり、下りリンクサブフレーム２の
データに対するＡＣＫ／ＮＡＣＫがＮＡＣＫであり、下りリンクサブフレーム３のデータ
に対するＡＣＫ／ＮＡＣＫがＡＣＫであり、下りリンクサブフレーム４のデータに対する
ＡＣＫ／ＮＡＣＫがＡＣＫである場合、第二の受信確認応答としてＮＡＣＫを生成する。
移動局装置５は、同一のセルにおいて、下りリンクサブフレーム１のデータに対するＡＣ
Ｋ／ＮＡＣＫがＮＡＣＫであり、下りリンクサブフレーム２のデータに対するＡＣＫ／Ｎ
ＡＣＫがＡＣＫであり、下りリンクサブフレーム３のデータに対するＡＣＫ／ＮＡＣＫが
ＡＣＫであり、下りリンクサブフレーム４のデータに対するＡＣＫ／ＮＡＣＫがＡＣＫで
ある場合、第二の受信確認応答としてＮＡＣＫを生成する。移動局装置５は、同一のセル
において、下りリンクサブフレーム１のデータに対するＡＣＫ／ＮＡＣＫがＡＣＫであり
、下りリンクサブフレーム２のデータに対するＡＣＫ／ＮＡＣＫがＡＣＫであり、下りリ
ンクサブフレーム３のデータに対するＡＣＫ／ＮＡＣＫがＮＡＣＫであり、下りリンクサ
ブフレーム４のデータに対するＡＣＫ／ＮＡＣＫがＮＡＣＫである場合、第二の受信確認
応答としてＮＡＣＫを生成する。移動局装置５は、同一のセルにおいて、下りリンクサブ
フレーム１のデータに対するＡＣＫ／ＮＡＣＫがＡＣＫであり、下りリンクサブフレーム
２のデータに対するＡＣＫ／ＮＡＣＫがＮＡＣＫであり、下りリンクサブフレーム３のデ
ータに対するＡＣＫ／ＮＡＣＫがＡＣＫであり、下りリンクサブフレーム４のデータに対
するＡＣＫ／ＮＡＣＫがＮＡＣＫである場合、第二の受信確認応答としてＮＡＣＫを生成
する。移動局装置５は、同一のセルにおいて、下りリンクサブフレーム１のデータに対す
るＡＣＫ／ＮＡＣＫがＮＡＣＫであり、下りリンクサブフレーム２のデータに対するＡＣ
Ｋ／ＮＡＣＫがＡＣＫであり、下りリンクサブフレーム３のデータに対するＡＣＫ／ＮＡ
ＣＫがＡＣＫであり、下りリンクサブフレーム４のデータに対するＡＣＫ／ＮＡＣＫがＮ
ＡＣＫである場合、第二の受信確認応答としてＮＡＣＫを生成する。移動局装置５は、同
一のセルにおいて、下りリンクサブフレーム１のデータに対するＡＣＫ／ＮＡＣＫがＡＣ
Ｋであり、下りリンクサブフレーム２のデータに対するＡＣＫ／ＮＡＣＫがＮＡＣＫであ
り、下りリンクサブフレーム３のデータに対するＡＣＫ／ＮＡＣＫがＮＡＣＫであり、下
りリンクサブフレーム４のデータに対するＡＣＫ／ＮＡＣＫがＡＣＫである場合、第二の
受信確認応答としてＮＡＣＫを生成する。移動局装置５は、同一のセルにおいて、下りリ
ンクサブフレーム１のデータに対するＡＣＫ／ＮＡＣＫがＮＡＣＫであり、下りリンクサ
ブフレーム２のデータに対するＡＣＫ／ＮＡＣＫがＡＣＫであり、下りリンクサブフレー
ム３のデータに対するＡＣＫ／ＮＡＣＫがＮＡＣＫであり、下りリンクサブフレーム４の
データに対するＡＣＫ／ＮＡＣＫがＡＣＫである場合、第二の受信確認応答としてＮＡＣ
Ｋを生成する。移動局装置５は、同一のセルにおいて、下りリンクサブフレーム１のデー
タに対するＡＣＫ／ＮＡＣＫがＮＡＣＫであり、下りリンクサブフレーム２のデータに対
するＡＣＫ／ＮＡＣＫがＮＡＣＫであり、下りリンクサブフレーム３のデータに対するＡ
ＣＫ／ＮＡＣＫがＡＣＫであり、下りリンクサブフレーム４のデータに対するＡＣＫ／Ｎ
ＡＣＫがＡＣＫである場合、第二の受信確認応答としてＮＡＣＫを生成する。移動局装置
５は、同一のセルにおいて、下りリンクサブフレーム１のデータに対するＡＣＫ／ＮＡＣ
ＫがＡＣＫであり、下りリンクサブフレーム２のデータに対するＡＣＫ／ＮＡＣＫがＮＡ
ＣＫであり、下りリンクサブフレーム３のデータに対するＡＣＫ／ＮＡＣＫがＮＡＣＫで
あり、下りリンクサブフレーム４のデータに対するＡＣＫ／ＮＡＣＫがＮＡＣＫである場
合、第二の受信確認応答としてＮＡＣＫを生成する。移動局装置５は、同一のセルにおい
て、下りリンクサブフレーム１のデータに対するＡＣＫ／ＮＡＣＫがＮＡＣＫであり、下
りリンクサブフレーム２のデータに対するＡＣＫ／ＮＡＣＫがＡＣＫであり、下りリンク
サブフレーム３のデータに対するＡＣＫ／ＮＡＣＫがＮＡＣＫであり、下りリンクサブフ
レーム４のデータに対するＡＣＫ／ＮＡＣＫがＮＡＣＫである場合、第二の受信確認応答
としてＮＡＣＫを生成する。移動局装置５は、同一のセルにおいて、下りリンクサブフレ
ーム１のデータに対するＡＣＫ／ＮＡＣＫがＮＡＣＫであり、下りリンクサブフレーム２
のデータに対するＡＣＫ／ＮＡＣＫがＮＡＣＫであり、下りリンクサブフレーム３のデー
タに対するＡＣＫ／ＮＡＣＫがＮＡＣＫであり、下りリンクサブフレーム４のデータに対
するＡＣＫ／ＮＡＣＫがＡＣＫである場合、第二の受信確認応答としてＮＡＣＫを生成す
る。移動局装置５は、同一のセルにおいて、下りリンクサブフレーム１のデータに対する
ＡＣＫ／ＮＡＣＫがＮＡＣＫであり、下りリンクサブフレーム２のデータに対するＡＣＫ
／ＮＡＣＫがＮＡＣＫであり、下りリンクサブフレーム３のデータに対するＡＣＫ／ＮＡ
ＣＫがＮＡＣＫであり、下りリンクサブフレーム４のデータに対するＡＣＫ／ＮＡＣＫが
ＮＡＣＫである場合、第二の受信確認応答としてＮＡＣＫを生成する。
【０１１９】
なお、移動局装置５は、データを受信しなかった下りリンクサブフレームに対しては、
論理演算の対象としない。例えば、下りリンクサブフレーム１と下りリンクサブフレーム
２と下りリンクサブフレーム３でデータを受信し、下りリンクサブフレーム４でデータを
受信しなかった場合、下りリンクサブフレーム１と下りリンクサブフレーム２と下りリン
クサブフレーム３のデータに対するＡＣＫ／ＮＡＣＫに対して論理演算を実行し、第二の
受信確認応答を生成する。また、移動局装置５は、あるセルにおいて何れの下りリンクサ
ブフレームにおいてもデータを受信しなかった場合、そのセルに対して第二の受信確認応
答を生成しない。
【０１２０】
＜Ｓｐａｔｉａｌ  ｂｕｎｄｌｉｎｇ＞
Ｓｐａｔｉａｌ  ｂｕｎｄｌｉｎｇについて説明する。Ｓｐａｔｉａｌ  ｂｕｎｄｌｉ
ｎｇを設定された移動局装置５は、空間多重が適用されたＰＤＳＣＨで送信される複数の
データ（トランスポートブロック）（コードワードとも称する。）に対するＡＣＫ／ＮＡ
ＣＫ（第一の受信確認応答）に対して論理演算を実行し、複数の第一の受信確認応答をま
とめた情報（第二の受信確認応答）を生成する。例えば、移動局装置５は、論理演算とし
て、論理積演算を実行する。移動局装置５は、Ｓｐａｔｉａｌ  ｂｕｎｄｌｉｎｇを行う
複数のＡＣＫ／ＮＡＣＫ（第一の受信確認応答）が全てＡＣＫである場合に、第二の受信
確認応答としてＡＣＫを生成し、基地局装置３へ送信する。移動局装置５は、Ｓｐａｔｉ
ａｌ  ｂｕｎｄｌｉｎｇを行う複数のＡＣＫ／ＮＡＣＫ（第一の受信確認応答）の少なく
とも１個がＮＡＣＫである場合に、第二の受信確認応答としてＮＡＣＫを生成し、基地局
装置３へ送信する。本発明の実施形態では、移動局装置５は、基地局装置３から設定され
た送信モードと、検出したＰＤＣＣＨから、ＰＤＳＣＨに空間多重が適用されているか否
かを認識すると共に、同一のＰＤＳＣＨに含まれるデータの数を認識する。
【０１２１】
ＡＣＫ／ＮＡＣＫのＳｐａｔｉａｌ  ｂｕｎｄｌｉｎｇの一例について説明する。移動
局装置５が送信モードとして２個のデータ（第一のデータ、第二のデータ）送信が設定さ
れている場合について説明する。移動局装置５は、第一のデータに対するＡＣＫ／ＮＡＣ
ＫがＡＣＫであり、第二のデータに対するＡＣＫ／ＮＡＣＫがＡＣＫである場合、第二の
受信確認応答としてＡＣＫを生成する。移動局装置５は、第一のデータに対するＡＣＫ／
ＮＡＣＫがＡＣＫであり、第二のデータに対するＡＣＫ／ＮＡＣＫがＮＡＣＫである場合
、第二の受信確認応答としてＮＡＣＫを生成する。移動局装置５は、第一のデータに対す
るＡＣＫ／ＮＡＣＫがＮＡＣＫであり、第二のデータに対するＡＣＫ／ＮＡＣＫがＡＣＫ
である場合、第二の受信確認応答としてＮＡＣＫを生成する。移動局装置５は、第一のデ
ータに対するＡＣＫ／ＮＡＣＫがＮＡＣＫであり、第二のデータに対するＡＣＫ／ＮＡＣ
ＫがＮＡＣＫである場合、第二の受信確認応答としてＮＡＣＫを生成する。
【０１２２】
＜Ｔｉｍｅ  ｄｏｍａｉｎ  ｂｕｎｄｌｉｎｇを用いた場合のＡＣＫ／ＮＡＣＫ  ｃｈ
ａｎｎｅｌ  ｓｅｌｅｃｔｉｏｎ＞
Ｔｉｍｅ  ｄｏｍａｉｎ  ｂｕｎｄｌｉｎｇを用いた場合のＡＣＫ／ＮＡＣＫ  ｃｈａ
ｎｎｅｌ  ｓｅｌｅｃｔｉｏｎについて説明する。Ｔｉｍｅ  ｄｏｍａｉｎ  ｂｕｎｄｌ
ｉｎｇを設定された移動局装置５は、セル毎にＴｉｍｅ  ｄｏｍａｉｎ  ｂｕｎｄｌｉｎ
ｇの処理を行う。次に、移動局装置５は、Ｔｉｍｅ  ｄｏｍａｉｎ  ｂｕｎｄｌｉｎｇを
実行した、複数のセルに対する第二の受信確認応答を用いてＡＣＫ／ＮＡＣＫ  ｃｈａｎ
ｎｅｌ  ｓｅｌｅｃｔｉｏｎの処理を行う。図１６の例を用いて、処理の一例を説明する
。移動局装置５は、プライマリセルの複数の下りリンクサブフレームで受信したデータに
対してＴｉｍｅ  ｄｏｍａｉｎ  ｂｕｎｄｌｉｎｇを実行し、プライマリセルに対する第
二の受信確認応答を１ｓｔ  ＡＣＫ／ＮＡＣＫに設定し、セカンダリセルの複数の下りリ
ンクサブフレームで受信したデータに対してＴｉｍｅ  ｄｏｍａｉｎ  ｂｕｎｄｌｉｎｇ
を実行し、セカンダリセルに対する第二の受信確認応答を２ｎｄ  ＡＣＫ／ＮＡＣＫに設
定し、ＡＣＫ／ＮＡＣＫ  ｃｈａｎｎｅｌ  ｓｅｌｅｃｔｉｏｎを行う。なお、スペシャ
ルサブフレームでも下りリンクのデータが受信されることが可能であり、Ｔｉｍｅ  ｄｏ
ｍａｉｎ  ｂｕｎｄｌｉｎｇに関する処理については、スペシャルサブフレームは下りリ
ンクサブフレームの一部として処理が行われる。
【０１２３】
移動局装置５は、ＡＣＫ／ＮＡＣＫ  ｃｈａｎｎｅｌ  ｓｅｌｅｃｔｉｏｎに関するＰ
ＵＣＣＨのリソースの選択に用いる候補リソースを、各セルで最後にデータが割り当てら
れた下りリンクサブフレームで検出したＰＤＣＣＨに基づき判断する。なお、スペシャル
サブフレームでも下りリンクのデータが受信されることが可能であり、ＡＣＫ／ＮＡＣＫ
ｃｈａｎｎｅｌ  ｓｅｌｅｃｔｉｏｎの候補リソースの判断に関する処理については、
スペシャルサブフレームは下りリンクサブフレームの一部として処理が行われる。移動局
装置５は、候補リソースが暗黙的に割り当てられるセルに対しては、そのセルでデータが
最後に割り当てられたサブフレームで検出された、対応するＰＤＣＣＨに用いられたＣＣ
Ｅに対応付けられたリソースを候補リソースとして判断し、ＰＵＣＣＨのリソースの選択
処理に用いる。移動局装置５は、候補リソースが明示的に割り当てられるセルに対しては
、そのセルでデータが最後に割り当てられた下りリンクサブフレームで検出された、対応
するＰＤＣＣＨの制御情報で示されたリソースを候補リソースとして判断し、ＰＵＣＣＨ
のリソースの選択処理に用いる。または、移動局装置５は、候補リソースが明示的に割り
当てられるセルに対しては、そのセルでデータが最後に割り当てられたサブフレームで検
出された、対応するＰＤＣＣＨにＲＲＣシグナリングで予め割り当てられたリソースを候
補リソースとして判断し、ＰＵＣＣＨのリソースの選択処理に用いる。
【０１２４】
図１６の例を用いて、処理の一例を説明する。移動局装置５は、プライマリセルに対し
てはデータが最後に割り当てられた下りリンクサブフレームで検出したＰＤＣＣＨに用い
られたＣＣＥに対応付けられたリソースをＡＣＫ／ＮＡＣＫ  ｃｈａｎｎｅｌ  ｓｅｌｅ
ｃｔｉｏｎのＰＵＣＣＨの候補リソースとして判断する。移動局装置５は、セカンダリセ
ルのＰＤＳＣＨに対応するＰＤＣＣＨがプライマリセルで検出されるような構成の場合、
セカンダリセルに対してはデータが最後に割り当てられた下りリンクサブフレームで検出
したＰＤＣＣＨに用いられたＣＣＥに対応付けられたリソースをＡＣＫ／ＮＡＣＫ  ｃｈ
ａｎｎｅｌ  ｓｅｌｅｃｔｉｏｎのＰＵＣＣＨの候補リソースとして判断する。移動局装
置５は、セカンダリセルのＰＤＳＣＨに対応するＰＤＣＣＨがセカンダリセルで検出され
るような構成の場合、セカンダリセルに対してはデータが最後に割り当てられた下りリン
クサブフレームで検出したＰＤＣＣＨの制御情報で示されたリソースをＡＣＫ／ＮＡＣＫ
ｃｈａｎｎｅｌ  ｓｅｌｅｃｔｉｏｎのＰＵＣＣＨの候補リソースとして判断する。ま
たは、移動局装置５は、セカンダリセルのＰＤＳＣＨに対応するＰＤＣＣＨがセカンダリ
セルで検出されるような構成の場合、セカンダリセルに対してはデータが最後に割り当て
られた下りリンクサブフレームで検出したＰＤＣＣＨに対してＲＲＣシグナリングで予め
割り当てられたリソースをＡＣＫ／ＮＡＣＫ  ｃｈａｎｎｅｌ  ｓｅｌｅｃｔｉｏｎのＰ
ＵＣＣＨの候補リソースとして判断する。
【０１２５】
また、移動局装置５は、あるセルにおいて何れの下りリンクサブフレームにおいてもデ
ータを受信しなかった場合、そのセルに対して第二の受信確認応答を生成しない。移動局
装置５は、あるセルにおいて少なくとも何れか１個の下りリンクサブフレームにおいてデ
ータを受信した場合、そのセルに対して第二の受信確認応答を生成する。例えば、２個の
セル（プライマリセル１、セカンダリセル１）が構成され、各セルで単一のデータ送信が
行われる場合について説明する。移動局装置５は、プライマリセル１の少なくとも何れか
１個の下りリンクサブフレームにおいてデータを受信し、セカンダリセル１の少なくとも
何れか１個の下りリンクサブフレームにおいてデータを受信した場合、２個の第二の受信
確認応答（プライマリセル１に対する１個の第二の受信確認応答とセカンダリセル１に対
する１個の第二の受信確認応答）を生成する。移動局装置５は、プライマリセル１の少な
くとも何れか１個の下りリンクサブフレームにおいてデータを受信し、セカンダリセル１
の何れの下りリンクサブフレームにおいてもデータを受信しなかった場合、１個の第二の
受信確認応答（プライマリセル１に対する１個の第二の受信確認応答）を生成する。移動
局装置５は、プライマリセル１の何れの下りリンクサブフレームにおいてもデータを受信
せず、セカンダリセル１の少なくとも何れか１個の下りリンクサブフレームにおいてデー
タを受信した場合、１個の第二の受信確認応答（セカンダリセル１に対する１個の第二の
受信確認応答）を生成する。次に、２個のセル（プライマリセル１、セカンダリセル１）
が構成され、各セルで空間多重が適用され、２個のデータ送信が行われる場合について説
明する。移動局装置５は、プライマリセル１の少なくとも何れか１個の下りリンクサブフ
レームにおいて２個のデータを受信し、セカンダリセル１の少なくとも何れか１個の下り
リンクサブフレームにおいて２個のデータを受信した場合、４個の第二の受信確認応答（
プライマリセル１に対する２個の第二の受信確認応答とセカンダリセル１に対する２個の
第二の受信確認応答）を生成する。移動局装置５は、プライマリセル１の少なくとも何れ
か１個の下りリンクサブフレームにおいて２個のデータを受信し、セカンダリセル１の何
れの下りリンクサブフレームにおいてもデータを受信しなかった場合、２個の第二の受信
確認応答（プライマリセル１に対する２個の第二の受信確認応答）を生成する。移動局装
置５は、プライマリセル１の何れの下りリンクサブフレームにおいてもデータを受信せず
、セカンダリセル１の少なくとも何れか１個の下りリンクサブフレームにおいて２個のデ
ータを受信した場合、２個の第二の受信確認応答（セカンダリセル１に対する２個の第二
の受信確認応答）を生成する。次に、２個のセル（プライマリセル１、セカンダリセル１
）が構成され、プライマリセル１で空間多重が適用され、２個のデータ送信が行われ、セ
カンダリセル１で単一のデータ送信が行われる場合について説明する。移動局装置５は、
プライマリセル１の少なくとも何れか１個の下りリンクサブフレームにおいて２個のデー
タを受信し、セカンダリセル１の少なくとも何れか１個の下りリンクサブフレームにおい
て１個のデータを受信した場合、３個の第二の受信確認応答（プライマリセル１に対する
２個の第二の受信確認応答とセカンダリセル１に対する１個の第二の受信確認応答）を生
成する。移動局装置５は、プライマリセル１の少なくとも何れか１個の下りリンクサブフ
レームにおいて２個のデータを受信し、セカンダリセル１の何れの下りリンクサブフレー
ムにおいてもデータを受信しなかった場合、２個の第二の受信確認応答（プライマリセル
１に対する２個の第二の受信確認応答）を生成する。移動局装置５は、プライマリセル１
の何れの下りリンクサブフレームにおいてもデータを受信せず、セカンダリセル１の少な
くとも何れか１個の下りリンクサブフレームにおいて１個のデータを受信した場合、１個
の第二の受信確認応答（セカンダリセル１に対する１個の第二の受信確認応答）を生成す
る。
【０１２６】
なお、移動局装置５は、ＡＣＫ／ＮＡＣＫ  ｃｈａｎｎｅｌ  ｓｅｌｅｃｔｉｏｎに関
するＰＵＣＣＨのリソースの選択に用いる候補リソースを、各セルで検出したＰＤＣＣＨ
に基づき判断するため、自装置宛てのＤＣＩを含むＰＤＣＣＨを検出せず、あるセルに対
してデータを受信しなかった場合、そのセルと関連する候補リソースを割り当てられない
。移動局装置５は、割り当てられた候補リソースのみを用いて、リソースの選択処理を行
う。
【０１２７】
なお、基本的に２個のデータ送信が行われる送信モードにおいて、一方のデータ系列の
みが送信されることもできる。例えば、基地局装置３は、空間多重される２個のデータ系
列に対して、一方のデータ系列のみが有効で、もう一方のデータ系列は無効であると示す
ことによりなされることができる。移動局装置５は、あるセルにおいて少なくとも何れか
１個の下りリンクサブフレームにおいて第一のデータ系列、または第二のデータ系列を受
信した場合、そのセルに対して２個の第二の受信確認応答を生成する。例えば、移動局装
置５は、あるセルにおいて少なくとも何れか１個の下りリンクサブフレームにおいて第一
のデータ系列のみを受信し、何れの下りリンクサブフレームにおいても第二のデータ系列
を受信しなかった場合、そのセルに対して２個の第二の受信確認応答を生成する。
【０１２８】
＜Ｓｐａｔｉａｌ  ｂｕｎｄｌｉｎｇを用いた場合のＡＣＫ／ＮＡＣＫ  ｃｈａｎｎｅ
ｌ  ｓｅｌｅｃｔｉｏｎ＞
Ｓｐａｔｉａｌ  ｂｕｎｄｌｉｎｇを用いた場合のＡＣＫ／ＮＡＣＫ  ｃｈａｎｎｅｌ
ｓｅｌｅｃｔｉｏｎについて説明する。Ｓｐａｔｉａｌ  ｂｕｎｄｌｉｎｇを設定され
た移動局装置５は、セル毎にＳｐａｔｉａｌ  ｂｕｎｄｌｉｎｇの処理を行う。次に、移
動局装置５は、Ｓｐａｔｉａｌ  ｂｕｎｄｌｉｎｇを実行した、複数のセルに対する第二
の受信確認応答を用いてＡＣＫ／ＮＡＣＫ  ｃｈａｎｎｅｌ  ｓｅｌｅｃｔｉｏｎの処理
を行う。Ｓｐａｔｉａｌ  ｂｕｎｄｌｉｎｇを用いた場合のＡＣＫ／ＮＡＣＫ  ｃｈａｎ
ｎｅｌ  ｓｅｌｅｃｔｉｏｎの処理の一例を説明する。移動局装置５に対してセルアグリ
ゲーションとして２個のセルが構成され、各セルで空間多重を用いて２種類のデータ（第
一のデータ系列、第二のデータ系列）を含むＰＤＳＣＨが基地局装置３から送信される送
信モードが設定される場合について示す。例えば、移動局装置５は、プライマリセルで受
信されるデータに対するＡＣＫ／ＮＡＣＫに対してＳｐａｔｉａｌ  ｂｕｎｄｌｉｎｇを
実行し、セカンダリセルで受信されるデータに対するＡＣＫ／ＮＡＣＫに対してＳｐａｔ
ｉａｌ  ｂｕｎｄｌｉｎｇを実行する。この場合、移動局装置５は、図１６に示すＡＣＫ
／ＮＡＣＫ  ｃｈａｎｎｅｌ  ｓｅｌｅｃｔｉｏｎを行う。移動局装置５は、プライマリ
セルで空間多重が用いられたＰＤＳＣＨで受信した２個のデータに対してＳｐａｔｉａｌ
ｂｕｎｄｌｉｎｇを実行し、プライマリセルに対する第二の受信確認応答を１ｓｔ  Ａ
ＣＫ／ＮＡＣＫに設定し、セカンダリセルで空間多重が用いられたＰＤＳＣＨで受信した
２個のデータに対してＳｐａｔｉａｌ  ｂｕｎｄｌｉｎｇを実行し、セカンダリセルに対
する第二の受信確認応答を２ｎｄ  ＡＣＫ／ＮＡＣＫに設定し、ＡＣＫ／ＮＡＣＫ  ｃｈ
ａｎｎｅｌ  ｓｅｌｅｃｔｉｏｎを行う。
【０１２９】
移動局装置５は、ＡＣＫ／ＮＡＣＫ  ｃｈａｎｎｅｌ  ｓｅｌｅｃｔｉｏｎに関するＰ
ＵＣＣＨのリソースの選択に用いる候補リソースを、各セルで検出したＰＤＣＣＨに基づ
き判断する。移動局装置５は、候補リソースが暗黙的に割り当てられるセルに対しては、
対応するＰＤＣＣＨに用いられたＣＣＥに対応付けられたリソースを候補リソースとして
判断し、ＰＵＣＣＨのリソースの選択処理に用いる。移動局装置５は、候補リソースが明
示的に割り当てられるセルに対しては、対応するＰＤＣＣＨの制御情報で示されたリソー
スを候補リソースとして判断し、ＰＵＣＣＨのリソースの選択処理に用いる。または、移
動局装置５は、候補リソースが明示的に割り当てられるセルに対しては、対応するＰＤＣ
ＣＨにＲＲＣシグナリングで予め割り当てられたリソースを候補リソースとして判断し、
ＰＵＣＣＨのリソースの選択処理に用いる。
【０１３０】
また、移動局装置５は、あるセルにおいて何れの下りリンクサブフレームにおいてもデ
ータを受信しなかった場合、そのセルに対して第二の受信確認応答を生成しない。例えば
、２個のセル（プライマリセル１、セカンダリセル１）が構成され、各セルで２個のデー
タ送信が行われ、各セルにＳｐａｔｉａｌ  ｂｕｎｄｌｉｎｇが適用される場合について
説明する。移動局装置５は、プライマリセル１で２個のデータを受信し、セカンダリセル
１で２個のデータを受信した場合、２個の第二の受信確認応答（プライマリセル１に対す
る１個の第二の受信確認応答とセカンダリセル１に対する１個の第二の受信確認応答）を
生成する。移動局装置５は、プライマリセル１で２個のデータを受信し、セカンダリセル
１でデータを受信しなかった場合、１個の第二の受信確認応答（プライマリセル１に対す
る１個の第二の受信確認応答）を生成する。移動局装置５は、プライマリセル１でデータ
を受信せず、セカンダリセル１で２個のデータを受信した場合、１個の第二の受信確認応
答（セカンダリセル１に対する１個の第二の受信確認応答）を生成する。次に、２個のセ
ル（プライマリセル１、セカンダリセル１）が構成され、各セルで２個のデータ送信が行
われ、セカンダリセル１にのみＳｐａｔｉａｌ  ｂｕｎｄｌｉｎｇが適用される場合につ
いて説明する。移動局装置５は、プライマリセル１で２個のデータを受信し、セカンダリ
セル１で２個のデータを受信した場合、３個の第二の受信確認応答（プライマリセル１に
対する２個の第二の受信確認応答とセカンダリセル１に対する１個の第二の受信確認応答
）を生成する。移動局装置５は、プライマリセル１で２個データを受信し、セカンダリセ
ル１でデータを受信しなかった場合、２個の第二の受信確認応答を生成する（プライマリ
セル１に対する２個の第二の受信確認応答）。移動局装置５は、プライマリセル１でデー
タを受信せず、セカンダリセル１で２個のデータを受信した場合、１個の第二の受信確認
応答（セカンダリセル１に対する１個の第二の受信確認応答）を生成する。なお、移動局
装置５は、Ｓｐａｔｉａｌ  ｂｕｎｄｌｉｎｇが適用されないセルにおいては、第一の受
信確認応答をそのまま第二の受信確認応答に設定し、後段の処理を行う。
【０１３１】
なお、移動局装置５は、ＡＣＫ／ＮＡＣＫ  ｃｈａｎｎｅｌ  ｓｅｌｅｃｔｉｏｎに関
するＰＵＣＣＨのリソースの選択に用いる候補リソースを、各セルで検出したＰＤＣＣＨ
に基づき判断するため、自装置宛てのＤＣＩを含むＰＤＣＣＨを検出せず、あるセルに対
してデータを受信しなかった場合、そのセルと関連する候補リソースを割り当てられない
。移動局装置５は、割り当てられた候補リソースのみを用いて、リソースの選択処理を行
う。
【０１３２】
なお、基本的に２個のデータ送信が行われる送信モードにおいて、一方のデータ系列の
みが送信されることもできる。例えば、基地局装置３は、空間多重される２個のデータ系
列に対して、一方のデータ系列のみが有効で、もう一方のデータ系列は無効であると示す
ことによりなされることができる。移動局装置５は、Ｓｐａｔｉａｌ  ｂｕｎｄｌｉｎｇ
が適用されないセルで第一のデータ系列のみを受信した場合（第二のデータ系列が無効の
場合）には、このセルに対する第一のデータ系列に対するリソースとこのセルに対する第
二のデータ系列に対するリソースもＡＣＫ／ＮＡＣＫ  ｃｈａｎｎｅｌ  ｓｅｌｅｃｔｉ
ｏｎのＰＵＣＣＨのリソースの選択に用いる候補リソースに設定する。移動局装置５は、
Ｓｐａｔｉａｌ  ｂｕｎｄｌｉｎｇが適用されないセルで第二のデータ系列のみを受信し
た場合（第一のデータ系列が無効の場合）には、このセルに対する第二のデータ系列に対
するリソースとこのセルに対する第一のデータ系列に対するリソースもＡＣＫ／ＮＡＣＫ
ｃｈａｎｎｅｌ  ｓｅｌｅｃｔｉｏｎのＰＵＣＣＨのリソースの選択に用いる候補リソ
ースに設定する。
【０１３３】
＜Ｓｐａｔｉａｌ  ｂｕｎｄｌｉｎｇとＴｉｍｅ  ｄｏｍａｉｎ  ｂｕｎｄｌｉｎｇを
用いた場合のＡＣＫ／ＮＡＣＫ  ｃｈａｎｎｅｌ  ｓｅｌｅｃｔｉｏｎ＞
Ｓｐａｔｉａｌ  ｂｕｎｄｌｉｎｇとＴｉｍｅ  ｄｏｍａｉｎ  ｂｕｎｄｌｉｎｇを用
いた場合のＡＣＫ／ＮＡＣＫ  ｃｈａｎｎｅｌ  ｓｅｌｅｃｔｉｏｎについて説明する。
先ず、移動局装置５は、各セルの下りリンクサブフレーム毎にＳｐａｔｉａｌ  ｂｕｎｄ
ｌｉｎｇの処理を行う。次に、移動局装置５は、セル毎にＴｉｍｅ  ｄｏｍａｉｎ  ｂｕ
ｎｄｌｉｎｇの処理を行う。移動局装置５は、複数の下りリンクサブフレームにおいて各
下りリンクサブフレームでＳｐａｔｉａｌ  ｂｕｎｄｌｉｎｇを実行したＡＣＫ／ＮＡＣ
Ｋに対して論理演算を実行し、第二の受信確認応答をセル毎に生成する。以降、Ｔｉｍｅ
ｄｏｍａｉｎ  ｂｕｎｄｌｉｎｇを用いた場合のＡＣＫ／ＮＡＣＫ  ｃｈａｎｎｅｌ  
ｓｅｌｅｃｔｉｏｎについて上記で説明した処理と同様の処理を行い、複数のセルに対す
る第二の受信確認応答を用いてＡＣＫ／ＮＡＣＫ  ｃｈａｎｎｅｌ  ｓｅｌｅｃｔｉｏｎ
の処理を行う。
【０１３４】
また、移動局装置５は、あるセルにおいて何れの下りリンクサブフレームにおいてもデ
ータを受信しなかった場合、そのセルに対して第二の受信確認応答を生成しない。例えば
、２個のセル（プライマリセル１、セカンダリセル１）が構成され、各セルで空間多重が
適用され、２個のデータ送信が行われ、各セルにＳｐａｔｉａｌ  ｂｕｎｄｌｉｎｇが適
用される場合について説明する。移動局装置５は、プライマリセル１の少なくとも何れか
１個の下りリンクサブフレームにおいて２個のデータを受信し、セカンダリセル１の少な
くとも何れか１個の下りリンクサブフレームにおいて２個のデータを受信した場合、２個
の第二の受信確認応答（プライマリセル１に対する１個の第二の受信確認応答とセカンダ
リセル１に対する１個の第二の受信確認応答）を生成する。移動局装置５は、プライマリ
セル１の少なくとも何れか１個の下りリンクサブフレームにおいて２個のデータを受信し
、セカンダリセル１の何れの下りリンクサブフレームにおいてもデータを受信しなかった
場合、１個の第二の受信確認応答（プライマリセル１に対する１個の受信確認応答）を生
成する。移動局装置５は、プライマリセル１の何れの下りリンクサブフレームにおいても
データを受信せず、セカンダリセル１の少なくとも何れか１個の下りリンクサブフレーム
において２個のデータを受信した場合、１個の第二の受信確認応答（セカンダリセル１に
対する１個の第二の受信確認応答）を生成する。次に、２個のセル（プライマリセル１、
セカンダリセル１）が構成され、各セルで空間多重が適用され、２個のデータ送信が行わ
れ、セカンダリセル１にのみＳｐａｔｉａｌ  ｂｕｎｄｌｉｎｇが適用される場合につい
て説明する。移動局装置５は、プライマリセル１の少なくとも何れか１個の下りリンクサ
ブフレームにおいて２個のデータを受信し、セカンダリセル１の少なくとも何れか１個の
下りリンクサブフレームにおいて２個のデータを受信した場合、３個の第二の受信確認応
答（プライマリセル１に対する２個の第二の受信確認応答とセカンダリセル１に対する１
個の第二の受信確認応答）を生成する。移動局装置５は、プライマリセル１の少なくとも
何れか１個の下りリンクサブフレームにおいて２個のデータを受信し、セカンダリセル１
の何れの下りリンクサブフレームにおいてもデータを受信しなかった場合、２個の第二の
受信確認応答（プライマリセル１に対する２個の第二の受信確認応答）を生成する。移動
局装置５は、プライマリセル１の何れの下りリンクサブフレームにおいてもデータを受信
せず、セカンダリセル１の少なくとも何れか１個の下りリンクサブフレームにおいて２個
のデータを受信した場合、１個の第二の受信確認応答（セカンダリセル１に対する１個の
第二の受信確認応答）を生成する。
【０１３５】
なお、移動局装置５は、ＡＣＫ／ＮＡＣＫ  ｃｈａｎｎｅｌ  ｓｅｌｅｃｔｉｏｎに関
するＰＵＣＣＨのリソースの選択に用いる候補リソースを、各セルで検出したＰＤＣＣＨ
に基づき判断するため、自装置宛てのＤＣＩを含むＰＤＣＣＨを検出せず、あるセルに対
してデータを受信しなかった場合、そのセルと関連する候補リソースを割り当てられない
。移動局装置５は、割り当てられた候補リソースのみを用いて、リソースの選択処理を行
う。
【０１３６】
なお、基本的に２個のデータ送信が行われる送信モードにおいて、一方のデータ系列の
みが送信されることもできる。例えば、基地局装置３は、空間多重される２個のデータ系
列に対して、一方のデータ系列のみが有効で、もう一方のデータ系列は無効であると示す
ことによりなされることができる。移動局装置５は、Ｓｐａｔｉａｌ  ｂｕｎｄｌｉｎｇ
が適用されないセルの少なくとも何れか１個の下りリンクサブフレームにおいて第一のデ
ータ系列のみを受信し、何れの下りリンクサブフレームにおいても第二のデータ系列を受
信しなかった場合（第二のデータ系列が無効の場合）には、このセルに対する第一のデー
タ系列に対するリソースとこのセルに対する第二のデータ系列に対するリソースもＡＣＫ
／ＮＡＣＫ  ｃｈａｎｎｅｌ  ｓｅｌｅｃｔｉｏｎのＰＵＣＣＨのリソースの選択に用い
る候補リソースに設定する。移動局装置５は、Ｓｐａｔｉａｌ  ｂｕｎｄｌｉｎｇが適用
されないセルの少なくとも何れか１個の下りリンクサブフレームにおいて第二のデータ系
列のみを受信し、何れの下りリンクサブフレームにおいても第一のデータ系列を受信しな
かった場合（第一のデータ系列が無効の場合）には、このセルに対する第二のデータ系列
に対するリソースとこのセルに対する第一のデータ系列に対するリソースもＡＣＫ／ＮＡ
ＣＫ  ｃｈａｎｎｅｌ  ｓｅｌｅｃｔｉｏｎのＰＵＣＣＨのリソースの選択に用いる候補
リソースに設定する。移動局装置５は、Ｓｐａｔｉａｌ  ｂｕｎｄｌｉｎｇが適用されな
いセルにおいて少なくとも何れか１個の下りリンクサブフレームにおいて第一のデータ系
列、または第二のデータ系列を受信した場合、そのセルに対して２個の第二の受信確認応
答を生成する。例えば、移動局装置５は、Ｓｐａｔｉａｌ  ｂｕｎｄｌｉｎｇが適用され
ないセルにおいて少なくとも何れか１個の下りリンクサブフレームにおいて第一のデータ
系列のみを受信し、何れの下りリンクサブフレームにおいても第二のデータ系列を受信し
なかった場合、そのセルに対して２個の第二の受信確認応答を生成する。
【０１３７】
＜基地局装置３の全体構成＞
以下、図１、図２、図３を用いて、本実施形態に係る基地局装置３の構成について説明
する。図１は、本発明の実施形態に係る基地局装置３の構成を示す概略ブロック図である
。この図に示すように、基地局装置３は、受信処理部１０１（受信部）、無線リソース制
御部１０３、制御部１０５、および、送信処理部１０７を含んで構成される。
【０１３８】
受信処理部１０１は、制御部１０５の指示に従い、受信アンテナ１０９により移動局装
置５から受信した、ＰＵＣＣＨ、ＰＵＳＣＨの受信信号を上りリンク参照信号を用いて復
調し、復号して、制御情報、情報データを抽出する。受信処理部１０１は、自装置が移動
局装置５にＰＵＣＣＨのリソースを割り当てた上りリンクサブフレーム、上りリンク物理
リソースブロックに対してＵＣＩを抽出する処理を行なう。受信処理部１０１は、何れの
上りリンクサブフレーム、何れの上りリンク物理リソースブロックに対してどのような処
理を行なうかを制御部１０５から指示される。例えば、受信処理部１０１は、ＡＣＫ／Ｎ
ＡＣＫ用のＰＵＣＣＨ（ＰＵＣＣＨ  ｆｏｒｍａｔ  １ａ、ＰＵＣＣＨ  ｆｏｒｍａｔ  
１ｂ）の信号に対して時間領域での符号系列の乗算と合成、周波数領域での符号系列の乗
算と合成を行なう検出処理を制御部１０５から指示される。また、受信処理部１０１は、
ＰＵＣＣＨからＵＣＩを検出する処理に用いる周波数領域の符号系列および／または時間
領域の符号系列を制御部１０５から指示される。受信処理部１０１は、抽出したＵＣＩを
制御部１０５に出力し、情報データを上位層に出力する。例えば、受信処理部１０１は、
ＡＣＫ／ＮＡＣＫ  ｃｈａｎｎｅｌ  ｓｅｌｅｃｔｉｏｎを用いて送信されたＰＵＣＣＨ
の信号から複数のＡＣＫ／ＮＡＣＫの情報を検出する処理を行う。受信処理部１０１は、
移動局装置５に送信されたＰＤＣＣＨに基づきＡＣＫ／ＮＡＣＫ  ｃｈａｎｎｅｌ  ｓｅ
ｌｅｃｔｉｏｎの候補リソースを認識しており、各候補リソースで信号が送信されたかを
検出し、信号が送信されたと判断した候補リソースの信号を復調して、複数のＡＣＫ／Ｎ
ＡＣＫの情報を検出する。同様に、受信処理部１０１は、Ｔｉｍｅ  ｄｏｍａｉｎ  ｂｕ
ｎｄｌｉｎｇとＡＣＫ／ＮＡＣＫ  ｃｈａｎｎｅｌ  ｓｅｌｅｃｔｉｏｎを用いて送信さ
れたＰＵＣＣＨの信号、Ｓｐａｔｉａｌ  ｂｕｎｄｌｉｎｇとＡＣＫ／ＮＡＣＫ  ｃｈａ
ｎｎｅｌ  ｓｅｌｅｃｔｉｏｎを用いて送信されたＰＵＣＣＨの信号、Ｔｉｍｅ  ｄｏｍ
ａｉｎ  ｂｕｎｄｌｉｎｇとＳｐａｔｉａｌ  ｂｕｎｄｌｉｎｇとＡＣＫ／ＮＡＣＫ  ｃ
ｈａｎｎｅｌ  ｓｅｌｅｃｔｉｏｎを用いて送信されたＰＵＣＣＨの信号から複数のＡＣ
Ｋ／ＮＡＣＫの情報を検出する処理を行う。受信処理部１０１は、抽出したＵＣＩを制御
部１０５に出力し、情報データを上位層に出力する。受信処理部１０１の詳細については
、後述する。
【０１３９】
無線リソース制御部１０３は、移動局装置５各々のＰＤＣＣＨに対するリソースの割り
当て、ＰＵＣＣＨに対するリソースの割り当て、ＰＤＳＣＨに対する下りリンク物理リソ
ースブロックの割り当て、ＰＵＳＣＨに対する上りリンク物理リソースブロックの割り当
て、各種チャネルの変調方式・符号化率・送信電力制御値などを設定する。なお、無線リ
ソース制御部１０３は、ＰＵＣＣＨに対する周波数領域の符号系列、時間領域の符号系列
なども設定する。また、無線リソース制御部１０３は、設定したＰＵＣＣＨのリソースの
割り当てを示す情報などを制御部１０５に出力する。また、無線リソース制御部１０３は
、セルアグリゲーションを用いる場合のＡＣＫ／ＮＡＣＫの送信方法を設定する。セルア
グリゲーションを用いる場合のＡＣＫ／ＮＡＣＫの送信方法は、ＡＣＫ／ＮＡＣＫ  ｃｈ
ａｎｎｅｌ  ｓｅｌｅｃｔｉｏｎを用いてＡＣＫ／ＮＡＣＫを送信する方法、Ｔｉｍｅ  
ｄｏｍａｉｎ  ｂｕｎｄｌｉｎｇを用いてＡＣＫ／ＮＡＣＫを送信する方法、Ｓｐａｔｉ
ａｌ  ｂｕｎｄｌｉｎｇを用いてＡＣＫ／ＮＡＣＫを送信する方法などであり、無線リソ
ース制御部１０３は複数の上記の方法を同時に設定することもできる。無線リソース制御
部１０３で設定された情報の一部は送信処理部１０７を介して移動局装置５に通知され、
例えばセルアグリゲーションを用いる場合のＡＣＫ／ＮＡＣＫの送信方法を示す情報、Ｐ
ＵＳＣＨの送信電力に関連する一部のパラメータの値を示す情報、ＰＵＣＣＨの送信電力
に関連する一部のパラメータの値を示す情報が移動局装置５に通知される。
【０１４０】
また、無線リソース制御部１０３は、受信処理部１０１においてＰＵＣＣＨを用いて取
得され、制御部１０５を介して入力されたＵＣＩに基づいてＰＤＳＣＨの無線リソースの
割り当てなどを設定する。例えば、無線リソース制御部１０３は、ＰＵＣＣＨを用いて取
得されたＡＣＫ／ＮＡＣＫが入力された場合、ＡＣＫ／ＮＡＣＫでＮＡＣＫが示されたＰ
ＤＳＣＨのリソースの割り当てを移動局装置５に対して行なう。
【０１４１】
無線リソース制御部１０３は、自装置がセルアグリゲーションを用いて通信を行なう場
合、移動局装置５に対して複数の下りリンクコンポーネントキャリア、複数の上りリンク
コンポーネントキャリアを構成する。また、無線リソース制御部１０３は、移動局装置５
に対してＰＤＣＣＨ  ＣＣ、ＰＤＣＣＨ  ＣＣと対応付けるＰＤＳＣＨ  ＣＣ、プライマ
リセル、セカンダリセルを設定する。無線リソース制御部１０３は、送信処理部１０７を
介して何れのセルをプライマリセルと設定するかを示す情報、各セカンダリセルのＰＤＳ
ＣＨ  ＣＣに対してＰＤＣＣＨ  ＣＣとして対応付けられた下りリンクコンポーネントキ
ャリアを示す情報を移動局装置５に通知するように制御部１０５に出力する。
【０１４２】
無線リソース制御部１０３は、各種制御信号を制御部１０５に出力する。例えば、制御
信号は、ＰＵＣＣＨのリソースの割り当てを示す制御信号や、受信処理部１０１で受信さ
れたＰＵＣＣＨの信号に対して行なわれる検出処理を示す制御信号である。例えば、無線
リソース制御部１０３は、ＡＣＫ／ＮＡＣＫ用のＰＵＣＣＨのリソース、ＡＣＫ／ＮＡＣ
Ｋ  ｃｈａｎｎｅｌ  ｓｅｌｅｃｔｉｏｎを用いたＡＣＫ／ＮＡＣＫ用のＰＵＣＣＨの候
補リソースとして上りリンクサブフレーム、上りリンク物理リソースブロック、時間領域
の符号系列、周波数領域の符号系列を示す制御信号を出力する。
【０１４３】
制御部１０５は、無線リソース制御部１０３から入力された制御信号に基づき、ＰＤＳ
ＣＨに対する下りリンク物理リソースブロックの割り当て、ＰＤＣＣＨに対するリソース
の割り当て、ＰＤＳＣＨに対する変調方式の設定、ＰＤＳＣＨおよびＰＤＣＣＨに対する
符号化率の設定などの制御を送信処理部１０７に対して行なう。また、制御部１０５は、
無線リソース制御部１０３から入力された制御信号に基づき、ＰＤＣＣＨを用いて送信さ
れるＤＣＩを生成し、送信処理部１０７に出力する。ＰＤＣＣＨを用いて送信されるＤＣ
Ｉは、下りリンクアサインメント、上りリンクグラントなどである。また、制御部１０５
は、通信に用いる下りリンクコンポーネントキャリアおよび上りリンクコンポーネントキ
ャリアを示す情報、プライマリセルを示す情報、ＰＤＳＣＨ  ＣＣとＰＤＣＣＨ  ＣＣと
の対応付けを示す情報、セルアグリゲーションで用いるＡＣＫ／ＮＡＣＫの送信方法、Ｐ
ＵＣＣＨのリソースの割り当てを示す情報などを送信処理部１０７を介して移動局装置５
にＰＤＳＣＨを用いて送信するように制御を行なう。また、制御部１０５は、セルアグリ
ゲーションでＡＣＫ／ＮＡＣＫ  ｃｈａｎｎｅｌ  ｓｅｌｅｃｔｉｏｎのＰＵＣＣＨのリ
ソース選択処理の候補リソースを、送信処理部１０７を介して、移動局装置５にＰＤＣＣ
Ｈを用いて送信するように制御を行なう。なお、ＡＣＫ／ＮＡＣＫ  ｃｈａｎｎｅｌ  ｓ
ｅｌｅｃｔｉｏｎのＰＵＣＣＨのリソース選択処理の候補リソースの候補を示す情報が送
信処理部１０７を介して移動局装置５に通知される。
【０１４４】
制御部１０５は、無線リソース制御部１０３から入力された制御信号に基づき、ＰＵＳ
ＣＨに対する上りリンク物理リソースブロックの割り当て、ＰＵＣＣＨに対するリソース
の割り当て、ＰＵＳＣＨおよびＰＵＣＣＨの変調方式の設定、ＰＵＳＣＨの符号化率の設
定、ＰＵＣＣＨに対する検出処理、ＰＵＣＣＨに対する符号系列の設定などの制御を受信
処理部１０１に対して行なう。また、制御部１０５は、移動局装置５によってＰＵＣＣＨ
を用いて送信されたＵＣＩが受信処理部１０１より入力され、入力されたＵＣＩを無線リ
ソース制御部１０３に出力する。例えば、制御部１０５は、ＡＣＫ／ＮＡＣＫ  ｃｈａｎ
ｎｅｌ  ｓｅｌｅｃｔｉｏｎを示す情報が無線リソース制御部１０３から入力されている
場合、移動局装置５に送信されたＰＤＣＣＨに基づきＡＣＫ／ＮＡＣＫ  ｃｈａｎｎｅｌ
ｓｅｌｅｃｔｉｏｎの候補リソースを認識しており、受信処理部１０１が、各候補リソ
ースで信号が送信されたかを検出し、信号が送信されたと判断した候補リソースの信号を
復調して、複数のＡＣＫ／ＮＡＣＫの情報を検出するように制御を行なう。制御部１０５
は、何れの下りリンクサブフレームにおいてもＰＤＳＣＨを送信しなかったセルに対する
リソースを、ＡＣＫ／ＮＡＣＫ  ｃｈａｎｎｅｌ  ｓｅｌｅｃｔｉｏｎの候補リソースに
含めない。
【０１４５】
送信処理部１０７は、制御部１０５から入力された制御信号に基づき、ＰＤＣＣＨ、Ｐ
ＤＳＣＨを用いて送信する信号を生成して、送信アンテナ１１１を介して送信する。送信
処理部１０７は、無線リソース制御部１０３から入力された、セルアグリゲーションを用
いた通信に用いる下りリンクコンポーネントキャリアおよび上りリンクコンポーネントキ
ャリアを示す情報、プライマリセルを示す情報、ＰＤＳＣＨ  ＣＣとＰＤＣＣＨ  ＣＣと
の対応付けを示す情報、セルアグリゲーションで用いるＡＣＫ／ＮＡＣＫの送信方法、Ｐ
ＵＣＣＨのリソースの候補を示す情報、ＰＵＳＣＨの送信電力に関連する一部のパラメー
タの値を示す情報、ＰＵＣＣＨの送信電力に関連する一部のパラメータの値を示す情報、
上位層から入力された情報データ等をＰＤＳＣＨを用いて移動局装置５に対して送信し、
制御部１０５から入力されたＤＣＩをＰＤＣＣＨを用いて移動局装置５に対して送信する
。なお、説明の簡略化のため、以降、情報データは数種の制御に関する情報を含むものと
する。送信処理部１０７の詳細については、後述する。
【０１４６】
＜基地局装置３の送信処理部１０７の構成＞
以下、基地局装置３の送信処理部１０７の詳細について説明する。図２は、本発明の実
施形態に係る基地局装置３の送信処理部１０７の構成を示す概略ブロック図である。この
図に示すように、送信処理部１０７は、複数の物理下りリンク共用チャネル処理部２０１
−１〜２０１−Ｍ（以下、物理下りリンク共用チャネル処理部２０１−１〜２０１−Ｍを
合わせて物理下りリンク共用チャネル処理部２０１と表す）、複数の物理下りリンク制御
チャネル処理部２０３−１〜２０３−Ｍ（以下、物理下りリンク制御チャネル処理部２０
３−１〜２０３−Ｍを合わせて物理下りリンク制御チャネル処理部２０３と表す）、下り
リンクパイロットチャネル処理部２０５、多重部２０７、ＩＦＦＴ（Inverse Fast Fouri
er Transform; 高速逆フーリエ変換）部２０９、ＧＩ（Guard Interval; ガードインター
バル）挿入部２１１、Ｄ／Ａ（Digital/Analog converter; ディジタルアナログ変換）部
２１３、送信ＲＦ（Radio Frequency; 無線周波数）部２１５、および、送信アンテナ１
１１を含んで構成される。なお、各物理下りリンク共用チャネル処理部２０１、各物理下
りリンク制御チャネル処理部２０３は、それぞれ、同様の構成および機能を有するので、
その一つを代表して説明する。なお、送信処理部１０７の説明では、先ず送信アンテナの
数が１本の場合（単一のデータ送信が行われる場合）について説明し、複数の送信アンテ
ナが構成され、ＰＤＳＣＨに対して空間多重を行なう処理部が構成される場合（２個のデ
ータ送信が行われる場合）についての説明は、後述する。
【０１４７】
また、この図に示すように、物理下りリンク共用チャネル処理部２０１は、それぞれ、
ターボ符号部２１９およびデータ変調部２２１を備える。また、この図に示すように、物
理下りリンク制御チャネル処理部２０３は、畳み込み符号部２２３およびＱＰＳＫ変調部
２２５を備える。物理下りリンク共用チャネル処理部２０１は、移動局装置５への情報デ
ータをＯＦＤＭ方式で伝送するためのベースバンド信号処理を行なう。ターボ符号部２１
９は、入力された情報データを、制御部１０５から入力された符号化率で、データの誤り
耐性を高めるためのターボ符号化を行ない、データ変調部２２１に出力する。データ変調
部２２１は、ターボ符号部２１９が符号化したデータを、制御部１０５から入力された変
調方式、例えば、ＱＰＳＫ（四位相偏移変調; Quadrature Phase Shift Keying）、１６
ＱＡＭ（16値直交振幅変調; 16 Quadrature Amplitude Modulation）、６４ＱＡＭ（64値
直交振幅変調; 64 Quadrature Amplitude Modulation）のような変調方式で変調し、変調
シンボルの信号系列を生成する。データ変調部２２１は、生成した信号系列を、多重部２
０７に出力する。
【０１４８】
物理下りリンク制御チャネル処理部２０３は、制御部１０５から入力されたＤＣＩを、
ＯＦＤＭ方式で伝送するためのベースバンド信号処理を行なう。畳み込み符号部２２３は
、制御部１０５から入力された符号化率に基づき、ＤＣＩの誤り耐性を高めるための畳み
込み符号化を行なう。ここで、ＤＣＩはビット単位で制御される。また、畳み込み符号部
２２３は、制御部１０５から入力された符号化率に基づき、畳み込み符号化の処理を行な
ったビットに対して出力ビットの数を調整するためにレートマッチングも行なう。畳み込
み符号部２２３は、符号化したＤＣＩをＱＰＳＫ変調部２２５に出力する。ＱＰＳＫ変調
部２２５は、畳み込み符号部２２３が符号化したＤＣＩを、ＱＰＳＫ変調方式で変調し、
変調した変調シンボルの信号系列を、多重部２０７に出力する。下りリンクパイロットチ
ャネル処理部２０５は、移動局装置５において既知の信号である下りリンク参照信号（Ce
ll specific RSとも呼称する。）を生成し、多重部２０７に出力する。
【０１４９】
多重部２０７は、下りリンクパイロットチャネル処理部２０５から入力された信号と、
物理下りリンク共用チャネル処理部２０１各々から入力された信号と、物理下りリンク制
御チャネル処理部２０３各々から入力された信号とを、制御部１０５からの指示に従って
、下りリンクサブフレームに多重する。無線リソース制御部１０３によって設定されたＰ
ＤＳＣＨに対する下りリンク物理リソースブロックの割り当て、ＰＤＣＣＨに対するリソ
ースの割り当てに関する制御信号が制御部１０５に入力され、その制御信号に基づき、制
御部１０５は多重部２０７の処理を制御する。
【０１５０】
なお、多重部２０７は、ＰＤＳＣＨとＰＤＣＣＨの多重を、基本的に図１１に示したよ
うに時間多重で行なう。また、多重部２０７は、下りリンクパイロットチャネルと、その
他のチャネル間の多重は時間・周波数多重で行なう。また、多重部２０７は、各移動局装
置５宛てのＰＤＳＣＨの多重を下りリンク物理リソースブロックペア単位で行ない、１つ
の移動局装置５に対して複数の下りリンク物理リソースブロックペアを用いてＰＤＳＣＨ
を多重することもある。また、多重部２０７は、各移動局装置５宛てのＰＤＣＣＨの多重
を同一の下りリンクコンポーネントキャリア内のＣＣＥを用いて行なう。多重部２０７は
、多重化した信号を、ＩＦＦＴ部２０９に出力する。
【０１５１】
ＩＦＦＴ部２０９は、多重部２０７が多重化した信号を高速逆フーリエ変換し、ＯＦＤ
Ｍ方式の変調を行ない、ＧＩ挿入部２１１に出力する。ＧＩ挿入部２１１は、ＩＦＦＴ部
２０９がＯＦＤＭ方式の変調を行なった信号に、ガードインターバルを付加することで、
ＯＦＤＭ方式におけるシンボルからなるベースバンドのディジタル信号を生成する。周知
のように、ガードインターバルは、伝送するＯＦＤＭシンボルの先頭または末尾の一部を
複製することによって生成される。ＧＩ挿入部２１１は、生成したベースバンドのディジ
タル信号をＤ／Ａ部２１３に出力する。Ｄ／Ａ部２１３は、ＧＩ挿入部２１１から入力さ
れたベースバンドのディジタル信号をアナログ信号に変換し、送信ＲＦ部２１５に出力す
る。送信ＲＦ部２１５は、Ｄ／Ａ部２１３から入力されたアナログ信号から、中間周波数
の同相成分および直交成分を生成し、中間周波数帯域に対する余分な周波数成分を除去す
る。次に、送信ＲＦ部２１５は、中間周波数の信号を高周波数の信号に変換（アップコン
バート）し、余分な周波数成分を除去し、電力増幅し、送信アンテナ１１１を介して、移
動局装置５に送信する。
【０１５２】
複数の送信アンテナが構成され、ＰＤＳＣＨに対して空間多重を行なう処理部が構成さ
れる場合について説明する。図２で説明した、送信アンテナの数が１本の場合の構成と比
較して、複数の送信アンテナ１１１が基地局装置３に構成され、多重部２０７、ＩＦＦＴ
部２０９、ＧＩ挿入部２１１、Ｄ／Ａ部２１３、送信ＲＦ部２１５が送信アンテナの数と
同数の処理部が基地局装置３に構成される。更に、空間多重の処理を行う空間多重処理部
が基地局装置３に構成される。空間多重処理部では、物理下りリンク共用チャネル処理部
２０１から入力されるデータ系列を複製し、複製した各データ系列に送信重み（プリコー
ディングとも呼称する。）を乗算する処理を行い、送信重みを乗算した各データ系列を各
送信アンテナ１１１に対応した多重部２０７に出力する。例えば、送信重みとして、振幅
が１で、異なる位相の複数の信号が用いられる。以降、各送信アンテナ１１１に対応した
、ＩＦＦＴ部２０９、ＧＩ挿入部２１１、Ｄ／Ａ部２１３、送信ＲＦ部２１５で空間多重
処理部で処理が行われたデータ系列の信号が各送信アンテナ１１１から送信される。
【０１５３】
＜基地局装置３の受信処理部１０１の構成＞
以下、基地局装置３の受信処理部１０１の詳細について説明する。図３は、本発明の実
施形態に係る基地局装置３の受信処理部１０１の構成を示す概略ブロック図である。この
図に示すように、受信処理部１０１は、受信ＲＦ部３０１、Ａ／Ｄ（Analog/Digital con
verter; アナログディジタル変換）部３０３、コンポーネントキャリア分離部３０５、複
数の上りリンクコンポーネントキャリア毎受信処理部３０７−１〜３０７−Ｍ（以下、上
りリンクコンポーネントキャリア毎受信処理部３０７−１〜３０７−Ｍを上りリンクコン
ポーネントキャリア毎受信処理部３０７と表す）、を含んで構成される。また、この図に
示すように、上りリンクコンポーネントキャリア毎受信処理部３０７は、シンボルタイミ
ング検出部３０９、ＧＩ除去部３１１、ＦＦＴ部３１３、サブキャリアデマッピング部３
１５、伝搬路推定部３１７、ＰＵＳＣＨ用の伝搬路等化部３１９、ＰＵＣＣＨ用の伝搬路
等化部３２１、ＩＤＦＴ部３２３、データ復調部３２５、ターボ復号部３２７、および物
理上りリンク制御チャネル検出部３２９を備える。なお、各上りリンクコンポーネントキ
ャリア毎受信処理部３０７は、同様の構成および機能を有するので、その一つを代表して
説明する。
【０１５４】
受信ＲＦ部３０１は、受信アンテナ１０９で受信された信号を、適切に増幅し、中間周
波数に変換し（ダウンコンバート）、不要な周波数成分を除去し、信号レベルが適切に維
持されるように増幅レベルを制御し、受信された信号の同相成分および直交成分に基づい
て、直交復調する。受信ＲＦ部３０１は、直交復調したアナログ信号を、Ａ／Ｄ部３０３
に出力する。Ａ／Ｄ部３０３は、受信ＲＦ部３０１が直交復調したアナログ信号をディジ
タル信号に変換し、変換したディジタル信号をコンポーネントキャリア分離部３０５に出
力する。コンポーネントキャリア分離部３０５は、上りリンクシステム帯域幅の上りリン
クコンポーネントキャリア毎に受信信号を分離し、各上りリンクコンポーネントキャリア
毎受信処理部３０７に出力する。
【０１５５】
上りリンクコンポーネントキャリア毎受信処理部３０７は、上りリンクコンポーネント
キャリア内のＰＵＳＣＨ、ＰＵＣＣＨの復調、復号を行ない、情報データ、ＵＣＩを検出
する。
【０１５６】
シンボルタイミング検出部３０９は、コンポーネントキャリア分離部３０５より入力さ
れた信号に基づいて、シンボルのタイミングを検出し、検出したシンボル境界のタイミン
グを示す制御信号を、ＧＩ除去部３１１に出力する。ＧＩ除去部３１１は、シンボルタイ
ミング検出部３０９からの制御信号に基づいて、コンポーネントキャリア分離部３０５よ
り入力された信号からガードインターバルに相当する部分を除去し、残りの部分の信号を
、ＦＦＴ部３１３に出力する。ＦＦＴ部３１３は、ＧＩ除去部３１１から入力された信号
を高速フーリエ変換し、ＤＦＴ−Ｓｐｒｅａｄ−ＯＦＤＭ方式の復調を行ない、サブキャ
リアデマッピング部３１５に出力する。なお、ＦＦＴ部３１３のポイント数は、後述する
移動局装置５のＩＦＦＴ部のポイント数と等しい。
【０１５７】
サブキャリアデマッピング部３１５は、制御部１０５から入力された制御信号に基づき
、ＦＦＴ部３１３が復調した信号を、上りリンクパイロットチャネルの上りリンク参照信
号と、ＰＵＳＣＨの信号と、ＰＵＣＣＨの信号とに分離する。サブキャリアデマッピング
部３１５は、分離した上りリンク参照信号を伝搬路推定部３１７に出力し、分離したＰＵ
ＳＣＨの信号をＰＵＳＣＨ用の伝搬路等化部３１９に出力し、分離したＰＵＣＣＨの信号
をＰＵＣＣＨ用の伝搬路等化部３２１に出力する。
【０１５８】
伝搬路推定部３１７は、サブキャリアデマッピング部３１５が分離した上りリンク参照
信号と既知の信号を用いて伝搬路の変動を推定する。伝搬路推定部３１７は、推定した伝
搬路推定値を、ＰＵＳＣＨ用の伝搬路等化部３１９と、ＰＵＣＣＨ用の伝搬路等化部３２
１に出力する。ＰＵＳＣＨ用の伝搬路等化部３１９は、サブキャリアデマッピング部３１
５が分離したＰＵＳＣＨの信号の振幅および位相を、伝搬路推定部３１７から入力された
伝搬路推定値に基づいて等化する。ここで、等化とは、信号が無線通信中に受けた伝搬路
の変動を元に戻す処理のことを表す。ＰＵＳＣＨ用の伝搬路等化部３１９は、調整した信
号をＩＤＦＴ部３２３に出力する。
【０１５９】
ＩＤＦＴ部３２３は、ＰＵＳＣＨ用の伝搬路等化部３１９から入力された信号を離散逆
フーリエ変換し、データ復調部３２５に出力する。データ復調部３２５は、ＩＤＦＴ部３
２３が変換したＰＵＳＣＨの信号の復調を行ない、復調したＰＵＳＣＨの信号をターボ復
号部３２７に出力する。この復調は、移動局装置５のデータ変調部で用いられる変調方式
に対応した復調であり、変調方式は制御部１０５より入力される。ターボ復号部３２７は
、データ復調部３２５から入力され、復調されたＰＵＳＣＨの信号から、情報データを復
号する。符号化率は、制御部１０５より入力される。
【０１６０】
ＰＵＣＣＨ用の伝搬路等化部３２１は、サブキャリアデマッピング部３１５で分離され
たＰＵＣＣＨの信号の振幅および位相を、伝搬路推定部３１７から入力された伝搬路推定
値に基づいて等化する。ＰＵＣＣＨ用の伝搬路等化部３２１は、等化した信号を物理上り
リンク制御チャネル検出部３２９に出力する。
【０１６１】
物理上りリンク制御チャネル検出部３２９は、ＰＵＣＣＨ用の伝搬路等化部３２１から
入力された信号を復調、復号し、ＵＣＩを検出する。物理上りリンク制御チャネル検出部
３２９は、周波数領域、および／または周波数領域で符号多重された信号を分離する処理
を行なう。物理上りリンク制御チャネル検出部３２９は、送信側で用いられた符号系列を
用いて周波数領域、および／または時間領域で符号多重されたＰＵＣＣＨの信号からＡＣ
Ｋ／ＮＡＣＫ、ＳＲ、ＣＱＩを検出するための処理を行う。具体的には、物理上りリンク
制御チャネル検出部３２９は、周波数領域での符号系列を用いた検出処理、つまり周波数
領域で符号多重された信号を分離する処理として、ＰＵＣＣＨのサブキャリア毎の信号に
対して符号系列の各符号を乗算した後、各符号を乗算した信号を合成する。具体的には、
物理上りリンク制御チャネル検出部３２９は、時間領域での符号系列を用いた検出処理、
つまり時間領域での符号多重された信号を分離する処理として、ＰＵＣＣＨのＳＣ−ＦＤ
ＭＡシンボル毎の信号に対して符号系列の各符号を乗算した後、各符号を乗算した信号を
合成する。なお、物理上りリンク制御チャネル検出部３２９は、制御部１０５からの制御
信号に基づき、ＰＵＣＣＨの信号に対する検出処理を設定する。
【０１６２】
物理上りリンク制御チャネル検出部３２９は、制御部１０５からの制御信号に基づき、
ＡＣＫ／ＮＡＣＫ  ｃｈａｎｎｅｌ  ｓｅｌｅｃｔｉｏｎを用いて送信されたＰＵＣＣＨ
の信号から複数のＡＣＫ／ＮＡＣＫの情報を検出する処理を行う。物理上りリンク制御チ
ャネル検出部３２９は、制御部１０５から指示された各候補リソースで信号が送信された
かを検出する。例えば、信号が送信されたかを検出する処理は、そのリソースで検出した
受信信号の電力が所定の閾値を超えるか否かに基づいて行われる。物理上りリンク制御チ
ャネル検出部３２９は、信号が送信されたと判断した候補リソースの信号を復調して、何
れのＱＰＳＫの信号点であるかを判断する。物理上りリンク制御チャネル検出部３２９は
、信号を検出したリソースと、復調したＱＰＳＫの信号点に基づき、複数のＡＣＫ／ＮＡ
ＣＫの情報を判断する。なお、物理上りリンク制御チャネル検出部３２９は、図１６〜図
１８に示すような、複数のＡＣＫ／ＮＡＣＫの情報、ＡＣＫ／ＮＡＣＫ  ｃｈａｎｎｅｌ
ｓｅｌｅｃｔｉｏｎで選択されるリソース、ＱＰＳＫの信号点の関係を制御部１０５か
ら設定されている。上記処理により物理上りリンク制御チャネル検出部３２９は、Ｔｉｍ
ｅ  ｄｏｍａｉｎ  ｂｕｎｄｌｉｎｇとＡＣＫ／ＮＡＣＫ  ｃｈａｎｎｅｌ  ｓｅｌｅｃ
ｔｉｏｎを用いて送信されたＰＵＣＣＨの信号から、複数の第二の受信確認応答の情報を
判断し、制御部１０５が第二の受信確認応答から各下りリンクサブフレームのデータに対
するＡＣＫ／ＮＡＣＫ（第一の受信確認応答）が何であるかを判断する。上記処理により
物理上りリンク制御チャネル検出部３２９は、Ｓｐａｔｉａｌ  ｂｕｎｄｌｉｎｇとＡＣ
Ｋ／ＮＡＣＫ  ｃｈａｎｎｅｌ  ｓｅｌｅｃｔｉｏｎを用いて送信されたＰＵＣＣＨの信
号から、複数の第二の受信確認応答の情報を判断し、制御部１０５が第二の受信確認応答
から空間多重が行なわれた各データ系列に対するＡＣＫ／ＮＡＣＫ（第一の受信確認応答
）が何であるかを判断する。上記処理により物理上りリンク制御チャネル検出部３２９は
、Ｔｉｍｅ  ｄｏｍａｉｎ  ｂｕｎｄｌｉｎｇとＳｐａｔｉａｌ  ｂｕｎｄｌｉｎｇとＡ
ＣＫ／ＮＡＣＫ  ｃｈａｎｎｅｌ  ｓｅｌｅｃｔｉｏｎを用いて送信されたＰＵＣＣＨの
信号から、複数の第二の受信確認応答の情報を判断し、制御部１０５が第二の受信確認応
答から各下りリンクサブフレームの、空間多重が行われた各データ系列に対するＡＣＫ／
ＮＡＣＫ（第一の受信確認応答）が何であるかを判断する。
【０１６３】
制御部１０５は、基地局装置３が、移動局装置５にＰＤＣＣＨを用いて送信した制御情
報（ＤＣＩ）、及びＰＵＳＣＨを用いて送信した制御情報に基づいて、サブキャリアデマ
ッピング部３１５、データ復調部３２５、ターボ復号部３２７、伝搬路推定部３１７、お
よび物理上りリンク制御チャネル検出部３２９の制御を行なう。また、制御部１０５は、
基地局装置３が移動局装置５に送信した制御情報に基づき、各移動局装置５が送信したＰ
ＵＳＣＨ、ＰＵＣＣＨがどのリソース（上りリンクサブフレーム、上りリンク物理リソー
スブロック、周波数領域の符号系列、時間領域の符号系列）により構成されているかを把
握している。なお、制御部１０５は、基地局装置３が移動局装置５に送信した制御情報（
ＲＲＣシグナリング）、ＰＤＣＣＨ（ＣＣＥ）に基づき、各移動局装置５がＡＣＫ／ＮＡ
ＣＫ  ｃｈａｎｎｅｌ  ｓｅｌｅｃｔｉｏｎを用いて送信する可能性のあるＰＵＣＣＨの
候補リソースがどのリソースにより構成されているかを把握している。
【０１６４】
＜移動局装置５の全体構成＞
以下、図４、図５、図６を用いて、本実施形態に係る移動局装置５の構成について説明
する。図４は、本発明の実施形態に係る移動局装置５の構成を示す概略ブロック図である
。この図に示すように、移動局装置５は、受信処理部４０１、無線リソース制御部４０３
、制御部４０５、送信処理部４０７（送信部）を含んで構成される。また、制御部４０５
は、第一の受信確認応答生成部４０５１、第二の受信確認応答生成部４０５３、リソース
選択部４０５５およびパラメータ設定部４０５７、を備える。
【０１６５】
受信処理部４０１は、基地局装置３から信号を受信し、制御部４０５の指示に従い、受
信信号を復調、復号する。受信処理部４０１は、自装置宛てのＰＤＣＣＨの信号を検出し
た場合は、ＰＤＣＣＨの信号を復号して取得したＤＣＩを制御部４０５に出力する。例え
ば、受信処理部４０１は、ＰＤＣＣＨに含まれるＰＵＣＣＨのリソースに関する制御情報
を制御部４０５に出力する。また、受信処理部４０１は、ＰＤＣＣＨに含まれるＤＣＩを
制御部４０５に出力した後の制御部４０５の指示に基づき、自装置宛てのＰＤＳＣＨを復
号して得た情報データを、制御部４０５を介して上位層に出力する。ＰＤＣＣＨに含まれ
るＤＣＩの中で下りリンクアサインメントがＰＤＳＣＨのリソースの割り当てを示す情報
を含む。また、受信処理部４０１は、ＰＤＳＣＨを復号して得た基地局装置３の無線リソ
ース制御部１０３で生成された制御情報を制御部４０５に出力し、また制御部４０５を介
して自装置の無線リソース制御部４０３に出力する。例えば、基地局装置３の無線リソー
ス制御部１０３で生成された制御情報は、プライマリセルを示す情報、ＡＣＫ／ＮＡＣＫ
の送信方法を示す情報、ＰＵＣＣＨのリソースの候補を示す情報、ＰＵＣＣＨの送信電力
に関連する一部のパラメータの値を示す情報を含む。なお、ＡＣＫ／ＮＡＣＫの送信方法
とは、ＡＣＫ／ＮＡＣＫ  ｃｈａｎｎｅｌ  ｓｅｌｅｃｔｉｏｎ、Ｔｉｍｅ  ｄｏｍａｉ
ｎ  ｂｕｎｄｌｉｎｇ、Ｓｐａｔｉａｌ  ｂｕｎｄｌｉｎｇである。
【０１６６】
また、受信処理部４０１は、ＰＤＳＣＨに含まれる巡回冗長検査（Cyclic Redundancy 
Check: CRC）符号を制御部４０５に出力する。基地局装置３の説明では省略したが、基地
局装置３の送信処理部１０７は情報データからＣＲＣ符号を生成し、情報データとＣＲＣ
符号をＰＤＳＣＨで送信する。ＣＲＣ符号は、ＰＤＳＣＨに含まれるデータが誤っている
か、誤っていないかを判断するために使われ、予め決められた生成多項式を用いてデータ
から生成された情報とＣＲＣ符号が同じ場合はデータが誤っていないと判断され、予め決
められた生成多項式を用いてデータから生成された情報とＣＲＣ符号が異なる場合はデー
タが誤っていると判断される。受信処理部４０１の詳細については後述する。
【０１６７】
制御部４０５は、第一の受信確認応答生成部４０５１、第二の受信確認応答生成部４０
５３、リソース選択部４０５５およびパラメータ設定部４０５７を備える。制御部４０５
は、ＰＤＳＣＨを用いて基地局装置３から送信され、受信処理部４０１より入力されたデ
ータを確認し、データの中で情報データを上位層に出力し、データの中で基地局装置３の
無線リソース制御部１０３で生成された制御情報に基づいて、受信処理部４０１、送信処
理部４０７を制御する。また、制御部４０５は、無線リソース制御部４０３からの指示に
基づき、受信処理部４０１、送信処理部４０７を制御する。例えば、制御部４０５は、無
線リソース制御部４０３から指示されたＰＵＣＣＨの候補リソースを用いてＡＣＫ／ＮＡ
ＣＫを送信するように送信処理部４０７を制御する。また、制御部４０５は、ＰＤＣＣＨ
を用いて基地局装置３から送信され、受信処理部４０１より入力されたＤＣＩに基づいて
、受信処理部４０１、送信処理部４０７を制御する。具体的には、制御部４０５は検出さ
れた下りリンクアサインメントに基づき受信処理部４０１を制御し、検出された上りリン
クグラントに基づき送信処理部４０７を制御する。また、制御部４０５は、予め決められ
た生成多項式を用いて受信処理部４０１より入力されたデータと受信処理部４０１より入
力されたＣＲＣ符号を比較し、データが誤っているか否かを判断し、ＡＣＫ／ＮＡＣＫを
生成する。実際には、制御部４０５の第一の受信確認応答生成部４０５１、第二の受信確
認応答生成部４０５３において、ＡＣＫ／ＮＡＣＫの生成が制御される。また、制御部４
０５は、無線リソース制御部４０３からの指示に基づき、ＳＲ、ＣＱＩを生成する。
【０１６８】
第一の受信確認応答生成部４０５１は、移動局装置５が受信した下りリンクの各データ
に対してＡＣＫ／ＮＡＣＫ（第一の受信確認応答）を生成する。第一の受信確認応答生成
部４０５１は、予め決められた生成多項式を用いて受信処理部４０１より入力されたＰＤ
ＳＣＨに含まれるデータと受信処理部４０１より入力されたＣＲＣ符号を比較し、データ
が誤っているか否かを判断し、各データに対してＡＣＫ／ＮＡＣＫを生成する。予め決め
られた生成多項式を用いてデータから生成された情報とＣＲＣ符号が同じ場合は、ＡＣＫ
／ＮＡＣＫでＡＣＫが示され、生成された情報とＣＲＣ符号が異なる場合は、ＡＣＫ／Ｎ
ＡＣＫでＮＡＣＫが示される。
【０１６９】
第二の受信確認応答生成部４０５３は、第一の受信確認応答生成部４０５１で生成され
た複数の第一の受信確認応答に対してＴｉｍｅ  ｄｏｍａｉｎ  ｂｕｎｄｌｉｎｇ、Ｓｐ
ａｔｉａｌ  ｂｕｎｄｌｉｎｇを実行し、複数の第一の受信確認応答をまとめた情報（第
二の受信確認応答）を生成する。なお、第二の受信確認応答生成部４０５３において、Ｔ
ｉｍｅ  ｄｏｍａｉｎ  ｂｕｎｄｌｉｎｇを適用するか否か、Ｓｐａｔｉａｌ  ｂｕｎｄ
ｌｉｎｇを適用するか否かは、基地局装置３より通知された情報に基づき設定されている
。Ｔｉｍｅ  ｄｏｍａｉｎ  ｂｕｎｄｌｉｎｇを適用するように設定された第二の受信確
認応答生成部４０５３は、同一の下りリンクコンポーネントキャリア（周波数領域）であ
って、複数の下りリンクサブフレーム（時間領域）の複数の下りリンクのデータに対する
複数の第一の受信確認応答に対して論理演算を実行する。Ｓｐａｔｉａｌ  ｂｕｎｄｌｉ
ｎｇを適用するように設定された第二の受信確認応答生成部４０５３は、同一の下りリン
クコンポーネントキャリア（周波数領域）および同一の下りリンクサブフレーム（時間領
域）の複数の下りリンクのデータ、つまり空間多重を用いて送信された複数のデータに対
する複数の第一の受信確認応答に対して論理演算を実行する。
【０１７０】
リソース選択部４０５５は、第二の受信確認応答生成部４０５３で生成された複数の第
二の受信確認応答に基づき、複数の第二の受信確認応答の内容を明示的に示す信号を配置
するリソースを選択する。リソース選択部４０５５において、ＡＣＫ／ＮＡＣＫ  ｃｈａ
ｎｎｅｌ  ｓｅｌｅｃｔｉｏｎの暗黙的に情報を示すためのリソースの選択処理が行われ
る。リソース選択部４０５５は、複数のセルに対する第二の受信確認応答に基づき、図１
６〜図１８に示すようなＡＣＫ／ＮＡＣＫの情報と、ＡＣＫ／ＮＡＣＫ  ｃｈａｎｎｅｌ
ｓｅｌｅｃｔｉｏｎで選択されるリソースと、ＱＰＳＫの信号点との関係を用いて、受
信したＰＤＣＣＨに基づく複数の候補リソースの中から信号の送信に用いるリソースを選
択する。なお、制御部４０５は、自装置宛てのＤＣＩを含むＰＤＣＣＨに用いられたＣＣ
Ｅを把握し、そのＣＣＥと対応付けられるＰＵＣＣＨのリソースを判断し、そのリソース
はリソース選択部４０５５において候補リソースとして用いられる。なお、制御部４０５
は、無線リソース制御部４０３から、基地局装置３からＲＲＣシグナリングを用いて通知
されたＡＣＫ／ＮＡＣＫ  ｃｈａｎｎｅｌ  ｓｅｌｅｃｔｉｏｎのＰＵＣＣＨの候補リソ
ース、または候補リソースの候補が制御情報として入力されており、無線リソース制御部
４０３から入力された制御情報と検出されたＰＤＣＣＨに基づきリソース選択部４０５５
に候補リソースを設定している。
【０１７１】
リソース選択部４０５５は、受信処理部４０１が何れの下りリンクサブフレームにおい
てもＰＤＳＣＨを受信しなかったセルに対しては、複数の第二の受信確認応答の内容を明
示的に示す信号を配置するリソースの選択処理に関して候補リソースを選択する処理は行
わない。
【０１７２】
パラメータ設定部４０５７は、ＰＵＣＣＨ、ＰＵＳＣＨ、上りリンクパイロットチャネ
ルなどの送信電力に関連するパラメータの値を設定する。パラメータ設定部４０５７にお
いて設定された送信電力の値は、制御部４０５により送信処理部４０７に対して出力され
る。なお、ＰＵＣＣＨと同じ上りリンク物理リソースブロック内のリソースより構成され
る上りリンクパイロットチャネルは、ＰＵＣＣＨと同じ送信電力制御が行なわれる。なお
、ＰＵＳＣＨと同じ上りリンク物理リソースブロック内のリソースより構成される上りリ
ンクパイロットチャネルは、ＰＵＳＣＨと同じ送信電力制御が行なわれる。パラメータ設
定部４０５７は、ＰＵＳＣＨに対して、ＰＵＳＣＨに割り当てられる上りリンク物理リソ
ースブロックの数に基づくパラメータ、予め基地局装置３より通知されたセル固有、およ
び移動局装置固有のパラメータ、ＰＵＳＣＨに用いられる変調方式に基づくパラメータ、
推定されたパスロスの値に基づくパラメータ、基地局装置３より通知された送信電力制御
コマンドに基づくパラメータなどの値を設定する。パラメータ設定部４０５７は、ＰＵＣ
ＣＨに対して、ＰＵＣＣＨの信号構成に基づくパラメータ、予め基地局装置３より通知さ
れたセル固有、および移動局装置固有のパラメータ、推定されたパスロスの値に基づくパ
ラメータ、通知された送信電力制御コマンドに基づくパラメータなどの値を設定する。特
に、パラメータ設定部４０５７は、Ｔｉｍｅ  ｄｏｍａｉｎ  ｂｕｎｄｌｉｎｇおよび／
またはＳｐａｔｉａｌ  ｂｕｎｄｌｉｎｇとＡＣＫ／ＮＡＣＫ  ｃｈａｎｎｅｌ  ｓｅｌ
ｅｃｔｉｏｎが適用されるＰＵＣＣＨに対して、ＰＵＣＣＨの信号構成に基づくパラメー
タの値を、リソース選択部４０５５でリソースの選択に用いられる候補リソースの数に応
じて設定する。または、パラメータ設定部４０５７は、Ｔｉｍｅ  ｄｏｍａｉｎ  ｂｕｎ
ｄｌｉｎｇおよび／またはＳｐａｔｉａｌ  ｂｕｎｄｌｉｎｇとＡＣＫ／ＮＡＣＫ  ｃｈ
ａｎｎｅｌ  ｓｅｌｅｃｔｉｏｎが適用されるＰＵＣＣＨに対して、ＰＵＣＣＨの信号構
成に基づくパラメータの値を、第二の受信確認応答生成部４０５３で生成された第二の受
信確認応答の数に応じて設定する。
【０１７３】
なお、送信電力に関連するパラメータとして、セル固有、および移動局装置固有のパラ
メータはＰＤＳＣＨを用いて基地局装置３より通知され、送信電力制御コマンドはＰＤＣ
ＣＨを用いて基地局装置３より通知される。ＰＵＳＣＨに対する送信電力制御コマンドは
上りリンクグラントに含まれ、ＰＵＣＣＨに対する送信電力制御コマンドは下りリンクア
サインメントに含まれる。なお、制御部４０５は、送信されるＵＣＩの種類に応じてＰＵ
ＣＣＨの信号構成を制御しており、パラメータ設定部４０５７で用いられるＰＵＣＣＨの
信号構成を制御している。なお、基地局装置３より通知された、送信電力に関連する各種
パラメータは無線リソース制御部４０３において適宜記憶され、記憶された値がパラメー
タ設定部４０５７に入力される。
【０１７４】
無線リソース制御部４０３は、基地局装置３の無線リソース制御部１０３で生成され、
基地局装置３より通知された制御情報を記憶して保持すると共に、制御部４０５を介して
受信処理部４０１、送信処理部４０７の制御を行なう。つまり、無線リソース制御部４０
３は、各種パラメータなどを保持するメモリの機能を備える。例えば、無線リソース制御
部４０３は、ＰＵＣＣＨの候補リソースの割り当てに関する制御情報を保持し、送信処理
部４０７においてＰＵＣＣＨの信号を保持した候補リソースの何れかを用いて送信するよ
うに制御信号を制御部４０５に出力する。なお、ＰＤＣＣＨのＣＣＥに基づいて割り当て
られる、ＡＣＫ／ＮＡＣＫ  ｃｈａｎｎｅｌ  ｓｅｌｅｃｔｉｏｎの候補リソースについ
ては、無線リソース制御部４０３において関連情報は保持されず、ＲＲＣシグナリングで
基地局装置３より通知された関連情報（候補リソースそのものを示す情報、または候補リ
ソースの候補を示す情報）が保持される。また、無線リソース制御部４０３は、ＰＵＳＣ
Ｈ、ＰＵＣＣＨの送信電力に関連するパラメータを保持し、パラメータ設定部４０５７に
おいて基地局装置３より通知されたパラメータを用いるように制御信号を制御部４０５に
出力する。
【０１７５】
送信処理部４０７は、制御部４０５の指示に従い、情報データ、ＵＣＩを符号化および
変調した信号をＰＵＳＣＨ、ＰＵＣＣＨのリソースを用いて、基地局装置３に送信アンテ
ナ４１１を介して送信する。また、送信処理部４０７は、制御部４０５の指示に従い、Ｐ
ＵＳＣＨ、ＰＵＣＣＨの送信電力を設定する。例えば、送信処理部４０７は、複数の第二
の受信確認応答の内容の一部を示す信号を符号化および変調した信号を生成し、パラメー
タ設定部４０５７より入力された値の送信電力を設定し、リソース選択部４０５５で選択
されたＰＵＣＣＨのリソースを用いて、送信アンテナ４１１を介して信号を送信する。送
信処理部４０７の詳細については後述する。
【０１７６】
＜移動局装置５の受信処理部４０１＞
以下、移動局装置５の受信処理部４０１の詳細について説明する。図５は、本発明の実
施形態に係る移動局装置５の受信処理部４０１の構成を示す概略ブロック図である。この
図に示すように、受信処理部４０１は、受信ＲＦ部５０１、Ａ／Ｄ部５０３、シンボルタ
イミング検出部５０５、ＧＩ除去部５０７、ＦＦＴ部５０９、多重分離部５１１、伝搬路
推定部５１３、ＰＤＳＣＨ用の伝搬路補償部５１５、物理下りリンク共用チャネル復号部
５１７、ＰＤＣＣＨ用の伝搬路補償部５１９、および、物理下りリンク制御チャネル復号
部５２１、を含んで構成される。また、この図に示すように、物理下りリンク共用チャネ
ル復号部５１７は、データ復調部５２３、および、ターボ復号部５２５、を備える。また
、この図に示すように、物理下りリンク制御チャネル復号部５２１は、ＱＰＳＫ復調部５
２７、および、ビタビデコーダ部５２９、を備える。なお、受信処理部４０１の説明では
、シングルアンテナポートで送信されたＰＤＳＣＨから情報を取得する処理について説明
し、空間多重を用いて複数のアンテナポートで送信されたＰＤＳＣＨから情報を取得する
処理部が構成される場合についての説明は、後述する。
【０１７７】
受信ＲＦ部５０１は、受信アンテナ４０９で受信した信号を、適切に増幅し、中間周波
数に変換し（ダウンコンバート）、不要な周波数成分を除去し、信号レベルが適切に維持
されるように増幅レベルを制御し、受信した信号の同相成分および直交成分に基づいて、
直交復調する。受信ＲＦ部５０１は、直交復調したアナログ信号を、Ａ／Ｄ部５０３に出
力する。
【０１７８】
Ａ／Ｄ部５０３は、受信ＲＦ部５０１が直交復調したアナログ信号をディジタル信号に
変換し、変換したディジタル信号を、シンボルタイミング検出部５０５と、ＧＩ除去部５
０７と、に出力する。シンボルタイミング検出部５０５は、Ａ／Ｄ部５０３が変換したデ
ィジタル信号に基づいて、シンボルのタイミングを検出し、検出したシンボル境界のタイ
ミングを示す制御信号を、ＧＩ除去部５０７に出力する。ＧＩ除去部５０７は、シンボル
タイミング検出部５０５からの制御信号に基づいて、Ａ／Ｄ部５０３の出力したディジタ
ル信号からガードインターバルに相当する部分を除去し、残りの部分の信号を、ＦＦＴ部
５０９に出力する。ＦＦＴ部５０９は、ＧＩ除去部５０７から入力された信号を高速フー
リエ変換し、ＯＦＤＭ方式の復調を行ない、多重分離部５１１に出力する。
【０１７９】
多重分離部５１１は、制御部４０５から入力された制御信号に基づき、ＦＦＴ部５０９
が復調した信号を、ＰＤＣＣＨの信号と、ＰＤＳＣＨの信号とに分離する。多重分離部５
１１は、分離したＰＤＳＣＨの信号を、ＰＤＳＣＨ用の伝搬路補償部５１５に出力し、ま
た、分離したＰＤＣＣＨの信号を、ＰＤＣＣＨ用の伝搬路補償部５１９に出力する。また
、多重分離部５１１は、下りリンクパイロットチャネルが配置される下りリンクリソース
エレメントを分離し、下りリンクパイロットチャネルの下りリンク参照信号を、伝搬路推
定部５１３に出力する。なお、多重分離部５１１は、ＰＤＣＣＨ  ＣＣの信号をＰＤＣＣ
用の伝搬路補償部５１９に出力し、ＰＤＳＣＨ  ＣＣの信号をＰＤＳＣＨ用の伝搬路補償
部５１５に出力する。
【０１８０】
伝搬路推定部５１３は、多重分離部５１１が分離した下りリンクパイロットチャネルの
下りリンク参照信号と既知の信号とを用いて伝搬路の変動を推定し、伝搬路の変動を補償
するように、振幅および位相を調整するための伝搬路補償値を、ＰＤＳＣＨ用の伝搬路補
償部５１５と、ＰＤＣＣＨ用の伝搬路補償部５１９に出力する。ＰＤＳＣＨ用の伝搬路補
償部５１５は、多重分離部５１１が分離したＰＤＳＣＨの信号の振幅および位相を、伝搬
路推定部５１３から入力された伝搬路補償値に従って調整する。ＰＤＳＣＨ用の伝搬路補
償部５１５は、伝搬路を調整した信号を物理下りリンク共用チャネル復号部５１７のデー
タ復調部５２３に出力する。
【０１８１】
物理下りリンク共用チャネル復号部５１７は、制御部４０５からの指示に基づき、ＰＤ
ＳＣＨの復調、復号を行ない、情報データを検出する。データ復調部５２３は、伝搬路補
償部５１５から入力されたＰＤＳＣＨの信号の復調を行ない、復調したＰＤＳＣＨの信号
をターボ復号部５２５に出力する。この復調は、基地局装置３のデータ変調部２２１で用
いられる変調方式に対応した復調である。ターボ復号部５２５は、データ復調部５２３か
ら入力され、復調されたＰＤＳＣＨの信号から情報データを復号し、制御部４０５を介し
て上位層に出力する。なお、ＰＤＳＣＨを用いて送信された、基地局装置３の無線リソー
ス制御部１０３で生成された制御情報等も制御部４０５に出力され、制御部４０５を介し
て無線リソース制御部４０３にも出力される。なお、ＰＤＳＣＨに含まれるＣＲＣ符号も
制御部４０５に出力される。
【０１８２】
ＰＤＣＣＨ用の伝搬路補償部５１９は、多重分離部５１１が分離したＰＤＣＣＨの信号
の振幅および位相を、伝搬路推定部５１３から入力された伝搬路補償値に従って調整する
。ＰＤＣＣＨ用の伝搬路補償部５１９は、調整した信号を物理下りリンク制御チャネル復
号部５２１のＱＰＳＫ復調部５２７に出力する。
【０１８３】
物理下りリンク制御チャネル復号部５２１は、以下のように、ＰＤＣＣＨ用の伝搬路補
償部５１９から入力された信号を復調、復号し、制御データを検出する。ＱＰＳＫ復調部
５２７は、ＰＤＣＣＨの信号に対してＱＰＳＫ復調を行ない、ビタビデコーダ部５２９に
出力する。ビタビデコーダ部５２９は、ＱＰＳＫ復調部５２７が復調した信号を復号し、
復号したＤＣＩを制御部４０５に出力する。ここで、この信号はビット単位で表現され、
ビタビデコーダ部５２９は、入力ビットに対してビタビデコーディング処理を行なうビッ
トの数を調整するためにレートデマッチングも行なう。
【０１８４】
移動局装置５は、複数のＣＣＥ  ａｇｇｒｅｇａｔｉｏｎ  ｎｕｍｂｅｒを想定して、
自装置宛てのＤＣＩを検出する処理を行なう。移動局装置５は、想定するＣＣＥ  ａｇｇ
ｒｅｇａｔｉｏｎ  ｎｕｍｂｅｒ毎に異なる復号処理をＰＤＣＣＨの信号に対して行ない
、ＤＣＩと一緒にＰＤＣＣＨに付加されるＣＲＣ符号に誤りが検出されなかったＰＤＣＣ
Ｈに含まれるＤＣＩを取得する。このような処理をブラインドデコーディングと称す。な
お、移動局装置５は、下りリンクコンポーネントキャリアの全てのＣＣＥの信号に対して
ブラインドデコーディングを行なうのではなく、一部のＣＣＥに対してのみブラインドデ
コーディングを行なうようにしてもよい。ブラインドでコーディングが行なわれる一部の
ＣＣＥをＳｅａｒｃｈ  ｓｐａｃｅと呼称する。また、ＣＣＥ  ａｇｇｒｅｇａｔｉｏｎ
ｎｕｍｂｅｒ毎に異なるＣＣＥに対してブラインドデコーディングを行なうようにして
もよい。
【０１８５】
なお、制御部４０５は、ビタビデコーダ部５２９より入力されたＤＣＩが誤りなく、自
装置宛てのＤＣＩかを判定し、誤りなく、自装置宛てのＤＣＩと判定した場合、ＤＣＩに
基づいて多重分離部５１１、データ復調部５２３、ターボ復号部５２５、および送信処理
部４０７、を制御する。例えば、制御部４０５は、ＤＣＩが下りリンクアサインメントで
ある場合、受信処理部４０１にリソースを割り当てられた下りリンクコンポーネントキャ
リアでＰＤＳＣＨの信号を復号するように制御する。なお、ＰＤＣＣＨにおいてもＰＤＳ
ＣＨと同様にＣＲＣ符号が含まれており、制御部４０５はＣＲＣ符号を用いてＰＤＣＣＨ
のＤＣＩが誤っているか否かを判断する。
【０１８６】
また、制御部４０５は、自装置宛てのＤＣＩと判定した場合、その信号に用いられたＣ
ＣＥの情報（識別番号）に基づき、ＰＵＣＣＨの信号の送信に用いるリソース、ＡＣＫ／
ＮＡＣＫ  ｃｈａｎｎｅｌ  ｓｅｌｅｃｔｉｏｎのリソースの選択処理に用いるＰＵＣＣ
Ｈの信号の候補リソースを判断する。例えば、ＡＣＫ／ＮＡＣＫ  ｃｈａｎｎｅｌ  ｓｅ
ｌｅｃｔｉｏｎを設定された移動局装置５において、制御部４０５は、プライマリセルで
検出した、自装置宛てのＤＣＩを含むＰＤＣＣＨに用いられたＣＣＥの識別番号に基づき
、リソース選択部４０５５で用いる候補リソースを判断する。
【０１８７】
空間多重を用いて複数のアンテナポートで基地局装置３から送信されたＰＤＳＣＨから
情報を取得する処理について説明する。図５で説明した受信処理部４０１の構成と比較し
て、少なくとも空間多重分離検出部が更に構成される。空間多重分離検出部は、送信側で
用いられたプリコーディングを用いて、基地局装置３の各送信アンテナ１１１で送信され
た信号を合成および分離する処理を行い、複数のデータ系列を検出する処理を行う。なお
、プリコーディングを示す情報は、下りリンクアサインメントに含まれて送信される。伝
搬路推定部５１３は、基地局装置３の各送信アンテナ１１１から送信された下りリンク参
照信号に基づき、各送信アンテナ１１１で送信された信号が受ける伝搬路変動を推定する
。例えば、空間多重分離検出部はＰＤＳＣＨ用の伝搬路補償部５１５に組み込まれてもよ
い。空間多重分離検出部は、伝搬路推定部５１３で推定された各送信アンテナ１１１で送
信された信号が受ける伝搬路変動の推定値を用いて、各送信アンテナ１１１で送信された
信号の伝搬路変動の補償と共に、合成および分離する処理を行う。空間多重分離検出部は
、検出した複数のデータ系列を物理下りリンク共用チャネル復号部に出力する。
【０１８８】
＜移動局装置５の送信処理部４０７＞
図６は、本発明の実施形態に係る移動局装置５の送信処理部４０７の構成を示す概略ブ
ロック図である。この図に示すように、送信処理部４０７は、複数の上りリンクコンポー
ネントキャリア毎送信処理部６０１−１〜６０１−Ｍ（以下、上りリンクコンポーネント
キャリア毎送信処理部６０１−１〜６０１−Ｍを合わせて上りリンクコンポーネントキャ
リア毎送信処理部６０１と表す）、コンポーネントキャリア合成部６０３、Ｄ／Ａ部６０
５、送信ＲＦ部６０７、および、送信アンテナ４１１を含んで構成される。また、この図
に示すように、上りリンクコンポーネントキャリア毎送信処理部６０１は、ターボ符号部
６１１、データ変調部６１３、ＤＦＴ部６１５、上りリンクパイロットチャネル処理部６
１７、物理上りリンク制御チャネル処理部６１９、サブキャリアマッピング部６２１、Ｉ
ＦＦＴ部６２３、ＧＩ挿入部６２５、および、送信電力調整部６２７を備える。移動局装
置５は、対応する数の上りリンクコンポーネントキャリア分の上りリンクコンポーネント
キャリア毎送信処理部６０１を有する。なお、各上りリンクコンポーネントキャリア毎送
信処理部６０１は、同様の構成および機能を有するので、その一つを代表して説明する。
【０１８９】
上りリンクコンポーネントキャリア毎送信処理部６０１は、情報データ、ＵＣＩに対し
て符号化、変調を行ない、上りリンクコンポーネントキャリア内のＰＵＳＣＨ、ＰＵＣＣ
Ｈを用いて送信する信号を生成し、ＰＵＳＣＨ、ＰＵＣＣＨの送信電力を調整する。ター
ボ符号部６１１は、入力された情報データを、制御部４０５から指示された符号化率で、
データの誤り耐性を高めるためのターボ符号化を行ない、データ変調部６１３に出力する
。データ変調部６１３は、ターボ符号部６１１が符号化した符号データを、制御部４０５
から指示された変調方式、例えば、ＱＰＳＫ、１６ＱＡＭ、６４ＱＡＭのような変調方式
で変調し、変調シンボルの信号系列を生成する。データ変調部６１３は、生成した変調シ
ンボルの信号系列を、ＤＦＴ部６１５に出力する。ＤＦＴ部６１５は、データ変調部６１
３が出力した信号を離散フーリエ変換し、サブキャリアマッピング部６２１に出力する。
【０１９０】
物理上りリンク制御チャネル処理部６１９は、制御部４０５から入力されたＵＣＩを伝
送するためのベースバンド信号処理を行なう。物理上りリンク制御チャネル処理部６１９
に入力されるＵＣＩは、ＡＣＫ／ＮＡＣＫ（第一の受信確認応答、第二の受信確認応答）
、ＳＲ、ＣＱＩである。物理上りリンク制御チャネル処理部６１９は、ベースバンド信号
処理を行ない、生成した信号をサブキャリアマッピング部６２１に出力する。物理上りリ
ンク制御チャネル処理部６１９は、ＵＣＩの情報ビットを符号化して信号を生成する。例
えば、物理上りリンク制御チャネル処理部６１９は、複数の第二の受信確認応答の一部の
内容を示す情報ビットに対して符号化を適用して信号を生成する。ここで、ＡＣＫ／ＮＡ
ＣＫの情報ビットとは、ＡＣＫ／ＮＡＣＫ  ｃｈａｎｎｅｌ  ｓｅｌｅｃｔｉｏｎにおい
て変調信号により明示的に示される情報、ＡＣＫ／ＮＡＣＫ  ｃｈａｎｎｅｌ  ｓｅｌｅ
ｃｔｉｏｎが適用されず、単一のＰＤＳＣＨに対するＡＣＫ／ＮＡＣＫの情報も含む。
【０１９１】
また、物理上りリンク制御チャネル処理部６１９は、ＵＣＩから生成される信号に対し
て周波数領域の符号多重および／または時間領域の符号多重に関連する信号処理を行なう
。物理上りリンク制御チャネル処理部６１９は、ＡＣＫ／ＮＡＣＫの情報ビット、または
ＳＲの情報ビット、またはＣＱＩの情報ビットから生成されるＰＵＣＣＨの信号に対して
周波数領域の符号多重を実現するために制御部４０５から指示された符号系列を乗算する
。物理上りリンク制御チャネル処理部６１９は、ＡＣＫ／ＮＡＣＫの情報ビット、または
ＳＲの情報ビットから生成されるＰＵＣＣＨの信号に対して時間領域の符号多重を実現す
るために制御部４０５から指示された符号系列を乗算する。
【０１９２】
上りリンクパイロットチャネル処理部６１７は、基地局装置３において既知の信号であ
る上りリンク参照信号を制御部４０５からの指示に基づき生成し、サブキャリアマッピン
グ部６２１に出力する。
【０１９３】
サブキャリアマッピング部６２１は、上りリンクパイロットチャネル処理部６１７から
入力された信号と、ＤＦＴ部６１５から入力された信号と、物理上りリンク制御チャネル
処理部６１９から入力された信号とを、制御部４０５からの指示に従ってサブキャリアに
配置し、ＩＦＦＴ部６２３に出力する。
【０１９４】
ＩＦＦＴ部６２３は、サブキャリアマッピング部６２１が出力した信号を高速逆フーリ
エ変換し、ＧＩ挿入部６２５に出力する。ここで、ＩＦＦＴ部６２３のポイント数はＤＦ
Ｔ部６１５のポイント数よりも多く、移動局装置５は、ＤＦＴ部６１５、サブキャリアマ
ッピング部６２１、ＩＦＦＴ部６２３を用いることにより、ＰＵＳＣＨを用いて送信する
信号に対してＤＦＴ−Ｓｐｒｅａｄ−ＯＦＤＭ方式の変調を行なう。ＧＩ挿入部６２５は
、ＩＦＦＴ部６２３から入力された信号に、ガードインターバルを付加し、送信電力調整
部６２７に出力する。
【０１９５】
送信電力調整部６２７は、ＧＩ挿入部６２５から入力された信号に対して、制御部４０
５からの制御信号に基づき送信電力を調整してコンポーネントキャリア合成部６０３に出
力する。なお、送信電力調整部６２７では、ＰＵＳＣＨ、ＰＵＣＣＨ、上りリンクパイロ
ットチャネルの平均送信電力が上りリンクサブフレーム毎に制御される。送信電力調整部
６２７の処理により、Ｔｉｍｅ  ｄｏｍａｉｎ  ｂｕｎｄｌｉｎｇおよび／またはＳｐａ
ｔｉａｌ  ｂｕｎｄｌｉｎｇを適用したＡＣＫ／ＮＡＣＫ  ｃｈａｎｎｅｌ  ｓｅｌｅｃ
ｔｉｏｎを用いたＰＵＣＣＨの信号の送信電力が、リソース選択部４０５５でリソースの
選択に用いられる候補リソースの数に応じて値が設定されたパラメータに基づき制御され
ることになる。または、送信電力調整部６２７の処理により、Ｔｉｍｅ  ｄｏｍａｉｎ  
ｂｕｎｄｌｉｎｇおよび／またはＳｐａｔｉａｌ  ｂｕｎｄｌｉｎｇを適用したＡＣＫ／
ＮＡＣＫ  ｃｈａｎｎｅｌ  ｓｅｌｅｃｔｉｏｎを用いたＰＵＣＣＨの信号の送信電力が
、第二の受信確認応答生成部４０５３で生成された第二の受信確認応答の数に応じて値が
設定されたパラメータに基づき制御されることになる。
【０１９６】
コンポーネントキャリア合成部６０３は、各上りリンクコンポーネントキャリア毎送信
処理部６０１より入力された上りリンクコンポーネントキャリア毎の信号を合成し、Ｄ／
Ａ部６０５に出力する。Ｄ／Ａ部６０５は、コンポーネントキャリア合成部６０３から入
力されたベースバンドのディジタル信号をアナログ信号に変換し、送信ＲＦ部６０７に出
力する。送信ＲＦ部６０７は、Ｄ／Ａ部６０５から入力されたアナログ信号から、中間周
波数の同相成分および直交成分を生成し、中間周波数帯域に対する余分な周波数成分を除
去する。次に、送信ＲＦ部６０７は、中間周波数の信号を高周波数の信号に変換（アップ
コンバート）し、余分な周波数成分を除去し、電力増幅し、送信アンテナ４１１を介して
、基地局装置３に送信する。
【０１９７】
＜送信電力に関連するパラメータの設定＞
パラメータ設定部４０５７における、Ｔｉｍｅ  ｄｏｍａｉｎ  ｂｕｎｄｌｉｎｇおよ
び／またはＳｐａｔｉａｌ  ｂｕｎｄｌｉｎｇを適用したＡＣＫ／ＮＡＣＫ  ｃｈａｎｎ
ｅｌ  ｓｅｌｅｃｔｉｏｎを用いたＰＵＣＣＨに対する送信電力に関連するパラメータの
値の設定について説明する。パラメータ設定部４０５７は、リソース選択部４０５５でリ
ソースの選択に用いられる候補リソースの数に応じてＰＵＣＣＨの信号構成に基づくパラ
メータの値を設定する。または、パラメータ設定部４０５７は、第二の受信確認応答生成
部４０５３で生成された第二の受信確認応答の数に応じてＰＵＣＣＨの信号構成に基づく
パラメータの値を設定する。または、パラメータ設定部４０５７は、受信処理部４０１が
少なくとも何れか１個の下りリンクサブフレームにおいてデータを受信したセルの数に応
じてＰＵＣＨの信号構成に基づくパラメータの値を設定する。
【０１９８】
図７は、本発明の実施形態に係る移動局装置５で用いられる、リソースの選択に用いら
れる候補リソースの数または第二の受信確認応答の数と、送信電力に関連するパラメータ
の値の対応関係を説明する図である。なお、セルアグリゲーションで用いられる全てのセ
ルで単一のデータ送信が行われる場合、またはセルアグリゲーションで用いられる全ての
セルで少なくともＳｐａｔｉａｌ  ｂｕｎｄｌｉｎｇが適用される場合、リソースの選択
に用いられる候補リソースの数または第二の受信確認応答の数は、少なくとも何れか１個
の下りリンクサブフレームにおいてデータを受信したセルの数と言い換えることもできる
。なお、セルアグリゲーションで用いられる全てのセルでＳｐａｔｉａｌ  ｂｕｎｄｌｉ
ｎｇが適用されない場合、リソースの選択に用いられる候補リソースの数または第二の受
信確認応答の数は、少なくとも何れか１個の下りリンクサブフレームにおいてデータを受
信した全てのセルのデータ系列の数と言い換えることもできる。
【０１９９】
ここで、送信電力に関連するパラメータはＰＵＣＣＨの信号構成に基づくパラメータで
あり、送信電力に関連するパラメータの値の単位はデシベル［ｄＢ］とする。図７では、
４種類の候補リソースの数または第二の受信確認応答の数（Ｎ１、Ｎ２、Ｎ３、Ｎ４）と
、４種類の送信電力に関連するパラメータの値（Ｘ１、Ｘ２、Ｘ３、Ｘ４）を用いて説明
するが、本発明はこのような場合に限定されない。図７において、候補リソースの数また
は第二の受信確認応答の数の大小関係は、Ｎ１＜Ｎ２＜Ｎ３＜Ｎ４である。図７において
、送信電力に関連するパラメータの値の大小関係は、Ｘ１＜Ｘ２＜Ｘ３＜Ｘ４である。パ
ラメータ設定部４０５７は、候補リソースの数または第二の受信確認応答の数がＮ１の場
合、送信電力に関連するパラメータの値をＸ１に設定する。パラメータ設定部４０５７は
、候補リソースの数または第二の受信確認応答の数がＮ２の場合、送信電力に関連するパ
ラメータの値をＸ２に設定する。パラメータ設定部４０５７は、候補リソースの数または
第二の受信確認応答の数がＮ３の場合、送信電力に関連するパラメータの値をＸ３に設定
する。パラメータ設定部４０５７は、候補リソースの数または第二の受信確認応答の数が
Ｎ４の場合、送信電力に関連するパラメータの値をＸ４に設定する。
【０２００】
図７では、候補リソースの数または第二の受信確認応答の数と、送信電力に関連するパ
ラメータの値の対応関係が表により管理される場合について示したが、数式を用いて表さ
れてもよい。数式の入力の値を候補リソースの数または第二の受信確認応答の数とし、数
式の出力の値を送信電力に関連するパラメータの値としてパラメータ設定部４０５７が用
いるようにしてもよい。
【０２０１】
パラメータ設定部４０５７は、Ｔｉｍｅ  ｄｏｍａｉｎ  ｂｕｎｄｌｉｎｇおよび／ま
たはＳｐａｔｉａｌ  ｂｕｎｄｌｉｎｇを適用しないＡＣＫ／ＮＡＣＫ  ｃｈａｎｎｅｌ
ｓｅｌｅｃｔｉｏｎを用いたＰＵＣＣＨにおいては、受信した下りリンクのデータ（ト
ランスポートブロック）の数（第一の受信確認応答の数）に応じてＰＵＣＣＨの信号構成
に基づくパラメータの値を設定する。
【０２０２】
図８は、本発明の実施形態に係る移動局装置５の送信電力に関連するパラメータの値の
設定に関する処理の一例を示すフローチャートである。なお、説明の簡略化のため、本発
明の特徴に関連する、ＡＣＫ／ＮＡＣＫ  ｃｈａｎｎｅｌ  ｓｅｌｅｃｔｉｏｎを用いた
ＰＵＣＣＨに対するＰＵＣＣＨの信号構成に基づくパラメータの値の設定に関して重点的
な説明を行ない、ＰＵＣＣＨの信号構成に基づくパラメータとは異なるパラメータの値の
設定などに関する詳細な説明は適宜省略する。移動局装置５の制御部４０５は、Ｔｉｍｅ
ｄｏｍａｉｎ  ｂｕｎｄｌｉｎｇおよび／またはＳｐａｔｉａｌ  ｂｕｎｄｌｉｎｇを
設定された否かを判定する（ステップＳ１０１）。制御部４０５は、Ｔｉｍｅ  ｄｏｍａ
ｉｎ  ｂｕｎｄｌｉｎｇおよび／またはＳｐａｔｉａｌ  ｂｕｎｄｌｉｎｇを設定された
と判定した場合（ステップＳ１０１：YES）、リソース選択部４０５５においてリソース
の選択に用いられる候補リソースの数または第二の受信確認応答生成部４０５３において
生成された第二の受信確認応答の数に応じてＰＵＣＣＨの送信電力に関連するパラメータ
の値を設定する（ステップＳ１０２）。制御部４０５は、Ｔｉｍｅ  ｄｏｍａｉｎ  ｂｕ
ｎｄｌｉｎｇおよび／またはＳｐａｔｉａｌ  ｂｕｎｄｌｉｎｇを設定されていないと判
定した場合（ステップＳ１０２：NO）、第一の受信確認応答生成部４０５１で生成された
第一の受信確認応答の数に応じてＰＵＣＣＨの送信電力に関連するパラメータの値を設定
する（ステップＳ１０３）。移動局装置５は、ステップＳ１０２、１０３の後、設定され
たパラメータの値を用いて送信電力調整部６２７においてＰＵＣＣＨの送信電力を調整し
、ＰＵＣＣＨで信号を送信する。なお、セルアグリゲーションで用いられる全てのセルで
単一のデータ送信が行われる場合、またはセルアグリゲーションで用いられる全てのセル
で少なくともＳｐａｔｉａｌ  ｂｕｎｄｌｉｎｇが適用される場合（ステップＳ１０１で
Ｔｉｍｅ  ｄｏｍａｉｎ  ｂｕｎｄｌｉｎｇおよびＳｐａｔｉａｌ  ｂｕｎｄｌｉｎｇが
設定されている場合）、ステップＳ１０２において少なくとも何れか１個の下りリンクサ
ブフレームにおいてデータを受信したセルの数に応じてＰＵＣＣＨの送信電力に関連する
パラメータの値を設定するようにしてもよい。なお、セルアグリゲーションで用いられる
全てのセルでＳｐａｔｉａｌ  ｂｕｎｄｌｉｎｇが適用されない場合（ステップＳ１０１
でＴｉｍｅ  ｄｏｍａｉｎ  ｂｕｎｄｌｉｎｇのみが設定されている場合）、ステップＳ
１０２において少なくとも何れか１個の下りリンクサブフレームにおいてデータを受信し
た全てのセルのデータ系列の数に応じてＰＵＣＣＨの送信電力に関連するパラメータの値
を設定するようにしてもよい。
【０２０３】
以上のように、本発明の実施形態では、移動局装置５は、ＡＣＫ／ＮＡＣＫ  ｃｈａｎ
ｎｅｌ  ｓｅｌｅｃｔｉｏｎのリソースの選択に用いられる候補リソースの数、または第
二の受信確認応答の数に応じて送信電力に関連するパラメータの値を設定し、設定された
パラメータの値を用いて複数の第二の受信確認応答の情報から生成される信号の送信に用
いられるＰＵＣＣＨの送信電力を制御して、ＰＵＣＣＨを送信することにより、基地局装
置３は受信した上りリンクの信号から適した受信特性で情報を得ることができる。または
、移動局装置５は、少なくとも何れか１個の下りリンクサブフレームにおいてデータを受
信したセルの数、または少なくとも何れか１個の下りリンクサブフレームにおいてデータ
を受信した全てのセルのデータ系列の数に応じて送信電力に関連するパラメータの値を設
定し、設定されたパラメータの値を用いて複数の第二の受信確認応答の情報から生成され
る信号の送信に用いられるＰＵＣＣＨの送信電力を制御して、ＰＵＣＣＨを送信すること
により、基地局装置３は受信した上りリンクの信号から適した受信特性で情報を得ること
ができる。受信したトランスポートブロックの数に応じてＰＵＣＣＨの送信電力を線形的
に制御すると、不必要に高い送信電力が用いられ、干渉の増大を引き起こし、通信システ
ムの効率が劣化する可能性があるが、本発明の実施形態では、不必要に高い送信電力が設
定されることを回避することができ、干渉の増大を引き起こすことを回避することができ
、通信システムの効率が劣化する可能性を回避することができる。よって、他の移動局装
置５のＰＵＣＣＨに与える干渉が増大することを回避することができるので、基地局装置
３は上りリンクの信号から適した受信特性で情報を得ることができる。信号が送信された
候補リソースを基地局装置３が正しく検出する特性は、信号の検出対象である候補リソー
スの数が増えるにつれて劣化する。よって、基地局装置３の信号の検出対象である候補リ
ソースが増えるにつれて移動局装置５が大きな送信電力を用いるように制御することによ
り、基地局装置３は受信したＰＵＣＣＨの信号から適した受信特性で複数の第二の受信確
認応答の情報を取得することができる。一方、基地局装置３は複数の第二の受信確認応答
の情報を適切に取得することができる範囲内において、基地局装置３の信号の検出対象で
ある候補リソースが減るにつれて移動局装置５が複数の第二の受信確認応答の情報から生
成した信号を含むＰＵＣＣＨの信号に対して小さな送信電力を用いるように制御すること
により、他の移動局装置５の信号に与える干渉を低減することができる。
【０２０４】
また、移動局装置５とは、移動する端末に限らず、固定端末に移動局装置５の機能を実
装することなどにより本発明を実現しても良い。
【０２０５】
以上説明した本発明の特徴的な手段は、集積回路に機能を実装し、制御することによっ
ても実現することができる。すなわち、本発明の集積回路は、移動局装置５に実装される
ことにより、移動局装置５に複数の機能を発揮させる集積回路であって、複数の周波数領
域および複数の時間領域において基地局装置３から受信した下りリンクのデータに対する
肯定応答、または否定応答を示す第一の受信確認応答を生成する機能と、複数の前記第一
の受信確認応答に対して論理演算を実行し、第二の受信確認応答を生成する機能と、複数
の前記第二の受信確認応答に基づき前記第二の受信確認応答の内容を示す信号を配置する
リソースを選択する機能と、リソースの選択に用いられる候補リソースの数に応じて送信
電力を制御し、選択されたリソースを用いて前記第二の受信確認応答の内容を示す信号を
送信する機能と、を含む一連の機能を、移動局装置５に発揮させることを特徴とする。
【０２０６】
このように、本発明の集積回路を用いた移動局装置５は、ＡＣＫ／ＮＡＣＫ  ｃｈａｎ
ｎｅｌ  ｓｅｌｅｃｔｉｏｎのリソースの選択に用いられる候補リソースの数に応じて送
信電力に関連するパラメータの値を設定し、設定された値のパラメータを用いて複数の第
二の受信確認応答の内容から生成される信号の送信に用いられるＰＵＣＣＨの送信電力を
制御して、ＰＵＣＣＨを送信することにより、基地局装置は受信したＰＵＣＣＨから適し
た受信特性で複数の第二の受信確認応答の情報を得ることができる。
【０２０７】
また、本発明の集積回路は、移動局装置５に実装されることにより、移動局装置５に複
数の機能を発揮させる集積回路であって、複数の周波数領域および複数の時間領域におい
て基地局装置３から受信した下りリンクのデータに対する第一の受信確認応答を生成する
機能と、同一の周波数領域および同一の時間領域の複数の下りリンクのデータに対する複
数の前記第一の受信確認応答に対して論理演算を実行し、第二の受信確認応答を生成する
機能と、複数の前記第二の受信確認応答に基づき前記第二の受信確認応答の内容を示す信
号を配置するリソースを選択する機能と、前記第二の受信確認応答の数に応じて送信電力
を制御し、選択されたリソースを用いて前記第二の受信確認応答の内容を示す信号を送信
する機能と、を含む一連の機能を、移動局装置５に発揮させることを特徴とする。
【０２０８】
このように、本発明の集積回路を用いた移動局装置５は、ＡＣＫ／ＮＡＣＫ  ｃｈａｎ
ｎｅｌ  ｓｅｌｅｃｔｉｏｎとＴｉｍｅ  ｄｏｍａｉｎ  ｂｕｎｄｌｉｎｇが実行される
場合において、複数のコンポーネントキャリア（セル）内において生成される第二の受信
確認応答の数に応じて送信電力に関連するパラメータの値を設定し、設定された値のパラ
メータを用いて複数の第二の受信確認応答の内容から生成される信号の送信に用いられる
ＰＵＣＣＨの送信電力を制御して、ＰＵＣＣＨを送信することにより、基地局装置は受信
した上りリンクの信号から適した受信特性で情報を得ることができる。
【０２０９】
本発明の実施形態に記載の動作をプログラムで実現してもよい。本発明に関わる移動局
装置５および基地局装置３で動作するプログラムは、本発明に関わる上記実施形態の機能
を実現するように、ＣＰＵ等を制御するプログラム（コンピュータを機能させるプログラ
ム）である。そして、これら装置で取り扱われる情報は、その処理時に一時的にＲＡＭに
蓄積され、その後、各種ＲＯＭやＨＤＤに格納され、必要に応じてＣＰＵによって読み出
し、修正・書き込みが行なわれる。プログラムを格納する記録媒体としては、半導体媒体
（例えば、ROM、不揮発性メモリカード等）、光記録媒体（例えば、DVD、MO、MD、CD、BD
等）、磁気記録媒体（例えば、磁気テープ、フレキシブルディスク等）等のいずれであっ
てもよい。また、ロードしたプログラムを実行することにより、上述した実施形態の機能
が実現されるだけでなく、そのプログラムの指示に基づき、オペレーティングシステムあ
るいは他のアプリケーションプログラム等と共同して処理することにより、本発明の機能
が実現される場合もある。
【０２１０】
また市場に流通させる場合には、可搬型の記録媒体にプログラムを格納して流通させた
り、インターネット等のネットワークを介して接続されたサーバコンピュータに転送する
ことができる。この場合、サーバコンピュータの記憶装置も本発明に含まれる。また、上
述した実施形態における移動局装置５および基地局装置３の一部、または全部を典型的に
は集積回路であるＬＳＩとして実現してもよい。移動局装置５および基地局装置３の各機
能ブロックは個別にチップ化してもよいし、一部、または全部を集積してチップ化しても
よい。また、集積回路化の手法はＬＳＩに限らず専用回路、または汎用プロセッサで実現
しても良い。また、半導体技術の進歩によりＬＳＩに代替する集積回路化の技術が出現し
た場合、当該技術による集積回路を用いることも可能である。
【０２１１】
以上、この発明の実施形態を、図面を参照して詳述してきたが、具体的な構成はこの実
施形態に限られるものではなく、この発明の要旨を逸脱しない範囲の設計等も特許請求の
範囲に含まれる。
【符号の説明】
【０２１２】
３  基地局装置
５（Ａ〜Ｃ）  移動局装置
１０１  受信処理部
１０３  無線リソース制御部
１０５  制御部
１０７  送信処理部
１０９  受信アンテナ
１１１  送信アンテナ
２０１  物理下りリンク共用チャネル処理部
２０３  物理下りリンク制御チャネル処理部
２０５  下りリンクパイロットチャネル処理部
２０７  多重部
２０９  ＩＦＦＴ部
２１１  ＧＩ挿入部
２１３  Ｄ／Ａ部
２１５  送信ＲＦ部
２１９  ターボ符号部
２２１  データ変調部
２２３  畳み込み符号部
２２５  ＱＰＳＫ変調部
３０１  受信ＲＦ部
３０３  Ａ／Ｄ部
３０５  コンポーネントキャリア分離部
３０７  上りリンクコンポーネントキャリア毎受信処理部
３０９  シンボルタイミング検出部
３１１  ＧＩ除去部
３１３  ＦＦＴ部
３１５  サブキャリアデマッピング部
３１７  伝搬路推定部
３１９  伝搬路等化部（ＰＵＳＣＨ用）
３２１  伝搬路等化部（ＰＵＣＣＨ用）
３２３  ＩＤＦＴ部
３２５  データ復調部
３２７  ターボ復号部
３２９  物理上りリンク制御チャネル検出部
４０１  受信処理部
４０３  無線リソース制御部
４０５  制御部
４０７  送信処理部
４０９  受信アンテナ
４１１  送信アンテナ
５０１  受信ＲＦ部
５０３  Ａ／Ｄ部
５０５  シンボルタイミング検出部
５０７  ＧＩ除去部
５０９  ＦＦＴ部
５１１  多重分離部
５１３  伝搬路推定部
５１５  伝搬路補償部（ＰＤＳＣＨ用）
５１７  物理下りリンク共用チャネル復号部
５１９  伝搬路補償部（ＰＤＣＣＨ用）
５２１  物理下りリンク制御チャネル復号部
５２３  データ復調部
５２５  ターボ復号部
５２７  ＱＰＳＫ復調部
５２９  ビタビデコーダ部
６０１  上りリンクコンポーネントキャリア毎送信処理部
６０３  コンポーネントキャリア合成部
６０５  Ｄ／Ａ部
６０７  送信ＲＦ部
６１１  ターボ符号部
６１３  データ変調部
６１５  ＤＦＴ部
６１７  上りリンクパイロットチャネル処理部
６１９  物理上りリンク制御チャネル処理部
６２１  サブキャリアマッピング部
６２３  ＩＦＦＴ部
６２５  ＧＩ挿入部
６２７  送信電力調整部
４０５１  第一の受信確認応答生成部
４０５３  第二の受信確認応答生成部
４０５５  リソース選択部
４０５７  パラメータ設定部
【図１】
0005497095.tif 000002
【図２】
0005497095.tif 000003
【図３】
0005497095.tif 000004
【図４】
0005497095.tif 000005
【図５】
0005497095.tif 000006
【図６】
0005497095.tif 000007
【図７】
0005497095.tif 000008
【図８】
0005497095.tif 000009
【図９】
0005497095.tif 000010
【図１０】
0005497095.tif 000011
【図１１】
0005497095.tif 000012
【図１２】
0005497095.tif 000013
【図１３】
0005497095.tif 000014
【図１４】
0005497095.tif 000015
【図１５】
0005497095.tif 000016
【図１６】
0005497095.tif 000017
【図１７】
0005497095.tif 000018
【図１８】
0005497095.tif 000019